(57)【要約】  アドホックネットワークにおいて、電力消費を従来より低減可能であって、他の無線通信装置のスーパフレームとの同期が可能な無線通信方法。本方法では、複数の無線通信装置が相互に広帯域信号でデータ通信するアドホックネットワークにおいて、無線通信装置がスーパフレーム（２２１）の終端を識別するためのエンドトーン（２０１）を送信し、他の無線通信装置がそのエンドトーン（２０２）を受信したときに、自己のスーパフレーム（２２１）の終端を同期させる。これにより、ビーコンなしでもスーパフレーム（２２１）を同期させることができる。
2007066741.tif 000002
【特許請求の範囲】
【請求項１】
複数の無線通信装置がアドホックネットワークにおいて相互に通信する無線通信方法であって、
一の無線通信装置が、スーパフレームの終端を識別するためのエンドトーンを送信するステップと、
他の無線通信装置が、前記エンドトーンを受信したときに、自己のスーパフレームの終端を同期させるステップと、
を有する無線通信方法。
【請求項２】
前記一の無線通信装置が、スーパフレームの終端から所定の時間経過後にデータ送信を通知するための送受信トーンをキャリアセンスしながら送信するステップと、
前記一の無線通信装置が、前記送受信トーンの送信完了後に、データ信号を送信するステップと、
をさらに有する請求項１に記載の無線通信方法。
【請求項３】
前記一の無線通信装置が、他の無線通信装置からの送受信トーンを受信した後に、前記データ信号を受信可能にし、前記データ信号を受信するステップと、
前記一の無線通信装置が、前記データ信号を正常に受信したとき、前記送受信トーンをキャリアセンスしながら送信するステップと、
をさらに有する請求項２に記載の無線通信方法。
【請求項４】
前記一の無線通信装置が送信するエンドトーンは、狭帯域信号である請求項１に記載の無線通信方法。
【請求項５】
前記一の無線通信装置が送信するデータ信号は、広帯域のデータ信号である請求項２に記載の無線通信方法。
【請求項６】
前記一の無線通信装置が、他の無線通信装置からの送受信トーンを受信した後に、広帯域信号を受信可能にし、前記データ信号を受信するステップと、
前記一の無線通信装置が、前記データ信号を正常に受信したとき、前記狭帯域の送受信トーンをキャリアセンスしながら送信するステップと、
をさらに有する請求項５に記載の無線通信方法。
【請求項７】
前記エンドトーンは、スーパフレームの終端の前後に設定されたエンドトーンスロット内で送信され、
前記一の無線通信装置は、エンドトーンスロット内で最初に受信したエンドトーンを基準にしてスーパフレームの終端を再設定する、
請求項４に記載の無線通信方法。
【請求項８】
前記一の無線通信装置が、他の無線通信装置から受信したエンドトーンが、エンドトーンスロット内で最初のものであって、自己のエンドトーンの送信開始以前に受信完了したとき、前記他の無線通信装置の前記エンドトーンを受信完了した時点で、スーパフレームの終端を再設定するステップと、
前記一の無線通信装置が、エンドトーンを受信したタイミングで、自己のエンドトーンを送信するステップと、
を有する請求項７に記載の無線通信方法。
【請求項９】
前記スーパフレームを共有する無線通信装置のグループであるスーパフレームグループが複数混在したとき、
第１のスーパフレームグループに属する一の無線通信装置が、前記第１のスーパフレームグループに属する他の無線通信装置へ第２のスーパフレームと同期することを通知するステップと、
前記第１のスーパフレームグループに属する前記一の無線通信装置が、スーパフレーム全体にわたって前記第２のスーパフレームグループに属する無線通信装置からのエンドトーンを受信待ちし、受信したエンドトーンを基準にしてスーパフレームの終端を再設定するステップと、
を有する請求項７に記載の無線通信方法。
【請求項１０】
前記第１のスーパフレームグループに属する前記一の無線通信装置が、現在の終端を通知するエンドトーンを送信した後に、エンドトーンスロット内で再度エンドトーンを送信することにより、前記第１のスーパフレームグループに属する他の無線通信装置へ前記第２のスーパフレームグループのスーパフレームと同期することを通知するステップと、
同期することを通知する前記エンドトーンを受信した前記第１のスーパフレームグループに属する他の無線通信装置が、現在の終端を通知するエンドトーンを送信した後に、エンドトーンスロット内で再度エンドトーンを送信するステップと、
を有する請求項９に記載の無線通信方法。
【請求項１１】
前記一の無線通信装置が、通信の衝突回避のための狭帯域信号のビギニングトーン１をキャリアセンスしながら送信するステップと、
前記ビギニングトーン１を受信した無線通信装置が、狭帯域信号のビギニングトーン２を送信するステップと、
前記ビギニングトーン１または前記ビギニングトーン２を受信した無線通信装置が、現在のスーパフレーム内では、自己からの狭帯域信号のビギニングトーン１を送信することを中止するステップと、
を有する請求項５に記載の無線通信方法。
【請求項１２】
前記ビギニングトーン１を送信した無線通信装置が、前記ビギニングトーン２を送信した無線通信装置へ、属性および／または通信環境を問い合わせるプローブ要求を広帯域信号で送信するステップと、
前記プローブ要求を受信した無線通信装置が、自己の属性および／または通信環境の情報を含むプローブ応答を広帯域信号で送信するステップと、
を有する請求項１１に記載の無線通信方法。
【請求項１３】
前記プローブ要求を受信した無線通信装置が、前記プローブ応答を送信する前に、送受信トーンを送信するステップと、
前記プローブ要求を送信した無線通信装置が、前記送受信トーンを受信したとき、受信した送受信トーンを転送するステップと、
前記プローブ要求を送信していない無線通信装置が、前記送受信トーンを受信したとき、自己からの前記プローブ応答の送信開始を停止するステップと、
を有する請求項１２に記載の無線通信方法。
【請求項１４】
前記プローブ要求を送信した無線通信装置が、前記プローブ応答を受信完了するまでの所定時間をバックオフによりカウントするステップと、
前記プローブ要求を送信した無線通信装置が、前記所定時間をカウント終了したとき、プローブ要求期間の終了通知を近隣の無線通信装置へ送信するステップと、
を有する請求項１３に記載の無線通信方法。
【請求項１５】
前記プローブ要求において、前記プローブ要求を送信した無線通信装置は複数の指向性アンテナにより複数のセクタを構成し、各セクタ内の無線通信装置は、互いに送受信可能な状態であるとき、前記プローブ要求を送信した無線通信装置が行う前記送受信トーンの送信は、各指向性アンテナによりセクタ毎に順番に行う、
請求項１３に記載の無線通信方法。
【請求項１６】
前記プローブ要求を送信した無線通信装置が、セクタ毎に、前記プローブ応答を受信完了するまでの所定時間をバックオフによりカウントするステップと、
前記プローブ要求を送信した無線通信装置が、すべてのセクタにおいて、前記所定時間のカウントを終了したとき、プローブ要求期間の終了通知を近隣の無線通信装置へ送信するステップと、
を有する請求項１５に記載の無線通信方法。
【請求項１７】
前記一の無線通信装置が、エンドトーンスロット内でエンドトーンに続いて送受信トーンを受信したとき、当該エンドトーンスロット終了後のスーパフレームにおいて、近隣の無線通信装置が送信するデータ送受信予約情報を含むコントロールフレームを収集し、次のスーパフレームの前記コントロールフレームで予約されていない時間帯に、自己の属性、通信環境情報、および／または前記コントロールフレームで予約された時間帯の情報を含むプローブ応答を送信する、
請求項７に記載の無線通信方法。
【請求項１８】
トーン信号である前記狭帯域信号の継続時間は、送受信トーン、ビギニングトーン１、ビギニングトーン２、エンドトーンの順に長く、ビギニングトーン２は、ビギニングトーン１の少なくとも２倍以上である、
請求項１１に記載の無線通信方法。
【請求項１９】
複数の無線通信装置がアドホックネットワークにおいて相互に通信する一の無線通信装置の無線通信方法であって、
スーパフレーム内の経過時間を計測し、終端を識別するためのエンドトーンを送信するステップと、
最初に送信したエンドトーンを基にして再設定された終端時刻を基準に、所定の時間経過後にデータ送信を通知するための送受信トーンを送信するステップと、
当該送受信トーンの送信完了後、データ信号を送信するステップと、
を有する無線通信方法。
【請求項２０】
前記エンドトーン及び送受信トーンは、狭帯域信号あり、
前記データ信号は、広帯域信号のデータ信号である、請求項１９記載の無線通信方法。
【請求項２１】
前記一の無線通信装置が、通信の衝突回避のための狭帯域信号のビギニングトーン１をキャリアセンスしながら送信するステップと、
前記一の無線通信装置が、前記ビギニングトーン１を受信した他の無線通信装置により送信されたビギニングトーン２を受信するステップと、
を有する請求項２０記載の無線通信方法。
【請求項２２】
前記ビギニングトーン１を送信した一の無線通信装置が、前記ビギニングトーン２を送信した前記他の無線通信装置へ、属性および／または通信環境を問い合わせるプローブ要求を広帯域信号で送信するステップと、
前記プローブ要求を受信した前記他の無線通信装置から、自己の属性および／または通信環境の情報を含むプローブ応答を広帯域信号で受信するステップと、
を有する請求項２１に記載の無線通信方法。
【請求項２３】
トーン信号を送受信するトーン信号通信部と、
データを送受信するデータ信号通信部と、
スーパフレーム内の経過時間を計測し、終端を識別するためのエンドトーンを前記トーン信号通信部を介して送信し、あるいは前記エンドトーンを前記トーン信号通信部を介して受信し、自己の終端時刻以前に最初に受信したエンドトーンを基準にして終端時刻を再設定する時刻管理部と、
前記時刻管理部が再設定した終端時刻を基準に、所定の時間経過後にデータ送信を通知するための送受信トーンを前記トーン信号通信部を介して送信し、当該送受信トーンの送信完了後、データを前記データ信号通信部を介して送信する、あるいは前記送受信トーンを受信したとき前記データ信号通信部を受信可能状態にしてデータを前記データ信号通信部を介して受信するフレーム送受信部と、
を有する無線通信装置。
【請求項２４】
前記トーン信号通信部は、狭帯域のトーン信号を送受信する狭帯域通信部であり、
前記データ信号通信部は、変調して広帯域信号でデータを送受信する広帯域通信部である、
請求項２３に記載の無線通信装置。
【請求項２５】
スーパフレームを共有する自己と同一グループに属する他の無線通信装置へ、スーパフレームを共有していない他のグループのスーパフレームに同期することを通知し、スーパフレームの全期間において、他のグループのエンドトーンを監視し、当該エンドトーンを受信したとき、スーパフレームの終端に再設定してエンドトーンを前記狭帯域通信部を介して送信する再同期制御部、
をさらに有する請求項２４に記載の無線通信装置。
【請求項２６】
近隣の無線通信装置との通信の衝突回避のための狭帯域信号のビギニングトーン１およびビギニングトーン２を前記狭帯域通信部を介して送信する、あるいは前記ビギニングトーン１を受信し、前記ビギニングトーン２を前記狭帯域通信部を介して送信する、あるいは前記ビギニングトーン１及び前記ビギニングトーン２を受信して、現在のスーパフレーム内でのビギニングトーン１の送信を中止するビギニングトーン制御部、
をさらに有する請求項２５に記載の無線通信装置。
【請求項２７】
前記ビギニングトーン制御部へビギニングトーン１の送信を指示し、その後当該ビギニングトーン制御部からビギニングトーン２の受信を通知されたとき、他の無線通信装置へ属性および／または通信環境情報の通知を要求するプローブ要求フレームの送信を前記フレーム送受信部へ指示するプローブ送信部と、
前記プローブ要求を受信したとき、自己の属性や通信環境情報を送信するように前記フレーム送受信部へ指示するプローブ受信部と、
をさらに有する請求項２６に記載の無線通信装置。
【発明の詳細な説明】
【技術分野】
【０００１】
本発明は、無線通信ネットワーク、特にモバイル環境下におけるアドホックネットワーク通信に関する。
【背景技術】
【０００２】
近年、ＵＷＢ（Ultra Wide Band）無線通信方法について様々なものが提案されてきている。ＵＷＢ無線通信は、１Ｇｂｐｓを超えるような広帯域通信であるため、伝送容量の大きな動画伝送などに適用が検討されている。一方、ＵＷＢはその通信可能範囲の狭さゆえにオフィス環境などでは使い勝手がよいとは言えず、むしろ今日注目されつつあるＰＡＮ（Personal Area Network）に向いているといえる。但し、ＰＡＮと一口に言っても、黎明期であるＰＡＮの有力なアプリケーションはなかなか見つけにくい。広帯域性故にそれを利用する機器は、一般的に電力を多く使用することになるが、ＰＡＮの場合、あまり多くのバッテリーを携帯して移動するのは難しいためである。【０００３】
ＰＡＮを利用し、かつＵＷＢの広帯域性を必要とするアプリケーションの一つは、ファイル交換アプリケーションである。その基本的な動作原理は、例えば特許文献１に開示されている。モバイル環境における無作為なファイル交換（特許文献１にはメッセージ交換と記されている）にてミニコミュニティを作ることが可能となる。特許文献１には記されていないが、やり取りされるデータはテキストドキュメントに限らず、音楽・画像・動画などのファイルの交換も可能である。特にＵＷＢにおいては、その実効伝送速度が１００Ｍｂｐｓから数Ｇｂｐｓにも及ぶため、人と人がすれ違いざまに大きなサイズのファイル交換が可能であり、このようなファイルの交換は、ＵＷＢに適したアプリケーションであるといえる。【０００４】
そのＵＷＢで使用される伝送方式は、ＩＥＥＥ８０２．１５にて様々な議論がなされている。ＰＡＮ（特にモバイルＰＡＮ）環境で実装されるＭＡＣプロトコルは、自律分散処理による方式である場合が多い。これは、各端末が、五月雨のようにすれ違っているようなＰＡＮ環境下では、マスタ−スレーブの関係をその都度構築し、データスロットを割り振るなどの通信環境をそろえた後に通信を開始することが、大きなオーバヘッドになるからである。【０００５】
また、非特許文献１は、自律分散型のＰＡＮにおける無線通信方式を開示している。【０００６】
図１は、ＴＤＭＡ（Time Division Multiple Access）によるスーパフレームの構成を示す図である。【０００７】
図１において、スーパフレームはビーコンピリオド２２０１とデータピリオド２２０２に分割される。【０００８】
ビーコン２２０３は、ビーコンピリオド２２０１内で各無線通信装置から送信されるが、近隣のノードのビーコンは衝突することなく近隣のノードに伝わることが保証されている。【０００９】
データピリオド２２０２は、スロット２２０４毎に均等に分割され、その順番にスロットＩＤが付与されるが、これに限らず、データピリオドは均等でなくても良いし、また隣接する必要もない。
【特許文献１】特開２００１−２９８４０６号公報
【非特許文献１】"Towards High Speed Wireless Personal Area Network-Efficiency Analysis of MBOA MAC", Yunpeng Zang, et al, インターネットＵＲＬ：http://www.ctr.kcl.ac.uk/IWWAN2005/papers/88_invited_Philips.pdf
【発明の開示】
【発明が解決しようとする課題】
【００１０】
しかしながら、非特許文献１に記載の無線通信方式の場合、ビーコンピリオドを共有するスーパフレームグループが混在したとき、データスロットとビーコンピリオドの衝突が発生してしまうことがあった。【００１１】
これを解決する一つの方法として、ＰＡＮに属する全てのノードが常時スーパフレームグループの衝突を検出し、分散的にこれに適応するアルゴリズムを構成することが考えられる。【００１２】
しかしながら、上記の方法では、無線通信装置は常にビーコン受信部を受信待ち状態に保つ必要があり、受信待ち電力が大きくなる。これは、ＵＷＢ通信では許容しがたく、モバイル通信装置のような電池による電力供給しか望めない環境下では、大きなデメリットになる。【００１３】
また、無線通信装置は、周囲の無線通信装置の有無に関わらず常にビーコンを出し続けなくてはならないため、さらに電力消費することになる。【００１４】
本発明の目的は、アドホックネットワークにおいて、電力消費を従来より低減可能であって、他の無線通信装置のスーパフレームとの同期が可能な無線通信方法及び無線通信装置を提供することにある。
【課題を解決するための手段】
【００１５】
本発明の無線通信方法は、複数の無線通信装置がアドホックネットワークにおいて相互に通信する無線通信方法であって、一の無線通信装置が、スーパフレームの終端を識別するためのエンドトーンを送信するステップと、他の無線通信装置が、そのエンドトーンを受信したときに、自己のスーパフレームの終端を同期させるステップとを有するものである。【００１６】
これにより、無線通信装置は変調信号によるビーコンを使用することなく、消費電力の小さいトーン信号を使用してスーパフレームと同期を取るので、消費電力を従来の方法に比べ低減することができるようになる。【００１７】
また、本発明の無線通信装置は、トーン信号を送受信するトーン信号通信部と、変調して広帯域信号でデータを送受信するデータ信号通信部と、時刻管理部と、フレーム送受信部とを有している。その時刻管理部は、スーパフレーム内の経過時間を計測し、終端を識別するためのエンドトーンをトーン信号通信部から送信したり、あるいはエンドトーンをトーン信号通信部から受信し、自己の終端時刻以前に最初に受信したエンドトーンを基準にして終端時刻を再設定する。また、フレーム送受信部は、時刻管理部が再設定した終端時刻を基準に、所定の時間経過後にデータ送信を通知するための送受信トーンをトーン信号通信部から送信し、当該送受信トーンの送信完了後、データをデータ信号通信部から送信したり、あるいは送受信トーンを受信したときデータ信号通信部を受信可能状態にしてデータをデータ信号通信部から受信したりする。【００１８】
この構成により、無線通信装置はビーコンを使用することなく、スーパフレームグループ間のスーパフレーム同期を実現することができる。
【発明の効果】
【００１９】
本発明によれば、無線通信装置は、アドホックネットワークにおいて、従来に比べ待機時の電力消費を低減しつつ、モビリティ環境下での、スーパフレームの同期調整が可能となる。その結果、他の無線通信装置と最小時間で通信を開始することができる。
【図面の簡単な説明】
【００２０】
【図１】従来の無線通信方法におけるＴＤＭＡによるスーパフレームの構成を示す図
【図２】本発明の実施の形態１における無線通信装置の構成を示す図
【図３】本発明の実施の形態１におけるトーン信号とフレームの送受信プロトコルを示すタイミングチャート
【図４】本発明の実施の形態１における各トーン信号の長さを示す図
【図５】本発明の実施の形態１におけるスーパフレームの同期処理を説明するフロー図
【図６】本発明の実施の形態１におけるスーパフレームの同期動作を示す図
【図７】本発明の実施の形態１における２つのスーパフレームグループの配置を示す図
【図８】本発明の実施の形態１におけるスーパフレームの再同期処理を説明するフロー図
【図９】本発明の実施の形態１における無線通信装置の再同期エンドトーンの送受信動作を示す図
【図１０】本発明の実施の形態１におけるデータ送受信の動作を示す図
【図１１】図１１Ａは、本発明の実施の形態１における要求側無線通信装置のプローブ処理を説明するフロー図、図１１Ｂは、本発明の実施の形態１における応答側無線通信装置のプローブ処理を説明するフロー図
【図１２】図１２Ａは、本発明の実施の形態１における無線通信装置が２ホップ内に位置したときの配置図、図１２Ｂは、本発明の実施の形態１における無線通信装置のビギニングトーン１、２の送受信動作を示す図、図１２Ｃは、本発明の実施の形態１における無線通信装置のビギニングトーン１、２の送受信動作を示す図
【図１３】図１３Ａは、本発明の実施の形態１における無線通信装置が３ホップ内に位置したときの配置図、図１３Ｂは、本発明の実施の形態１における無線通信装置のビギニングトーン１、２の送受信動作を示す図
【図１４】本発明の実施の形態１における無線通信装置がトーン信号を受信した場合の動作を示した図
【図１５】本発明の実施の形態１における無線通信装置がトーン信号を受信した場合の動作を示した図
【図１６】本発明の実施の形態１におけるＲＴＳ／ＣＴＳによる衝突回避を説明する図
【図１７】本発明の実施の形態２における無線通信装置の配置を示す図
【図１８】本発明の実施の形態３におけるスーパフレームのトーン信号とフレームを説明するタイミングチャート
【図１９】本発明の実施の形態３における無線通信装置の構成を示す図
【図２０】図２０Ａは、本発明の実施の形態３におけるプローブ要求元の無線通信装置の動作フロー図、図２０Ｂは、本発明の実施の形態２におけるプローブ応答する無線通信装置の動作フロー図
【図２１】本発明の実施の形態４におけるモバイルファイル交換装置の構成を示す図
【図２２】本発明の実施の形態４におけるモバイルファイル交換装置が管理する音楽ソフトのファイルリストを示す図
【図２３】本発明の実施の形態５におけるモバイルファイル交換装置の構成を示す図
【図２４】本発明の実施の形態５におけるモバイルファイル交換装置がアクセスポイントに接続するシーケンスを示す図
【図２５】本発明の実施の形態６における信号通信部の構成を示すブロック図
【図２６】本発明の実施の形態７における信号通信部の構成を示すブロック図
【図２７】本発明の実施の形態７における信号通信部の信号波形を示すタイミングチャート
【発明を実施するための最良の形態】
【００２１】
以下、本発明の実施の形態について、図面を用いて説明する。以下の実施の形態において、無線通信装置は、データ通信手段をミリ波ＵＷＢで行うものとする。【００２２】
（実施の形態１）
図２は、本発明の本実施の形態における無線通信装置の構成図である。【００２３】
図２において、無線通信装置は、アンテナ1０５と指向性制御部１０６と広帯域通信部1０１と狭帯域通信部1０２とＭＡＣ制御部1０３と上位層処理部1０４とを備えている。【００２４】
アンテナ1０５は、各セクタを担当する複数の指向性アンテナからなるものであり、指向性制御部１０６は、そのアンテナ1０５を構成する指向性アンテナを制御して、通信範囲を決定するものである。また、広帯域通信部１０１は、ＵＷＢ信号を送受信するものであり、狭帯域通信部1０２は変調し、または、変調せずに狭帯域信号をトーン信号として送受信するものである。但し、広帯域信号がＤＳ―ＵＷＢ（Direct Sequence ＵＷＢ）の場合は、狭帯域信号を送信するために、ＤＳ―ＵＷＢのパルス幅を広げて送信するようにそれぞれの発信機を共有しても良い。【００２５】
上位層処理部1０４は、各種のアプリケーションを実行し、コンテンツデータなどの送信データを生成し、ＭＡＣ制御部1０３へ送出したり、ＭＡＣ制御部1０３から受信データを受けてアプリケーション処理を行うものである。【００２６】
ＭＡＣ制御部1０３は、ＭＡＣプロトコル処理を行うものであり、フレーム送受信部1３１、時刻管理部1３２、再同期制御部1３３、ビギニングトーン制御部1３４、ＲＴＳ／ＣＴＳ−ｅデータフレーム送信部1３５、プローブ受信部1３６、およびプローブ送信部1３７とを有している。【００２７】
フレーム送受信部1３１は、データ通信することを通知する送受信トーンを送受信したり、その後のフレームを後述するＲＴＳ／ＣＴＳ（Request to Send/Clear to Send）の拡張方式（ＲＴＳ／ＣＴＳ−ｅ方式）で広帯域信号により送受信するものである。【００２８】
時刻管理部1３２は、スーパフレームの開始時刻からの時刻を管理するものであり、自己のスーパフレームの終端を通知するエンドトーンの送信時刻を計測したり、他ノード（無線通信装置など）のエンドトーンとの同期をとるために、狭帯域通信部１０２とタイミングの受け渡しを行うものである。【００２９】
再同期制御部1３３は、他のスーパフレームグループと同期するために狭帯域通信部1０２を介して再同期信号を送信するものである。また、再同期制御部1３３は、スーパフレーム全域でエンドトーンを監視し、他のスーパフレームとの同期タイミングを時刻管理部１３２に通知するものである。【００３０】
ビギニングトーン制御部1３４は、データ通信の衝突を回避するためのビギニングトーン１あるいはビギニングトーン２を、トーンをキャリアとしてＣＳＭＡ／ＣＡ（Carrier Sense Multiple Access with Collision Avoidance）手順に従って送信したり、受信したりするものである。【００３１】
ＲＴＳ／ＣＴＳ−ｅデータフレーム送信部1３５は、上位層処理部1０４から受けとったデータを送信するためにフレームを生成し、フレーム送受信部1３１へ送出するものである。また、ＲＴＳ／ＣＴＳ−ｅデータフレーム送信部1３５は、後述するＲＴＳ／ＣＴＳの拡張方式（ＲＴＳ／ＣＴＳ−ｅ方式）のＲＴＳコマンドを生成し、フレーム送受信部1３１へ送出する。【００３２】
プローブ受信部1３６は、他の無線通信装置のプローブ要求を受けて、自己の属性や通信環境などの情報を生成し、要求元のノードへ応答するものである。このプローブ要求とは、要求先に対し、そのノードの属性や通信環境などの情報を要求するものである。【００３３】
プローブ送信部1３７は、周囲のノードへ属性や通信環境などの情報を要求するためのプローブ要求を生成し、周囲のノードへ送信するものである。また、プローブ送信部1３７は、プローブ要求先のノードからプローブ応答を受信したとき、応答としてプローブエンドを送信する。【００３４】
ここで、本発明に係る各種トーン信号とフレームについて説明する。まず、トーン信号の定義について述べる。ここでは、トーン信号とは、狭帯域信号の変調／無変調を問わず、決められた時間送信を続けることによって識別される電気信号を指す。例えば、ＢＴＭＡ（Busy-Tone Multiple Access）やＤＢＴＭＡ（Dual Busy-Tone Multiple Access）などのように信号を出している状態を周囲のノードに伝えるために使用されるビジートーンと構成が良く似ている。【００３５】
図３は、これらのトーン信号とフレームの送受信プロトコルを示すタイミングチャートである。【００３６】
図３において、スーパフレーム２２１は、エンドトーンスロット２２２とプローブスロット２２３とデータピリオド２２４とに分かれている。【００３７】
エンドトーンスロット２２２は、エンドトーン（ＥＮＤ）２０１、２０２が送受信される期間である。また、プローブスロット２２３は、ビギニングトーン１（ＢＴ１）（２０３）、ビギニングトーン２（ＢＴ２）（２０４）と、プローブ要求（ＰＢ）２１１、プローブ応答（ＰＲ）２１２、アクノリッジ（ＰＡＣＫ）２１３、及びプローブエンド（ＰＥ）２１４とが送受信される期間である。また、データピリオド２２４は、送受信トーン（ＳＲ）２０５、２０６とデータ２１５、ＡＣＫ／ＮＡＣＫ２１６が送受信される期間である。【００３８】
図４は、各トーン信号の長さを示す図である。すなわち、ビギニングトーン１の継続時間Ｔ２は、送受信トーンの継続時間Ｔ１の２倍であり、ビギニングトーン２の継続時間Ｔ３はビギニングトーン１の継続時間Ｔ２の２倍、エンドトーンの継続時間Ｔ４はビギニングトーン２の継続時間Ｔ３の２倍である。なお、ビギニングトーン２の継続時間Ｔ３は、エンドトーンの継続時間Ｔ４の１／２以下でなくてはならないが、それ以外は上記の比率である必要はなく、大小関係が守られていればよい。これは、ビギニングトーン２が２つ以上が同時に検出されても、ビギニングトーン２と判定しなくてはならないからである。なお、３つ以上のビギニングトーン２が直列に並んで２倍以上になることはごく稀であると判断される。【００３９】
たとえば、送受信トーンが１０マイクロ秒であると規定されている場合、狭帯域通信部1０２は、トーン信号を受信すると、継続時間が１０マイクロ秒未満のトーン信号を送受信トーンとして判定する。狭帯域通信部1０２は、１０マイクロ秒からビギニングトーン１の継続時間までのトーン信号をビギニングトーン１として判定する。さらに、狭帯域通信部1０２は、ビギニングトーン１の継続時間からビギニングトーン２の継続時間までのトーン信号はビギニングトーン２として判定し、それ以上の継続時間のトーン信号はエンドトーンであると判定する。【００４０】
次に、このように構成された無線通信装置について、以下にその動作、作用を説明する。【００４１】
初めに、スーパフレームの同期処理について説明する。【００４２】
図５は、スーパフレームの同期処理を説明するフロー図である。【００４３】
図５において、まず、時刻管理部１３２は、狭帯域通信部１０２から他ノードのエンドトーンの検出通知がないと（ステップＳ４０１）、自己のエンドトーンを送信する時刻であるか否かをチェックする（ステップＳ４０２）。【００４４】
自己のエンドトーンの送信時刻でない場合、ステップＳ４０１へ戻り、送信時刻である場合は、時刻管理部１３２が自己のエンドトーンの送信を狭帯域通信部１０２へ指示する。狭帯域通信部１０２は、これを受けて、エンドトーンを送信し（ステップＳ４０３）、後述するステップＳ４０８へ処理を移行する。【００４５】
一方、狭帯域通信部１０２が他ノードからのエンドトーンを検出すると、時刻管理部１３２へ通知する。時刻管理部１３２は、今回のエンドトーン検出が自己のエンドトーン出力以前であって、現エンドトーンスロット内で最初に通知されたものか否かをチェックする（ステップＳ４０４）。そして、最初でない場合は後述する再同期処理を行い（ステップＳ４０５）、処理を終了する。【００４６】
一方、最初に通知されたものである場合、時刻管理部１３２は、自己が管理するスーパフレーム周期の開始時刻を現在時刻に合わせる（ステップＳ４０６）。【００４７】
次に、時刻管理部１３２は、狭帯域通信部１０２からの通知が他ノードからのエンドトーンの終端を知らせるものであるか否かをチェックする（ステップＳ４０７）。【００４８】
狭帯域通信部１０２は、エンドトーンの終端でない場合、ステップＳ４０２へ戻り、終端である場合は、ステップＳ４０３へ移行し、自己のエンドトーンを送信する処理を行う（ステップＳ４０３）。また、エンドトーン送信の終了後、時刻管理部１３２は、自己のエンドトーンスロットの期間が終了しているかどうかの確認を行う（ステップＳ４０８）。もし、自己のエンドトーンスロットの期間が終了していれば、処理を終了する。自己のエンドトーンスロットの期間が終了していなければ、ステップ４０１へ戻る。【００４９】
このように、時刻管理部１３２は、エンドトーンの出力時刻を計測したときにエンドトーン２０１を送信するが、エンドトーンスロット２２２の範囲内に、周囲のノードから送信されたエンドトーン２０２を検出すると、自己のエンドトーン２０１との時間誤差を計測する。そして、時刻管理部１３２は、自己よりも早いタイミングで検出したエンドトーン２０２の開始時刻に自己のスーパフレームの終端時刻を合わせる。【００５０】
また、時刻管理部１３２は、周囲のノードも同じエンドトーンスロット２２２内にエンドトーンを送信するが、この中で最も早いエンドトーンを送信したノードのエンドトーン送信開始時刻にすべてのノードが自己のエンドトーンの開始時刻を合わせる。なお、他ノードの送信する最も早いエンドトーンを受信中に自己のエンドトーン送信開始時刻になれば、エンドトーンを送信するが、自己のエンドトーンの送信開始時刻より前にエンドトーンを受信完了した場合は、その時点で自己のエンドトーンを送信する。【００５１】
これにより、各ノードは、スーパフレームにおいて最も早いエンドトーンに同期することが可能となる。【００５２】
そして、時刻管理部1３２は、この同期されたスーパフレーム２２１の開始時刻を基準にして、プローブスロット２２３や、データピリオド２２４内のデータスロットのタイミングを計測する。なお、スーパフレームを６４ｍｓ、エンドトーンスロット２２２の長さを５１２マイクロ秒と定義したとすると、時刻管理部1３２は、エンドトーンスロット２２２の中間時点である２５６マイクロ秒経過時にエンドトーンを送信する。これは、自己のエンドトーン開始時刻がばらついても、他の無線通信装置のエンドトーンスロット２２２内に収まるようにするためである。【００５３】
次に、具体例をもって、このスーパフレームの同期動作を説明する。【００５４】
図６は、同一スーパフレームグループの各無線通信装置が、スーパフレーム周期を同期させる動作を示す図である。ここで、図中の楕円は、無線通信装置の通信可能エリアを示す。無線通信装置Ａ乃至無線通信装置Ｇは、互いに図のように隣接した状態にあるとする。なお、図６において、各無線通信装置の上段の信号が受信を示し、下段の信号が送信を示す。【００５５】
図６において、無線通信装置Ｂは、スーパフレーム周期のエンドトーン送出のタイミングでエンドトーン５０２の送信を行っているが、自己のエンドトーン５０２の送信よりも先に無線通信装置Ａのエンドトーン５０１を検出したので、自己の計測しているスーパフレーム周期の開始タイミングを無線通信装置Ａのスーパフレーム周期の開始タイミング５０１に合わせる。また、同様に無線通信装置Cは、自己のスーパフレームの開始時刻を無線通信装置Ｂのエンドトーン５０２に同期させる。これにより、無線通信装置Ｂや無線通信装置Ｃの遅延時間は、自己のスーパフレーム周期分の固有遅延時間に徐々に収束していく。【００５６】
無線通信装置Ｄ乃至Ｆについても同様に同期処理が行われ、自己の通信可能エリア内で最も早くエンドトーンを送信する無線通信装置のスーパフレームに同期する。【００５７】
無線通信装置Ｇのエンドトーン送信時刻５０３は、無線通信装置Ｆのエンドトーン５０４の送信した後であるので、無線通信装置Ｆがエンドトーン５０４を送信し終えた時刻から無線通信装置Ｇのエンドトーンを送信する。そして、次のスーパフレームにおいて、無線通信装置Ｇは、他の無線通信装置のスーパフレーム開始タイミングに追いつく。【００５８】
次に、他のスーパフレームグループと混在したときに行うスーパフレームの再同期処理について説明する。【００５９】
このスーパフレームの再同期処理は、無線通信装置が、スーパフレーム全体に対してエンドトーンの検出を行い、他のスーパフレームグループのエンドトーンを検出した場合、最も早くエンドトーンを送信した他のスーパフレームグループのスーパフレームに同期する処理である。【００６０】
図７は、無線通信装置６０１〜６０３が互いにスーパフレームグループを構成し、無線通信装置６０４〜６０６が別のスーパフレームグループを構成していることを示す図である。図７において、無線通信装置６０４と無線通信装置６０６は、無線通信装置６０３の通信可能エリアに入ってきている。【００６１】
このようなときに、無線通信装置６０３が、他のスーパフレームグループのエンドトーンをエンドトーンスロット外で検出すると、それを起点にして無線通信装置６０３と同一スーパフレームグループの無線通信装置が再同期処理を行い、最終的には無線通信装置６０１乃至６０６が同一のスーパフレームを共有することになる。【００６２】
図８は、スーパフレームの再同期処理をエンドトーン送受信終了時に開始するか否かを決定するフロー図である。【００６３】
図８において、再同期制御部１３３は、自己がスーパフレーム期間中に送受信スロットなどでエンドトーンを受信したかどうかをチェックする(ステップＳ７０１)。エンドトーンを受信していない場合、再同期制御部１３３は、自己が前回の再同期処理を終えてからスーパフレームの同期回数が所定回数（Ｎ回とする）以上のノードであり、かつ再同期を行うことを決定しているか否かをチェックする（ステップＳ７０２）。この同期回数は、多くすればそれだけスーパフレーム全体を受信待ちにする回数が減るので消費電力は低減するが、他のグループとの通信開始を遅らせることになる。一般的には１秒に一回程度となる同期回数が望ましい。そして、この条件を満足する場合、再同期制御部１３３は、他のノードと関係なく再同期用のエンドトーンを送信する（ステップＳ７０３）。この再同期用のエンドトーンとは、自己のスーパフレームグループのエンドトーン送信終了後、１０数マイクロ秒経過した時点で、再び送信するエンドトーンのことであり、他のノードに再同期処理を開始することを通知するものである。その後、再同期制御部１３３は、再同期処理を行う（Ｓ７０４）。ここで、再同期処理とは、スーパフレーム全体にわたって同期すべきエンドトーンの受信を行う処理のことである。この再同期用のエンドトーンを受信したが、まだスーパフレーム同期回数が所定回数Ｎ以上になっていないノードは、スーパフレーム回数をリセットして、再同期用エンドトーンを中継して再同期状態に入る。【００６４】
また、Ｓ７０１において、自己がスーパフレーム中に他のスーパフレームグループのエンドトーンを受信した場合には、再同期制御部１３３は、再同期用エンドトーンを送信する（ステップS７０３）。その後、速やかに同期するため、再同期処理に入る(ステップＳ７０４)。なお、再同期用エンドトーンを送信するまでの待ち時間は、上記の例では、１０数マイクロ秒であるが、これはエンドトーンの長さに依存するものである。通常、エンドトーンの３倍以上の時間に同じスーパフレームグループのノードがエンドトーンを送信することは無いので、この３倍の時間程度間を置いた後にスーパフレームを送信すればよい。しかし、あまり離れると違うスーパフレームグループのエンドトーンを間違って再同期エンドトーンと混乱する可能性があるので、その点を考慮する必要がある。【００６５】
図９は、他のスーパフレームグループを検知した無線通信装置が、再同期エンドトーンの送受信を行う動作を示す図である。図６と同様に無線通信装置Ａから無線通信装置Ｇが図のように隣接している。また、図９において、各無線通信装置の上段の信号が受信を示し、下段の信号が送信を示す。ここで無線通信装置Ｄが他のスーパフレームグループの存在を検知し、再同期用のエンドトーン８０１を送信する。周囲のスーパフレームグループの無線通信装置Ｃ、Ｅが受信した再同期用のエンドトーンを再同期用エンドトーン８０２、８０３により中継する。しかし、無線通信装置Aと無線通信装置Ｇは、その同期用エンドトーン８０４、８０５が中継されて届く前にエンドトーンスロットが終了してしまうため、無線通信装置Ａと無線通信装置Ｇは、再同期状態に入らない。【００６６】
しかし、無線通信装置Ａ、Ｇは、無線通信装置Ｂ乃至Ｆが同期して出力するエンドトーンに同期するように、次のスーパフレームで再同期用エンドフレームを送信することになり、全体としてひとつの同期タイミングに収束していく。【００６７】
以上がスーパフレームの再同期処理についての説明である。【００６８】
次に、データを送受信する動作について説明する。【００６９】
まず、ＲＴＳ／ＣＴＳ−ｅデータフレーム送信部1３５は、データフレームを生成後、フレーム送受信部1３１へデータフレームの送信を指示する。フレーム送受信部1３１はこれを受けると、狭帯域通信部１０２を介して送受信トーン２０５を送信する。フレーム送受信部1３１は、送受信トーン２０５を送信完了後、広帯域通信部１０１を介して広帯域信号でデータを送信する。【００７０】
これにより、フレームの待ち状態にあるノードは、常に狭帯域信号のみを待てばよく、常に広帯域信号を待つ状態に比べて小さな消費電力で待ち受けが可能となる。【００７１】
図１０は、このデータ送受信の動作を示す図である。【００７２】
無線通信装置Ａが、無線通信装置Ｂにデータフレームを送信してそのアクノリッジフレーム（ＡＣＫ）を受け取る。両者ともに狭帯域信号を自身が送信しているのでなければ受信待ち状態となる。無線通信装置Ａは、データ９０２送信前に送受信トーン（ＳＲ）９０１を送信し、これを受信した無線通信装置Ｂは広帯域通信の受信待ち状態に移行する（Ｓ９１１）。また、無線通信装置Ｂも同様に、送受信トーン（ＳＲ）９０３を送信した後にＡＣＫ９０４を送信する。この送受信トーンは、いかなるフレームであってもフレームの送信前に送信される。【００７３】
次に、周辺のノードの通信状態を取得するためのプローブ処理について説明する。【００７４】
無線通信装置は、通信を開始するにあたって、通信相手の存在や宛先を知る必要がある。また、送受信信号が他のノードからの通信信号と衝突しないようにするために、周囲のノードの存在を確認する必要がある。このため、本実施の形態では、プローブコマンドを用いて、周囲のノードの属性や、通信環境などを取得する。【００７５】
プローブスロット（Probe Slot）２２３は、プローブの送受信のみを行うことが可能であるが、必要に応じてダイナミックにその長さを変えることができる。もし、プローブ送信の要求がないのであれば、その時点でプローブスロットを終了することも可能である。しかし、プローブスロットでは、無線通信装置は、１スーパフレームで一組のプローブの送受信しかできないため、複数の要求が衝突する可能性がある。これを解消するためにビギニングトーン１（２０３、２０９）、ビギニングトーン２（２０４、２１０）を用いる。【００７６】
マルチキャストを行う場合には、通常次近接の位置にあるノードと衝突を覚悟して送信するが、ビギニングトーン１、２を使用すると衝突を回避するように各ノードが、プローブ要求元ノードとプローブ応答ノードと沈黙ノードに自己を分類する。【００７７】
図１１Ａは、要求側無線通信装置のプローブ処理を説明するフロー図であり、図１１Ｂは、応答側無線通信装置のプローブ処理を説明するフロー図ある。【００７８】
図１１Ａにおいて、まず、プローブ要求するノードのプローブ送信部1３７は、トーン信号のキャリアセンスを行い、それをクリアするとビギニングトーン制御部1３４へビギニングトーン１（ＢＴ１（２０３））の送信を指示する。ビギニングトーン制御部1３４は、エンドトーンスロットが終了した時点で狭帯域通信部１０２を介して、ビギニングトーン１（２０３）を送信する（ステップＳ１０１）。このとき、狭帯域通信部１０２は、ビギニングトーン１を送信する。そして、ビギニングトーン１を送信できたノードは、このプローブスロットにおいて広帯域通信部１０１を通電状態にし（ステップＳ１０２）、要求ノードとして動作する。【００７９】
一方、図１１Ｂにおいて、プローブ要求をしないノードの狭帯域通信部１０２は、トーン信号の受信状態にあるが、ビギニングトーン１を受信すると（ステップＳ１２１）、ビギニングトーン制御部１３４へ通知する。ビギニングトーン制御部1３４は、これを受けて、ビギニングトーン２（ＢＴ２（２０４））を送信する（ステップＳ１２２）。そして、このビギニングトーン１を受信したノードは、現在のプローブスロット２２３において広帯域通信部１０１に通電し駆動状態にして（ステップＳ１２３）、応答ノードとして動作する。なお、プローブ要求を予定していたノードの狭帯域通信部１０２は、ビギニングトーン１を受信すると応答ノードなり、ビギニングトーン１の送信を中止する。【００８０】
また、ビギニングトーン１を受信したノードから送信されたビギニングトーン２を受信したノードは（ステップＳ１３１）、そのプローブスロット２２３の間、広帯域通信部１０１を非通電状態に保ち、沈黙ノードとして動作する。【００８１】
次に、図１１Ａにおいて、要求ノードのビギニングトーン制御部1３４は、ビギニングトーン２の受信をチェックし（ステップＳ１０３）、受信を確認するとプローブ送信部1３７へ通知する。プローブ送信部1３７はこれを受けて、プローブ要求フレームをフレーム送受信部1３１へ送出する。フレーム送受信部1３１はこれを受けて、広帯域通信部１０１を通電状態にし、広帯域通信部１０１を介してプローブ要求（ＰＢ（２１１））を送信する（ステップＳ１０４）。【００８２】
一方、図１１Ｂにおいて、応答ノードの広帯域通信部１０１は、プローブ要求のフレームを受信すると（ステップＳ１２４）、そのフレームをフレーム送受信部1３１へ送出する。フレーム送受信部1３１は受信したフレームがプローブ要求であると判定すると、プローブ受信部1３６へ通知する。プローブ受信部1３６はこれを受けて、自己の属性や通信環境の情報を生成する（ステップＳ１２５）。そして、プローブ受信部1３６は、それらの情報を含むプローブ応答を送信するようにフレーム送受信部1３１へ送出する。フレーム送受信部1３１はこれを受けて、広帯域通信部１０１を介してプローブ応答（ＰＲ（２１２））を送信する（ステップＳ１２６）。【００８３】
このとき、フレーム送受信部1３１は、他の応答ノードから送信されるプローブ応答（ＰＲ（２１２））と衝突しないようにバックオフをかけてランダムなタイミングで応答する。このバックオフとは、衝突を検出したときに再送信を行うタイミングをさらにランダムに算出し、その算出時間経過後に再送する方式をいう。【００８４】
また、フレーム送受信部1３１は、プローブ応答２１２を広帯域通信で送信する前に、通常のフレーム送信と同様に、送受信トーン２０７を送信する。【００８５】
なお、沈黙ノードでは、広帯域通信部１０１が非通電状態にあるので、広帯域通信部１０１は、プローブ要求やプローブ応答を受信することはない。【００８６】
次に、図１１Ａにおいて、要求ノードの狭帯域通信部１０２は、送受信トーン２０７を受信した時点でこの送受信トーンを中継する。これにより、応答を開始した無線通信装置（応答ノード）とプローブ要求者を介して反対側にある応答ノードが、同時に応答プローブを送信し始めるのを抑制することができる。その結果、通常行うＲＴＳ／ＣＴＳによる衝突回避処理を大幅に短縮することが可能になる。【００８７】
その後、要求ノードの広帯域通信部１０１は、プローブ応答のフレームを受信すると（ステップＳ１０５）、フレーム送受信部1３１へ送出する。フレーム送受信部1３１は、受信したフレームがプローブ要求であると判定するとプローブ送信部1３７へ通知する。プローブ送信部１３７はこれを受けて、周囲のノードの属性や通信環境の情報として蓄積したり、更新したりする（ステップＳ１０６）。【００８８】
その後、プローブ送信部1３７は、プローブ応答に対する応答としてＡＣＫ、あるいはＮＡＣＫの送信をフレーム送受信部1３１へ指示する。フレーム送受信部1３１は、狭帯域通信部１０２を介して送受信トーン２０８を送出後、広帯域通信部１０１を介してＡＣＫ、あるいはＮＡＣＫフレームを送信する（ステップＳ１０７）。【００８９】
一方、図１１Ｂにおいて、応答ノードはこのＡＣＫ、あるいはＮＡＣＫの応答を受信すると（ステップＳ１２７）、プローブスロットの終了を通知するプローブエンドの受信待ち状態になる。【００９０】
また、このＡＣＫ、あるいはＮＡＣＫの応答を受信した他の応答ノードであって、プローブ応答を未送信のものは、バックオフのカウントダウンを再開する。そして、その応答ノードは、カウント完了後、プローブ応答の送信を行う（ステップＳ１２６）。【００９１】
一方、図１１Ａにおいて、プローブ要求ノードのプローブ送信部１３７は、プローブ要求の送信後カウント開始した最大バックオフカウントが完了するまでステップＳ１０５へ戻り（ステップＳ１０８）、他の応答ノードからの応答プローブの受信処理を行う。この最大バックオフカウントは、バックオフによる応答を考慮した、所定時間をカウントするものであり、プローブ送信部１３７はこの最大バックオフカウントが完了したときに、プローブスロットが終了したとみなす。なお、プローブ要求ノードのプローブ送信部１３７は、プローブ応答の受信している最中は、応答ノードと同じくカウントダウンを中止し、万一バックオフの途中で衝突が起こった場合には、新たに最大バックオフカウントをカウントダウンしはじめる。これにより応答ノードがもれなく応答できるような十分な時間を確保しつつ、応答するノードの数が少ないときには、これに応じて少ない時間待ちでプローブを終了することを可能にする。【００９２】
その後、プローブ要求ノードのプローブ送信部１３７は、プローブスロットの終了を通知するために、プローブエンドフレームを送信する。このとき、プローブ送信部１３７は、ビギニングトーン制御部１３４に再度ビギニングトーン１の送信を指示する。ビギニングトーン制御部１３４は、ステップＳ１０１と同様にしてビギニングトーン１（２０９）を、狭帯域通信部１０２を介して送信する（ステップＳ１０９）。これにより、２ホップ圏内の沈黙ノードが通常の送受信モードに戻ることができる。【００９３】
そして、ステップＳ１０３と同様に、ビギニングトーン制御部１３４がビギニングトーン２（２１０）を受信すると（ステップＳ１１０）、プローブ送信部１３７は、フレーム送受信部１３１へプローブエンドの送信を指示する。フレーム送受信部１３１は、これを受けて、広帯域通信部１０１を介してプローブエンド（ＰＥ（２１４））を送信し（ステップＳ１１１）、このプローブスロットを終了させる。【００９４】
他方、図１１Ｂにおいて、応答ノードのビギニングトーン制御部１３４は、ビギニングトーン１を受信すると（ステップＳ１２８）、ビギニングトーン２を送信し（ステップＳ１２９）、送信完了後、フレーム送受信部１３１がプローブエンド（２１４）を受信して（ステップＳ１３０）、プローブスロットの終了とみなす。このように、プローブ処理が行われたとき、１ホップ圏内で二つ以上のノードがビギニングトーン１を送信すると、キャリアセンスによりどちらか一方が送信できて、一方は受信待ちになる。【００９５】
次に、具体例をもって、プローブ動作を説明する。【００９６】
図１２は、無線通信装置Ａ乃至Ｄが２ホップ内に位置したときのビギニングトーン１、２の送受信動作を示す図である。【００９７】
図１２Ａにおいて、無線通信装置Ａと無線通信装置Ｄがプローブ要求をするノードであるとする。このとき、図１２Ｂに示すように、無線通信装置Ａが最初にビギニングトーン１（１１０１）を送信し、そのビギニングトーン１の送信完了後、無線通信装置Ｄがビギニングトーン１を送信しようとしてキャリアセンスする。この場合、無線通信装置Ｂ、Ｃが既に無線通信装置Ａからのビギニングトーン１（１１０１）に対して、ビギニングトーン２（１１０２）を送信しているため、無線通信装置Ｄは、キャリアセンスしている間もしくはキャリアセンスする前にビギニングトーン２（１１０２）を受信するので、自己を沈黙ノードにする。従って、無線通信装置Ａは、プローブ要求の送信権を得ることになる。【００９８】
次に、図１２Ｃに示すように、無線通信装置Ａによるビギニングトーン１の送信と無線通信装置Ｄによるビギニングトーン１の送信とがビギニングトーン１の継続時間以下のずれで送信されたとき、無線通信装置Ｂ、Ｃはビギニングトーン１の継続時間よりも長く、エンドトーンの継続時間よりも短いトーン信号１１１０を受信することになる。このため、無線通信装置Ｂ、Ｃは、受信したトーン信号をビギニングトーン２と判断する。従って、無線通信装置Ｂ、Ｃは沈黙ノードとなり、現在のプローブスロットでは応答を行わない。無線通信装置Ｂ、Ｃは、プローブ処理に参加できないが、沈黙ノードとなることで無線通信装置Ａ、Ｄの通信を邪魔することはない。【００９９】
このように、本発明のビギニングトーン１、２を用いたプローブ処理により、各無線通信装置は、プローブスロットにおいて、それぞれ適正なノード（要求ノード、応答ノード、および沈黙ノード）になることができる。【０１００】
次に、３ホップ圏内で二つ以上のノードがプローブ要求を行うときの動作を説明する。【０１０１】
図１３は、無線通信装置Ａ乃至Ｅが３ホップ内に位置したときのビギニングトーン１、２の送受信動作を示す図である。【０１０２】
図１３Ａにおいて、無線通信装置Ａ、Ｅがプローブ要求をするノードであるとする。このとき、図１３Ｂに示すように、無線通信装置Ａが最初にビギニングトーン１（１２０１）を送信し、そのビギニングトーン１が送信完了する前のタイミングで無線通信装置Ｅからビギニングトーン１（１２０３）を送信している。この場合、無線通信装置Ｂ、Ｃは、無線通信装置Ａからのみビギニングトーン１（１２０１）を受信するので、それに対してのビギニングトーン２（１２０２）を送信する。このため、無線通信装置Ｄは、無線通信装置Ｅからのビギニングトーン１（１２０３）を受信中にビギニングトーン２（１２０２）を受信開始することになるので、ビギニングトーン１の継続時間よりも長く、エンドトーンの継続時間よりも短いトーン信号１２１０を受信することになる。このため、無線通信装置Ｄは、受信したトーン信号をビギニングトーン２と判断し、沈黙ノードとなる。【０１０３】
このように、本発明のプローブ処理によれば、複数のプローブ処理がほぼ同時に発生しても、一方のプローブ処理を成功させ、他方のプローブ要求ノードを沈黙させることで、両者のプローブ要求を衝突なしに円滑に進めることができる。【０１０４】
なお、プローブ要求は、プローブスロットに一つだけ実行されるが、沈黙ノードはビギニングトーン２を複数受信する場合もある。この場合、沈黙ノードは、ビギニングトーン２を受信した回数分だけ、プローブエンドを送信する前のビギニングトーン２の受信がなければ通常の待機状態に戻ることはできない。何らかの理由で２つのビギニングトーン２の受信がなかったときには、沈黙ノードは最大バックオフカウント時間の間、沈黙し続けることになる。【０１０５】
以上の説明をまとめて、図１４と図１５に示す。【０１０６】
図１４と図１５は、トーン信号を受信した場合の本発明にかかる無線通信装置の動作を表したものである。【０１０７】
図１４、図１５において、各行はスーパフレームのスロットを示し、各列に受信するトーン信号を記している。例えば、プローブスロットでビギニングトーン１をプローブ要求受信前に受信したときには、ビギニングトーン２を送信して、プローブ要求を受信するために広帯域信号の同期を開始することを示している。【０１０８】
また、本発明によれば、送受信を行うもののみがビーコンなどの管理コマンドのフレームを送信するように制限したＭＡＣプロトコルとすることもできる。すなわち、送受信を行っていないものは、スリープ状態モードとしてビーコンなどを送信する必要がない。【０１０９】
さらに、本実施の形態における、ＲＴＳ／ＣＴＳは、従来のＲＴＳ／ＣＴＳを拡張した方式（ＲＴＳ／ＣＴＳ−ｅ方式）である。【０１１０】
ＲＴＳ／ＣＴＳ方式では、本来無線通信装置がそのコマンドフレームを送信した直後の帯域を使用してデータを送信するが、本実施の形態においては、指定可能な時間（例えば、６４ｍｓ）までの時間を指定してデータ送信時間帯を予約する。これにより、ＴＤＭＡの時間予約の代わりとなる。【０１１１】
また、無線通信装置が連続して予約する場合、次回のＲＴＳ／ＣＴＳ−ｅ交換用のスロットも予約する。これにより、アイソクロナス通信などにも対応が可能になる。【０１１２】
本実施の形態において、ＲＴＳ／ＣＴＳ−ｅ方式は、４ウェイのハンドシェイク方式である。すなわち、最初のハンドシェイクで、相手方の空時間を確かめ、次のＲＴＳ／ＣＴＳ−ｅのハンドシェイクで実際の送信時間を確定し周囲に通知する。【０１１３】
このような４ウェイ方式を取るのはＮＡＶ（Network Allocation Vector）で他の無線通信装置のＲＴＳ／ＣＴＳ−ｅの更新を抑えることにより、現時点での最新の相手方のスケジュールを確かめられるからである。【０１１４】
予約時刻の指定方法は、実時間指定の方法と同期タイミングにそったスロット指定の方法とがある。スロット指定方法の場合には、自己の次のスーパフレーム周期の開始時刻までの時間を付加することで、他のスーパフレームグループと衝突した場合にも、スロット位置の判定が可能になる。そして、その他のスーパフレームグループのスロットに対応する、自己のスーパフレームのスロット位置を使用禁止にすることにより、他のスーパフレームグループとの衝突も回避できる。【０１１５】
このように、スロット指定方法は、実時間指定方法に比べ通信するデータ量を少なくできる反面、必要以上の時間を占有してしまう可能性がある。しかしながら、指定方法はどちらの方法でも構わない。【０１１６】
また、ミリ波ＵＷＢを使用することにより指向性を利用することが可能である。すなわち、フレーム送受信部１３１が一連のトーン信号やＲＴＳ／ＣＴＳフレームを無指向性の電波で送信する。その後、フレーム送受信部１３１は、実際のデータやＡＣＫなどの送信を、ＲＴＳ／ＣＴＳを受信したときの電波の到来方向を予測し、実際にデータを送信する際には、予測された到来方向に対して指向性の電波を向けて送信もしくは受信する。【０１１７】
図１６は、無線通信装置がＲＴＳ／ＣＴＳを無指向性の電波で送信し、データ交換をＲＴＳ／ＣＴＳの到来方向を推定した場合の衝突回避を説明する図である。【０１１８】
図１６において、無線通信装置ＤがＲＴＳを無指向性の電波で送信しているときに、無線通信装置Ｂが無線通信装置Ａに指向性の電波でデータを送信すれば、無線通信装置Ｂの通信エリア１３０２が無線通信装置Ｃを含まない。このため、無線通信装置Ｃへはデータの電波１３０１が届かず、ＲＴＳの受信を邪魔することはない。【０１１９】
このように、送受信を行う無線通信装置の他は、ビーコンもしくはＲＴＳ／ＣＴＳ−ｅの交換を行わないことにより、モビリティ環境における無駄な送受信を回避することができる。さらに、常に周囲の無線通信装置を確認しながら、随時通信を開始することも可能になる。【０１２０】
なお、本実施の形態のトーン信号は、継続時間の相違により各トーンを識別していたが、これに限らず、周波数の違い、電界強度の大小、電界強度の時間的変動、あるいは間欠信号のパターンなどによっても同様の効果を得られる。【０１２１】
以上のように本発明によれば、ビーコンの代わりにトーン信号を使用することで、無線通信装置は、モビリティ環境下での頻繁なビーコンの整列を行うことなしに、スーパフレーム内の時刻調整が可能になる。これにより、無線通信装置は、プローブ要求と応答を最小時間で他の無線通信装置と行うことができる。また、通信する無線通信装置のみが広帯域通信部を通電状態にすればよいので、多くの時間をスリープ状態にすることが可能となる。【０１２２】
また、本発明の無線通信装置は、狭帯域信号であるトーン信号が、コマンドやデータを通信する広帯域信号を送信する前に送信されるので、狭帯域信号のみを受信待ち状態にしておけば良い。このため、無線通信装置は、広帯域信号に常時通電する場合に比較して、待機時の消費電力を低く抑えることが可能になる。【０１２３】
（実施の形態２）
本実施の形態における無線通信装置は、周囲のノードにくまなく指向性アンテナでプローブ要求を送信したり、あるいは応答を返すものである。本実施の形態における無線通信装置の構成は、実施の形態の構成１における構成と同一であるが、指向性アンテナの通信範囲は、プローブ要求フレームの到達範囲の全ノードが互いに通信可能であるようなエリアである必要がある。例えば、図１７に示すように、指向性アンテナの到達範囲が半径ｒのエリアとしたとき、アンテナの向いている方向でｒ／２の地点を中心とする半径ｒ／２の円内にある任意のノードＢ、Ｃは互いに送受信可能な状態になる。このような配置にある各無線通信装置がプローブ要求を出した場合には、その応答が通常のキャリアセンスで衝突回避できる。【０１２４】
なお、本実施の形態における無線通信装置は、いろいろと向きの変わる移動通信端末よりも、常に向きが固定されているアクセスポイントに適している。【０１２５】
このように構成された無線通信装置のプローブ要求と応答の動作について以下に説明する。【０１２６】
本実施の形態におけるプローブ要求・応答動作は、プローブ要求ノードが周囲のすべてのノードにビギニングトーン１を送信した後に、セクタ毎にプローブ要求を行う点が実施の形態１の動作と異なる。【０１２７】
まず、プローブ要求ノードは、通常のプローブと同じようにビギニングトーン１を送信する。一方、応答ノードはビギニングトーン２を送信する。そして、プローブ要求ノードは、セクタプローブであることを宣言して、プローブ要求が開始したことを通知する。次に、プローブ要求ノードは、各セクタに指向性を絞った状態で、送受信トーンのみを送信する。このようなデータのない送受信トーンを受信した周囲の応答ノードは、バックオフカウンタを走らせてランダムにその応答を返答する。また、プローブ要求ノードは、各セクタに割り振られる最大バックオフ時間を計測し、すべてのセクタをサーチすると再びビギニングトーン１を送信した後、プローブエンドを送信する。【０１２８】
以上のように本発明によれば、セクタプローブは、通常のプローブに比べ送信する範囲を狭めることが特徴で、これによりキャリアセンスのみで衝突の可能性をなくすことができる。また、通信範囲が狭いので最大バックオフカウント数などを制限できるため、プローブ応答がより高速に収束する可能性もある。【０１２９】
なお、セクタプローブも、通常のプローブ要求と同様にプローブスロットに一つだけ実行されるが、沈黙ノードは、ビギニングトーン２を複数受信する場合もある。この場合、沈黙ノードは、ビギニングトーン２を受信した回数分だけ、プローブエンドを送信する前のビギニングトーン２の受信がなければ、通常の待機状態に戻ることはできない。何らかの理由で２つのビギニングトーン２の受信がなかったときには、沈黙ノードは最大バックオフカウントの間、沈黙し続けることになる。【０１３０】
（実施の形態３）
本実施の形態における無線通信方法は、実施の形態１と同様、送受信トーンとエンドトーンを用いるが、ビギニングトーン１、２を使用しない点が異なる。【０１３１】
図１８は、本実施の形態におけるスーパフレームのトーン信号とフレームを説明するタイミングチャートである。【０１３２】
図１８において、スーパフレーム１５０１は、エンドトーンスロット１５０２と送受信ピリオド１５０３のみから構成される。また、トーン信号は、エンドトーン１５１１と送受信トーン１５１３の２つのみであり、エンドトーンを送信した後の特別な時間帯であるエンドトーン再同期スロット１５０４において送信する送受信トーン１５１２を、特にプローブトーンいう。【０１３３】
送受信トーンは、送受信ピリオド１５０３で受信した場合、実施の形態１と同じく広帯域信号によるコマンドやデータフレームが送受信されることを通知する。しかし、エンドトーンスロット内でエンドトーン受信後に受信した送受信トーン１５１２は、次のスーパフレームの間、広帯域信号を受信待ちにして、ＲＴＳ／ＣＴＳ−ｅコントロールフレームを収集することを通知する。そして、無線通信装置は、コントロールフレームの収集した次のスーパフレームにおいて、プローブ応答をランダムなタイミングで送信する。【０１３４】
また、エンドトーンについては、実施の形態１と同一の処理となる。【０１３５】
図１９は、本実施の形態における無線通信装置の構成を示す構成図である。本実施の形態は、実施の形態１において図２で示した構成とは、ビギニングトーン制御部1３４の代わりに、プローブトーン制御部１６１を有している点が異なる。【０１３６】
プローブトーン制御部１６１は、他の無線通信装置からのプローブトーン信号を受信したとき、フレーム送受信部1３１に対してそのスーパフレームの間でＲＴＳ／ＣＴＳ−ｅフレームの受信を行うように指示するものである。また、プローブトーン制御部１６１は、プローブ送信部1３７が上位層処理部１０４から周囲の状況の問い合わせを受けたときに、プローブ送信部1３７からプローブトーンを送信するように指示される。そして、プローブトーン制御部１６１は、エンドトーンに引き続いて送受信トーン、すなわちプローブトーンを狭帯域通信部１０２に送信させる。【０１３７】
以上の構成を有する無線通信装置が、プローブ要求とその応答を行う動作について以下に説明する。【０１３８】
図２０Ａは、プローブ要求元の無線通信装置の動作フローであり、図２０Ｂはプローブ応答する無線通信装置の動作フローである。【０１３９】
図２０Ａにおいて、まず、プローブ送信部1３７が上位層処理部１０４から周囲の状況の問い合わせを受けるとプローブ要求発生と認識し（ステップＳ１７０１）、プローブトーン制御部１６１にプローブトーンを送信するように指示する。プローブトーン制御部１６１は、これを受けて、エンドトーンの送信に引き続いて（ステップＳ１７０２）、送受信トーン１５１２、すなわちプローブトーンを狭帯域通信部１０２を介して送信する（ステップＳ１７０３）。【０１４０】
その後、時刻管理部1３２がエンドトーンを送信し、広帯域通信部１０１に通電した後、プローブ応答フレームの受信待ち状態になる（ステップＳ１７０４）。そして、広帯域通信部１０１がプローブ応答フレームを受信すると、フレーム送受信部1３１は、取得した送信元無線通信装置の属性や通信環境などの情報を蓄積したり、更新したりする（ステップＳ１７０５）。【０１４１】
次に、ＲＴＳ／ＣＴＳ−ｅデータフレーム送信部1３５は、自己の属性とあった通信相手であれば、送受信を開始するために、ＲＴＳ−ｅコマンドとデータ送信開始までの時間予約情報を送信する（ステップＳ１７０６）。【０１４２】
その後、予約時間経過すると（ステップＳ１７０７）、ＲＴＳ／ＣＴＳ−ｅデータフレーム送信部1３５は、データフレームを送信する（ステップＳ１７０８）。なお、ステップＳ１７０５乃至Ｓ１７０８については、複数の無線通信装置からプローブ応答を受信することにより、並行して処理が行われる。【０１４３】
一方、図２０Ｂにおいて、無線通信装置はプローブトーンを受信すると（ステップＳ１７２０）、応答ノードとなり、広帯域通信部１０１に通電する（ステップＳ１７２１）。そして、広帯域通信部１０１がそのスーパフレームの間、広帯域信号の受信待ち状態となり、他の無線通信装置が送信したＲＴＳ／ＣＴＳ−ｅフレームを受信する（ステップＳ１７２２）。【０１４４】
そして、時刻管理部1３２がエンドトーンを受信し（ステップＳ１７２３）、次のスーパフレームになると、プローブ受信部1３６がプローブ応答するための属性や通信環境などの情報を生成し、フレーム送受信部1３１へプローブ応答の送信を指示する。フレーム送受信部1３１は、送受信ピリオドでバックオフカウントし、空きのスロットにおいて、プローブ応答フレームを送信する（ステップＳ１７２４）。【０１４５】
このように本発明によれば、プローブ応答ノードは、ＲＴＳ／ＣＴＳ−ｅの受信を、ＲＴＳ／ＣＴＳ−ｅで予約できる最大時間である１スーパフレーム分の間収集済であるので、プローブ要求ノードとプローブ応答ノードとが即座にＲＴＳ／ＣＴＳ−ｅシーケンスを開始できる。また、本実施の形態における無線通信方法は、プローブスロットを設けないので、その時間もデータの送受信に使用できる。さらに、ビギニングトーンを使用しないので、エンドトーンを短くすることも可能となる。【０１４６】
なお、本実施の形態では、トーン信号は継続時間の相違により各トーンを識別していたが、これに限らず、周波数の違い、電界強度の大小、電界強度の時間的変動、あるいは間欠信号のパターンなどによっても同様の効果を得られる。【０１４７】
（実施の形態４）
本実施の形態における無線通信装置は、実施の形態３の無線通信方法を行うＭＡＣプロトコルを実装した、モバイルファイル交換装置である。また、交換するファイルは音楽ファイル、動画ファイル、およびゲームソフトである。【０１４８】
図２１は、本実施の形態におけるモバイルファイル交換装置の構成図である。【０１４９】
図２１において、モバイルファイル交換装置は、タッチパネルディスプレイ１８０１、音声端子１８０２、画像入出力コマンド受付部１８０３、音声入出力音声コーデック１８０４、メインＣＰＵ１８０５、ハードディスク装置１８０６、ＭＡＣインタフェース用メモリ１８０７、外部メディア部１８０８、広帯域通信部１０１、狭帯域通信部１０２、ＭＡＣ制御部１０３、およびアンテナ１０５を有している。【０１５０】
広帯域通信部１０１、狭帯域通信部１０２、ＭＡＣ制御部１０３、およびアンテナ１０５は、実施の形態２に記載のものと同一である。【０１５１】
以下に、モバイルファイル交換装置の動作を説明する。【０１５２】
初めに、音楽ソフト、画像ソフト、ゲームソフトの再生動作について説明する。【０１５３】
まず、ユーザは、自身が使用したいソフトを外部メディア部１８０８からインストールして、ハードディスク装置１８０６に保存する。その後、タッチパネルディスプレイ１８０１から入力されたコマンドは、画像入出力コマンド受付部１８０３で複数の信号に変換された後、メインＣＰＵ１８０５に通知される。【０１５４】
音楽再生のコマンドが入力された場合は、メインＣＰＵ１８０５が音声入出力音声コーデック１８０４に指示してハードディスク装置１８０６から、音楽ソフトをデコードして音声端子１８０２より出力する。【０１５５】
動画像やゲームを行うコマンドが入力された場合には、メインＣＰＵ１８０５が音声再生に加えて、画像入出力コマンド受付部１８０３を介してタッチパネルディスプレイ１８０１に動画も表示する。【０１５６】
次に、音楽ソフト、画像ソフト、ゲームソフトを他のモバイルファイル交換装置とファイル交換する動作について説明する。【０１５７】
まず、ファイル交換を始めるにあたってミリ波ＵＷＢ（広帯域通信）の通信手順を開始するため、ＭＡＣ制御部１０３はメインＣＰＵ１８０５から起動命令を受けると、狭帯域通信部１０２にエンドトーンをサーチさせる。そして、狭帯域通信部１０２がエンドトーンを検知したとき、最初に検知したエンドトーンに同期させる再同期処理を開始する。【０１５８】
次に、ＭＡＣ制御部１０３は、プローブトーンを受信すると、狭帯域通信部１０２がプローブレスポンスを送信するためにＲＴＳ／ＣＴＳ−ｅコントロールフレームの受信待ち状態になる。そして、広帯域通信部１０１は、１スーパフレーム後のスーパフレームにてランダムにレスポンスを送信する。【０１５９】
次に、狭帯域通信部１０２は、N回に一回エンドトーンの再同期のためのエンドトーンを送信する。回数Ｎは、スーパフレーム周期の時間にもよるが、1〜２秒周期となるような回数が適している。新規にスーパフレームグループに加入したノードは、加入したタイミングから、また、他のノードは前回のスーパフレームグループの再同期処理の実行からの回数を数える。これらのノードは、再同期処理の間はエンドトーンの受信待ちとなり、新しいエンドトーンを受信したときのタイミングで同期する。【０１６０】
所定回数のエンドトーンの内に1回もプローブトーンを送受信しなかった場合や、エンドトーンの再同期処理により新たなスーパフレームグループに加わったときには、各ノードは、プローブトーンを送信する。プローブトーンを受信した各ノードは、再同期処理を行いつつ、ＲＴＳ／ＣＴＳ−ｅフレームを受信する。そして、プローブトーンを受信した各ノードは、1スーパフレーム受信待ちした後、ランダム時間経過後にプローブ応答を送信する。但し、各ノードがプローブ応答を送信するのはプローブトーンを送信した次のスーパフレームの間である。【０１６１】
次に、プローブ要求ノードは、応答のあったノードの属性リストを確認して、音楽ソフト交換、動画像交換、およびゲームソフト交換のそれぞれの属性を応答したものに対して、差分交換、すなわち一方が所有していて、他方が所有していないソフトのみを交換する。このため、交換を開始したノードは、まず自己の交換可能なソフトのＩＤの一覧を送信する。そして、交換を提示されたノードは、受信した一覧に対して、自己の交換可能なソフトのＩＤの一覧を送信すると共に、自己が所有していないで、ここ数ヶ月の間に交換経験の無い、相手ノードの持っているソフトの転送要求を出す。【０１６２】
ファイル交換要求を起動したノードは、これに基づいてソフトの転送に応じるとともに、自己の転送要求を応答側に求める。ファイルの交換処理は、交互に所定量、例えば５０ＭＢのファイルずつ転送する動作を繰り返し、相手ノードが近隣のノードでなくなるか、あるいは転送が終了するまで継続する。そして、必要であれば、要求ノードは、ＲＴＳ／ＣＴＳ−ｅフレームの再交換により、転送時間を更新する。【０１６３】
図２２は、モバイルファイル交換装置が管理する音楽ソフトのファイルリストである。【０１６４】
図２２において、各音楽のＩＤは、ＴＯＣ（Table of Content）１９０１とトラック番号１９０４で識別する。タイトル名１９０２とアーティスト名１９０３は、ユーザ入力もしくは、アクセスポイント経由のＣＤＤＢ（ＣＤの曲目のデータベース）による入力となる。これらはユーザ情報でありファイル交換動作に直接関係しない。【０１６５】
ＣＤあるいはインターネットなどから取得した音楽ファイルは、外部メディア部１８０８によりハードディスク装置１８０６にコピーされる。このときのメディアフラグ１９０５はオン、シャドウフラグ１９０６はオフで、期限１９０７は無限大である。そして、他のモバイルファイル交換装置とのメディア交換時に送信する一覧には、メディアフラグ１９０５がオンとなっているもののみを記載する。交換されたソフトも、メディアフラグ１９０５がオン状態の曲として自己のファイルリストに残るが、期限が設定される。例えば、シャドウ化期限として１００日としたとき、１００日経過しても一度も再生されないものはシャドウファイル化される。ここで、シャドウファイルとは、ユーザからファイルの存在を認識できるが再生できないファイルをいう。但し、メディアフラグ１９０５がオンであって、実際にハードディスク装置１８０６に音楽ファイルが存在するので、自己の交換ファイルのひとつとして取り扱うことができる。【０１６６】
ファイルは、シャドウ化期限を過ぎるか、あるいは再生可能な回数分再生され終わるとシャドウファイル化され、新たな期限が設定される。そして、これを削除期限として新たに１００日が設定される。この期間を過ぎると、ハードディスク装置１８０６から音楽ファイルソフトが削除される。このとき、ファイルリストにはメディアフラグ１９０５がオフ、シャドウフラグがオンのエントリーが再エントリー抑制期限を設定されて残される。この再エントリー抑制期限とは、既に音楽ファイルは無いが一旦試聴を行ったファイルを再度エントリーさせることを制限するものであり、これにより、同じファイルが何度も聞けるような状態を防ぐことができる。そして、再エントリー抑制期限が過ぎるとエントリー自体が消え、再エントリーが可能となる。【０１６７】
また、数多く交換されるファイルの内、例えば、ジャンルを指定したり、聞ける音楽フォーマットを制限して、より好みに合ったものだけを選定することも可能である。好みの違うファイルは、たちまちシャドウファイル化され、ユーザの目に付くことなく期限が過ぎれば削除される。【０１６８】
また、ユーザがそのメディアを外部メディア部１８０８から他の機器にコピーする場合には、メインＣＰＵ１８０５はメディアフラグがオンであることを確認した上で、ミリ波ＵＷＢのアクセスポイントを移動して探す。あるいは、ユーザは、ミリ波ＵＷＢで中継可能な携帯電話からＩＰ網に接続し、電子商取引を用いて認証・課金が行なわれたことを確認後、ファイルリストに期限無限大のエントリーを作成する。そして、メインＣＰＵ１８０５は、シャドウフラグ１９０６をオフにして、ハードディスク装置内のソフトファイルを外部メディアにコピーする。なお、外部メディアから自己のモバイルファイル交換装置に購入済のソフトをインストールする場合も、課金は必要ないが認証は必要である。それは、流布したくないソフトの交換が可能になってしまうからである。【０１６９】
また、ミリ波ＵＷＢでＩＰネットワークに中継するときは、ＩＰ処理をアクセスポイント、あるいは携帯電話などで終端することが好ましい。そうでなければ、ミリ波ＵＷＢは、ＩＰアドレスを割り振ることになるが、通常のＩＰｖ４で行われるプライベートアドレスでは、移動通信のときに混乱の原因になってしまうからである。しかしながら、アクセスポイントごとにネットワークアドレスを使用するのではアドレスの非効率割り当てになってしまうので、ＩＰｖ６を使用するか、あるいはミリ波ＵＷＢのリンク上にはＴＣＰ／ＩＰ以上のデータをやり取りするように構成するのが好ましい。【０１７０】
なお、上記の実施例では、交換するファイルを音楽ファイルに限定して説明したが、動画像ファイルやゲームソフトのファイル交換も同様にして管理することができる。【０１７１】
また、ソフトの一覧を交換するときに、ファイルリストの期限が無限大（即ち購入済）の情報も交換すると、周辺のユーザが購入済のソフトのランキングを作成することができる。これは、ユーザにとって購入の手助けとなり得る。また、そのランキング表にソフトのお勧めなどのコメントを入れるようにしても良い。【０１７２】
さらに、モバイルファイル交換装置自身の制御ソフトウェアをモバイルファイル交換装置がファイル受信すれば、自動的にアップデートすることも可能である。この場合、ファイルに優先度を示すフラグなどを付加することにより、優先的にファイル交換できるようにするのが好ましい。【０１７３】
（実施の形態５）
図２３は、本実施の形態におけるモバイルファイル交換装置の構成図である。実施の形態４におけるモバイルファイル交換装置の構成とは、単方向指向性アンテナ２００１をさらに有する点が異なる。【０１７４】
このアンテナ２００１はユーザが通信したい相手を視覚的に認識しながらファイル交換を行いたい場合に用いる。【０１７５】
図２４は、モバイルファイル交換装置がアクセスポイントに接続する際のシーケンス図である。【０１７６】
モバイルファイル交換装置２１０２は、アクセスポイント２１０１に向けてプローブ要求コマンドをタッチパネルから入力されると、モバイルファイル交換装置２１０２はプローブトーンを自己のエンドトーンのタイミングで送信する。このとき、他のモバイルファイル交換装置２１０３がエンドトーンを送信すると、モバイルファイル交換装置２１０２はこれに再同期して再度プローブトーンを送信する。【０１７７】
次に、プローブトーンによってスリープからさめたアクセスポイント２１０１は、プローブ応答を送信する。【０１７８】
次に、モバイルファイル交換装置２１０２はこのプローブ応答で送信されてきた、アクセスポイント２１０１の属性情報などをタッチパネルディスプレイ１８０１に表示する。例えば、「アクセスポイント・音楽ファイル交換」というように表示される。【０１７９】
次に、ユーザは、そのアクセスポイントを選択すると、あとはインターネットのハイパーテキスト（ｈｔｔｐ）などを利用したデータ交換により、タッチパネルディスプレイの表示が変更され、例えば「接続」などのコマンド入力を行う。このとき、例えば、音楽ソフトの課金が行われる。【０１８０】
以上のように、本実施の形態におけるモバイルファイル交換装置によれば、対象のノードに対して物理的にアンテナを向けるといった限定により、要求ノードが通信を開始できるので、誤って相手ノードを指定することを防止できる。【０１８１】
また、複数のモバイルファイル交換装置が指定した方向に存在していて、応答が複数ある場合は、プローブ応答の到来方向の推定により各プローブ応答の到来方向のずれを平面図でディスプレイに表示する。これにより、ユーザは、多くのプローブ応答の中でどのモバイルファイル交換装置を選択するかを決定することが容易になる。【０１８２】
（実施の形態６）
図２５を参照して、実施の形態６の構成を説明する。図２５は、本実施の形態における無線通信装置の信号通信部２５００の構成を示すブロック図である。【０１８３】
本実施の形態における無線通信装置は、実施の形態１と比較すると、広帯域通信部１０１および狭帯域通信部１０２の部分が分離した２つの独立したブロックではなくて、一体化した一つのブロックである信号通信部２５００を備えて構成されている点が異なる。実施の形態１におけるＭＡＣ制御部１０３等の、広帯域通信部１０１および狭帯域通信部１０２以外の部分に相当する本実施の形態の構成および動作は、実施の形態１の構成および動作と同一であり、説明を省略する。【０１８４】
信号通信部２５００は、トーン信号通信部２５１０、データ信号通信部２５２０および搬送波信号源２５０２から構成される。トーン信号通信部２５１０は、フィルタ２５１２、送受切り替えスイッチ２５１４、周波数変換器２５１６、周波数変換器２５１８およびトーン信号制御部２５１９を備える。同様にデータ信号通信部２５２０は、フィルタ２５２２、送受切り替えスイッチ２５２４、復調器２５２６、変調器２５２８およびデータ信号制御部２５２９を備える。【０１８５】
トーン信号通信部２５１０は、送信時にはＭＡＣ制御部１０３から入力したトーン信号の制御信号から所定の長さをもつトーン信号を生成し、周波数変換して分配器２５３０へ出力する。尚、トーン信号の制御信号とは、図４のような所定の長さをもつトーン信号そのものではなく、いわばどのトーン信号であるかを示す論理的なトーン信号を意味する。実施の形態１乃至５では、単にトーン信号ということがある。また、トーン信号通信部２５１０は、受信時には分配器２５３０から入力したトーン信号を周波数変換してトーン信号の制御信号に変換して、ＭＡＣ制御部１０３へ出力する。【０１８６】
なお、トーン信号は、ベースバンドトーン信号の発生を制御する「トーン信号制御信号」、振幅や位相等の変調を行なうことのない「トーン信号」、トーン信号に搬送波周波数を乗じて生成した「搬送波と重畳したトーン信号」をそれぞれ意味する。【０１８７】
フィルタ２５１２は、送信時には送受切り替えスイッチ２５１４から入力したトーン信号を所定の周波数に帯域制限して、分配器２５３０へ出力する。フィルタ２５１２は、受信時には分配器２５３０から入力したトーン信号を所定の周波数に帯域制限して、送受切り替えスイッチ２５１４に出力する。【０１８８】
送受切り替えスイッチ２５１４は、送信時には周波数変換器２５１８から入力した周波数変換後のトーン信号をフィルタ２５１２へ出力する一方、受信時にはフィルタ２５１２から入力したトーン信号を周波数変換器２５１６へ出力するように、送信と受信とで信号の接続および方向の切り替えを行う。【０１８９】
周波数変換器２５１６は、送受切り替えスイッチ２５１４から入力したトーン信号の周波数変換を行う。すなわち、周波数変換器２５１６は、搬送波信号源２５０２から出力する搬送波をもとにしてトーン信号をベースバンド信号に変換し、変換した信号をトーン信号制御部２５１９へ出力する。【０１９０】
周波数変換器２５１８は、送信時にはトーン信号制御部２５１９から入力したトーン信号を周波数変換、すなわち搬送波信号源２５０２から出力する搬送波を中心周波数とした信号に変換し、送受切り替えスイッチ２５１４へ出力する。【０１９１】
トーン信号制御部２５１９は、送信時にはＭＡＣ制御部１０３から入力したトーン信号の制御信号に従って、トーン信号制御部２５１９に持っている固有のデータパターンに基づくトーン信号を生成し、周波数変換器２５１８に出力する。トーン信号制御部２５１９は、受信時には周波数変換器２５１６から入力したトーン信号を入力し、トーン信号の長さによりトーン信号の種類を判別して対応するトーン信号の制御信号を生成し、ＭＡＣ制御部１０３へ出力する。【０１９２】
同様に、データ信号通信部２５２０は、送信時にはＭＡＣ制御部１０３から入力したデータ信号を変調して分配器２５３０へ出力する。また、データ信号通信部２５２０は、受信時には分配器２５３０から入力したデータ信号を周波数変換して、ＭＡＣ制御部１０３へ出力する。【０１９３】
フィルタ２５２２は、送信時には送受切り替えスイッチ２５２４から入力したデータ信号を所定の周波数に帯域制限して、分配器２５３０へ出力する。フィルタ２５２２は、受信時には分配器２５３０から入力したデータ信号を所定の周波数に帯域制限して、送受切り替えスイッチ２５２４に出力する。【０１９４】
送受切り替えスイッチ２５２４は、送信時には変調器２５２８から入力した変調後のデータ信号をフィルタ２５２２へ出力する一方、受信時にはフィルタ２５２２から入力したデータ信号を復調器２５２６へ出力するように、送信と受信とで信号の接続および方向の切り替えを行う。【０１９５】
復調器２５２６は、送受切り替えスイッチ２５２４から入力したデータ信号の復調を行う。すなわち、復調器２５２６は、搬送波信号源２５０２から出力する搬送波をもとにしてデータ信号をベースバンド信号に変換し、データ信号制御部２５２９へ出力する。【０１９６】
変調器２５２８は、送信時にはデータ信号制御部２５２９から入力したデータ信号を変調、すなわち搬送波信号源２５０２から出力する搬送波を中心周波数とした信号に変換し、送受切り替えスイッチ２５２４へ出力する。【０１９７】
データ信号制御部２５２９は、送信時にはＭＡＣ制御部１０３から入力したデータ信号を変調器２５２８へ出力する。データ信号制御部２５２９は、受信時には復調器２５２６から入力したデータ信号をＭＡＣ制御部１０３へ出力する。【０１９８】
搬送波信号源２５０２は、搬送波を生成し、周波数変換器２５１６および復調器２５２６へ搬送波を出力する。図２５では、トーン信号通信部２５１０とデータ信号通信部２５２０が、搬送波信号源２５０２を共有している構成を示している。【０１９９】
尚、トーン信号とデータ信号とで異なる中心周波数の信号を使う場合も同一の中心周波数を使う場合も、搬送波信号源を別にする構成にすることもできる。実施の形態１において、広帯域通信部１０１にデータ信号通信部２５２０と搬送波信号源とを使用し、狭帯域通信部１０２にトーン信号通信部２５１０と別の搬送波信号源とを使用した場合は、そのような構成になる。また搬送波信号源は一つであっても、ミキサ等の周波数変換する素子を用いて搬送波信号源２５０２の周波数から周波数変更することにより、トーン信号通信部２５１０とデータ信号通信部２５２０とは、異なる中心周波数を使うことができる。また、アンテナについても信号帯域に応じてトーン信号用のアンテナとデータ信号用のアンテナに分けた複数にする構成にしてもよい。【０２００】
本実施の形態のトーン信号については、狭帯域信号を用いて、データ信号については広帯域信号を用いることがより好ましいが、本発明は、それに限定されるわけではなく、帯域の大小に関わりなく、トーン信号とデータ信号の帯域を設定することは可能である。【０２０１】
尚、実施の形態２乃至実施の形態５の狭帯域通信部と広帯域通信部を本実施の形態のトーン信号通信部２５１０とデータ信号通信部２５２０と搬送波信号源２５０２に置き換えた構成も本発明に含まれることはいうまでもない。【０２０２】
次に、実施の形態６の無線通信装置の信号通信部２５００の動作を説明する。【０２０３】
まず、トーン信号通信部２５１０の動作を説明する。送信時には、トーン信号制御部２５１９は、ＭＡＣ制御部１０３から入力したトーン信号の制御信号に従って、トーン信号制御部２５１９に持っている固有のデータパターンに基づくトーン信号を生成し、周波数変換器２５１８へ出力する。【０２０４】
次に、周波数変換器２５１８は、トーン信号制御部２５１９から入力したトーン信号を周波数変換、すなわち搬送波信号源２５０２から出力する搬送波を中心周波数とした信号に変換し、周波数変換されたトーン信号を送受切り替えスイッチ２５１４へ出力する。【０２０５】
次に、送受切り替えスイッチ２５１４は、周波数変換器２５１８から入力した周波数変換後のトーン信号をフィルタ２５１２へ出力する。そして、フィルタ２５１２は、送受切り替えスイッチ２５１４から入力したトーン信号を所定の周波数に帯域制限して、帯域制限されたトーン信号を分配器２５３０へ出力する。【０２０６】
一方、受信時には、フィルタ２５１２は、分配器２５３０から入力したトーン信号を所定の周波数に帯域制限して、帯域制限されたトーン信号を送受切り替えスイッチ２５１４に出力する。【０２０７】
送受切り替えスイッチ２５１４は、フィルタ２５１２から入力したトーン信号を周波数変換器２５１６へ出力する。周波数変換器２５１６は、送受切り替えスイッチ２５１４から入力したトーン信号の周波数変換を行う。すなわち、周波数変換器２５１６は、搬送波信号源２５０２から出力する搬送波をもとにしてトーン信号をベースバンド信号に変換し、変換された信号をトーン信号制御部２５１９へ出力する。【０２０８】
トーン信号制御部２５１９は、周波数変換器２５１６から入力したトーン信号を入力し、トーン信号の長さによりトーン信号の種類を判別して対応するトーン信号の制御信号を生成し、生成されたトーン信号の制御信号をＭＡＣ制御部１０３へ出力する。【０２０９】
次に、データ信号通信部２５２０の動作を説明する。【０２１０】
データ信号通信部２５２０の送信時には、データ信号制御部２５２９は、ＭＡＣ制御部１０３から入力したデータ信号を変調器２５２８へ出力する。【０２１１】
次に、変調器２５２８は、データ信号制御部２５２９から入力したデータ信号を変調、すなわち搬送波信号源２５０２から出力する搬送波を中心周波数とした信号に変換し、変調されたデータ信号を送受切り替えスイッチ２５２へ出力する。【０２１２】
次に、送受切り替えスイッチ２５２４は、変調器２５２８から入力した変調後のデータ信号をフィルタ２５２２へ出力する。そして、フィルタ２５２２は、送受切り替えスイッチ２５２４から入力したデータ信号を所定の周波数に帯域制限して、帯域制限されたデータ信号を分配器２５３０へ出力する。【０２１３】
一方、受信時には、フィルタ２５２２は、分配器２５３０から入力したデータ信号を所定の周波数に帯域制限して、帯域制限されたデータ信号送受切り替えスイッチ２５２４に出力する。【０２１４】
送受切り替えスイッチ２５２４は、フィルタ２５２２から入力したデータ信号を復調器２５２６へ出力する。復調器２５２６は、送受切り替えスイッチ２５２４から入力したデータ信号の復調を行う。すなわち、復調器２５２６は、搬送波信号源２５０２から出力する搬送波をもとにしてデータ信号をベースバンド信号に変換し、変換された信号をデータ信号制御部２５２９へ出力する。【０２１５】
データ信号制御部２５２９は、復調器２５２６から入力したデータ信号をＭＡＣ制御部１０３へ出力する。【０２１６】
このように、本実施の形態においては、トーン信号通信部２５１０とデータ信号通信部２５２０とが搬送波信号源２５０２を共通に使用する構成をとるため、部品点数の少ない低コストの無線通信装置を提供することができる。【０２１７】
（実施の形態７）
次に、実施の形態７に係る無線通信装置の構成および動作について説明する。【０２１８】
実施の形態６の図２５においては、広帯域信号とトーン信号を同時送信するために、２つの送信系として、トーン信号通信部２５１０とデータ信号通信部２５２０とを備えた例を説明した。しかし、同時送信をしない場合は、送信系は１つ備えれば足りるので、このような構成の無線通信装置を実施の形態７として、その構成及び動作を以下に説明する。【０２１９】
図２６を参照して、実施の形態７の構成を説明する。図２６は、本実施の形態における無線通信装置の信号通信部２６００の構成を示すブロック図である。【０２２０】
実施の形態１におけるＭＡＣ制御部１０３等の、広帯域通信部１０１および狭帯域通信部１０２以外の部分に相当する本実施の形態の構成および動作は、実施の形態１の構成および動作と同一であり、説明を省略する。【０２２１】
信号通信部２６００は、通信部２６１０および搬送波信号源２５０２から構成される。通信部２６１０は、フィルタ２６１２、送受切り替えスイッチ２６１４、復調器２６１６、変調器２６１８および信号制御部２６１９を備える。【０２２２】
通信部２６１０は、トーン信号の送信時には、ＭＡＣ制御部１０３から入力したトーン信号の制御信号からトーン信号を生成し、そのトーン信号を、変調器２６１８に出力する。通信部２６１０は、トーン信号の受信時には、復調器２６１６から入力したトーン信号を入力し、トーン信号の長さによりトーン信号の種類を判別して対応するトーン信号の制御信号を生成し、ＭＡＣ制御部１０３へ出力する。【０２２３】
通信部２６１０は、データ信号の送信時には、ＭＡＣ制御部１０３から入力したデータ信号を変調して指向性制御部１０６へ出力する。また、通信部２６１０は、データ信号の受信時には、指向性制御部１０６から入力したデータ信号を復調して、ＭＡＣ制御部１０３へ出力する。【０２２４】
フィルタ２６１２は、送信時には送受切り替えスイッチ２６１４から入力したトーン信号またはデータ信号を所定の周波数に帯域制限して、指向性制御部１０６へ出力する。フィルタ２６１２は、受信時には指向性制御部１０６から入力したトーン信号またはデータ信号を所定の周波数に帯域制限して、送受切り替えスイッチ２６１４に出力する。【０２２５】
送受切り替えスイッチ２６１４は、送信時には変調器２６１８から入力した周波数変換後または変調後のトーン信号またはデータ信号をフィルタ２６１２へ出力する。一方、受信時にはフィルタ２６１２から入力したトーン信号またはデータ信号を復調器２６１６へ出力するように、送信と受信とで信号の接続および方向の切り替えを行う。【０２２６】
復調器２６１６は、送受切り替えスイッチ２６１４から入力したトーン信号またはデータ信号の周波数変換または復調を行う。すなわち、復調器２６１６は、搬送波信号源２５０２から出力する搬送波をもとにしてトーン信号またはデータ信号をベースバンド信号に変換し、信号制御部２６１９へ出力する。【０２２７】
変調器２６１８は、送信時には、信号制御部２６１９から入力したトーン信号またはデータ信号を周波数変換または変調、すなわち搬送波信号源２５０２から出力する搬送波を中心周波数とした信号に変換し、送受切り替えスイッチ２６１４へ出力する。【０２２８】
信号制御部２６１９は、トーン信号送信時には、ＭＡＣ制御部１０３から入力したトーン信号の制御信号に従って、信号制御部２６１９に持っている固有のデータパターンに基づくトーン信号を変調器２６１８に出力する。信号制御部２６１９は、データの送信時には、ＭＡＣ制御部１０３から入力したデータ信号を、変調器２６１８に出力する。【０２２９】
信号制御部２６１９は、トーン信号の受信時には、復調器２６１６から入力したトーン信号を入力し、トーン信号の長さによりトーン信号の種類を判別してトーン信号の制御信号を生成し、ＭＡＣ制御部１０３へ出力する。また、信号制御部２６１９は、データ信号の受信時には、復調器２６１６から入力したデータ信号を入力し、ＭＡＣ制御部１０３へ出力する。【０２３０】
次に、実施の形態７に係る無線通信装置の動作を説明する。【０２３１】
トーン信号の送信時には、信号制御部２６１９は、ＭＡＣ制御部１０３から入力したトーン信号の制御信号に従って、信号制御部２６１９に持っている固有のデータパターンに基づくトーン信号を変調器２６１８に出力する。データ信号の送信時には、信号制御部２６１９は、ＭＡＣ制御部１０３から入力したデータ信号を、変調器２６１８に出力する。【０２３２】
次に、変調器２６１８は、信号制御部２６１９から入力したトーン信号またはデータ信号を周波数変換または変調、すなわち搬送波信号源２５０２から出力する搬送波を中心周波数とした信号に変換または変調し、変調器出力信号２７０２を送受切り替えスイッチ２６１４へ出力する。【０２３３】
次に、送受切り替えスイッチ２６１４は、変調器２６１８から入力した周波数変換または変調後のトーン信号またはデータ信号（変換器出力信号２７０２）をフィルタ２６１２へ出力する。そして、フィルタ２６１２は、送受切り替えスイッチ２６１４から入力したトーン信号またはデータ信号を所定の周波数に帯域制限して、帯域制限された信号を指向性制御部１０６へ出力する。【０２３４】
一方、受信時には、フィルタ２６１２は、指向性制御部１０６から入力したトーン信号またはデータ信号を所定の周波数に帯域制限して、帯域制限された信号を送受切り替えスイッチ２６１４に出力する。【０２３５】
送受切り替えスイッチ２６１４は、フィルタ２６１２から入力したトーン信号またはデータ信号を復調器２６１６へ出力する。復調器２６１６は、送受切り替えスイッチ２６１４から入力したトーン信号またはデータ信号の周波数変換または復調を行う。すなわち、復調器２６１６は、搬送波信号源２５０２から出力する搬送波をもとにしてトーン信号またはデータ信号をベースバンド信号に変換し、変換した信号を信号制御部２６１９へ出力する。【０２３６】
信号制御部２６１９は、トーン信号の受信時には、復調器２６１６から入力したトーン信号を入力し、トーン信号の長さによりトーン信号の種類を判別してトーン信号の制御信号を生成し、ＭＡＣ制御部１０３へ出力する。信号制御部２６１９は、データ信号の受信時には、復調器２６１６から入力したデータ信号をＭＡＣ制御部１０３へ出力する。【０２３７】
この場合の変調器２６１８が、入力する変調器入力信号２７０１を周波数変換または変調した後の変調器出力信号２７０２の信号波形の一例を図２７に示す。変調器２６１８へ入力する信号においては、トーン信号２７１０の信号幅２７１１とデータ信号２７２０の信号幅２７２１が異なり、この信号幅に応じて正弦波成分を含む変調器出力信号も幅の異なる信号となる。なお、幅の広い信号は、狭帯域の信号であり、幅の狭い信号が広帯域の信号であることは言うまでもない。一例を挙げると、トーン信号２７１０の信号幅は、例えば１μsecであり、データ信号２７２０の信号幅は、例えば１ｎsecであるが、適用するシステムにより大きく変動しうるため、これらに限定されるものではない。また、トーン信号は必ずしも狭帯域信号でなくてもよく、トーン信号の信号幅２７１１が、データ信号の信号幅２７２１と等しいか小さい関係にあってもよい。【０２３８】
また、受信の際のトーン信号とデータ信号の分離方法については、例えばトーン信号とデータ信号の周波数が異なる場合は、フィルタ帯域により両者を分離することが可能である。同様に、トーン信号とデータ信号が同時送信しない場合は、時間的に分離が可能である。また、同一周波数、同一時間に送信されている場合は、送信信号電力を変えることにより分離可能である。この場合、例えば信号時間の長いトーン信号の振幅を小さくして送信電力を小さく、データ信号の振幅を大きくして送信電力を大きくすることで、復調器２６１６での受信電力しきい値による分離が可能である。【０２３９】
このように、本実施の形態においては、トーン信号とデータ信号とを一つの信号通信部で処理する構成をとるため、構成が簡単で部品点数が少なくなり、低コストで電力消費の少ない無線通信装置を提供することができる。【０２４０】
本発明の無線通信方法は、複数の無線通信装置がアドホックネットワークにおいて相互に通信する無線通信方法であって、一の無線通信装置がスーパフレームの終端を識別するためのエンドトーンを送信するステップと、他の無線通信装置がそのエンドトーンを受信したときに、自己のスーパフレームの終端を同期させるステップとを有するものである。【０２４１】
これにより、無線通信装置は変調信号によるビーコンを使用することなく、消費電力の小さいトーン信号を使用してスーパフレームと同期を取るので、消費電力を従来の方法に比べ低減することができるようになる。【０２４２】
また、本発明の無線通信方法は、前記一の無線通信装置が、スーパフレームの終端から所定の時間経過後にデータ送信を通知するための送受信トーンをキャリアセンスしながら送信するステップと、その送受信トーンの送信完了後に、データ信号を送信するステップとをさらに有するものである。【０２４３】
これにより、無線通信装置は、トーン信号のみ監視することによりデータ受信の開始を検出できるので、待機時の消費電力を低く抑えることが可能になる。【０２４４】
また、本発明の無線通信方法は、前記一の無線通信装置が、他の無線通信装置からの送受信トーンを受信した後に、前記データ信号を受信可能にしてデータ信号を受信するステップと、そのデータ信号を正常に受信したとき、前記送受信トーンをキャリアセンスしながら送信するステップとをさらに有している。【０２４５】
これにより、無線通信装置は、ＵＷＢのようなデータ信号を受信待ちする必要がないので、待機時の消費電力を低減することができる。【０２４６】
また、本発明の無線通信方法は、前記エンドトーンを送信するステップが、前記一の無線通信装置が、スーパフレームの終端を識別するための狭帯域信号のエンドトーンを送信するステップである。【０２４７】
これにより、無線通信装置は、変調信号によるビーコンを使用することなく、消費電力の小さい狭帯域のトーン信号を使用してスーパフレームと同期を取るので、消費電力を従来の方法に比べ低減することができるようになる。【０２４８】
また、本発明の無線通信方法は、前記一の無線通信装置がスーパフレームの終端から所定の時間経過後にデータ送信を通知するための狭帯域信号の送受信トーンをキャリアセンスしながら送信するステップと、前記一の無線通信装置が前記送受信トーンの送信完了後に、広帯域のデータ信号を送信するステップとをさらに有するものである。【０２４９】
これにより、無線通信装置は、狭帯域信号のみ監視することによりデータ受信の開始を検出できるので、待機時の消費電力を低く抑えることが可能になる。【０２５０】
また、本発明の無線通信方法は、前記一の無線通信装置が他の無線通信装置からの送受信トーンを受信した後に、広帯域信号を受信可能にし、前記データ信号を受信するステップと、前記一の無線通信装置が前記データ信号を正常に受信したとき、前記狭帯域の送受信トーンをキャリアセンスしながら送信するステップと、をさらに有するものである。【０２５１】
これにより、無線通信装置は、ＵＷＢのような広帯域信号を受信待ちする必要がないので、待機時の消費電力を低減することができる。【０２５２】
また、本発明の無線通信方法は、エンドトーンがスーパフレームの終端の前後に設定されたエンドトーンスロット内で送信されるものであって、前記一の無線通信装置はエンドトーンスロット内で最初に受信したエンドトーンを基準にしてスーパフレームの終端を再設定するものである。【０２５３】
これにより、スーパフレームグループの各無線通信装置は、スーパフレームにおいて最も早いエンドトーンに同期することが可能となる。【０２５４】
また、本発明の無線通信方法は、前記一の無線通信装置が、他の無線通信装置から受信したエンドトーンが、エンドトーンスロット内で最初のものであって、自己のエンドトーンの送信開始以前に受信完了したとき、その完了時点でスーパフレームの終端を再設定するステップと、エンドトーンを受信したタイミングで自己のエンドトーンを送信するステップとを有するものである。【０２５５】
これにより、最初に受信したエンドトーンと自己のエンドトーンとの時間差をより小さく維持できるので、全体として短時間に同じスーパフレームに同期することが可能になる。【０２５６】
また、本発明の無線通信方法は、スーパフレームを共有する無線通信装置のグループであるスーパフレームグループが複数混在したとき、第１のスーパフレームグループの無線通信装置が、自己のスーパフレームグループの他の無線通信装置へ第２のスーパフレームと同期することを通知するステップと、第１のスーパフレームグループの当該無線通信装置が、スーパフレーム全体にわたって第２のスーパフレームグループからのエンドトーンを受信待ちし、受信した当該エンドトーンを基準にしてスーパフレームの終端を再設定するものである。【０２５７】
これにより、無線通信装置は、モバイル環境下で他のスーパフレームグループと遭遇しても送受信を開始することが可能になる。【０２５８】
また、本発明の無線通信方法は、第１のスーパフレームグループに属する無線通信装置が現在の終端を通知するエンドトーンを送信した後に、エンドトーンスロット内で再度エンドトーンを送信することにより、他の無線通信装置へ第２のスーパフレームグループのスーパフレームと同期することを通知し、その同期することを通知するエンドトーンを受信した、第１のスーパフレームグループに属する他の無線通信装置が、現在の終端を通知するエンドトーンを送信した後に、エンドトーンスロット内で再度エンドトーンを送信するものである。【０２５９】
これにより、無線通信装置は、再同期をスーパフレームグループ単位で実行することになり、現時点での通信が途絶える心配が無く、グループが収束して纏まるのですべての通信が可能になる。【０２６０】
また、本発明の無線通信方法は、狭帯域信号トーンに継続時間を変化させて定義するビギニングトーン１とビギニングトーン２を設けたものであって、無線通信装置が通信の衝突回避のための狭帯域信号のビギニングトーン１をキャリアセンスしながら送信するステップと、そのビギニングトーン１を受信した無線通信装置が、狭帯域信号のビギニングトーン２を送信するステップと、そのビギニングトーン1もしくはビギニングトーン２を受信した無線通信装置が、現在のスーパフレーム内では自己からの狭帯域信号のビギニングトーン１を送信することを中止するステップとを有するものである。【０２６１】
これにより、無線通信装置は、マルチキャスト通信などで複数の応答がされるとき、一つずつ応答するように各無線通信装置が送信を抑制するようになる。【０２６２】
また、本発明の無線通信方法は、ビギニングトーン１を送信した無線通信装置がビギニングトーン２を受信した無線通信装置へ属性および／または通信環境を問い合わせるプローブ要求を広帯域信号で送信するステップと、そのプローブ要求を受信した無線通信装置が、自己の属性や通信環境の情報を含むプローブ応答を広帯域信号で送信するステップとを有するものである。【０２６３】
これにより、無線通信装置は、マルチキャストによるプローブ要求をビギニングトーンを使用して行わせることにより、同じ時間帯に複数の地理的再利用が可能となる。【０２６４】
本発明の無線通信方法は、プローブ要求を受信した無線通信装置がプローブ応答を送信する前に送受信トーンを送信するステップと、プローブ要求を送信した無線通信装置が前記送受信トーンを受信したとき、受信した送受信トーンを転送するステップと、プローブ要求を送信していない無線通信装置が送受信トーンを受信したとき、自己からのプローブ応答の送信開始を停止するステップとを有するものである。【０２６５】
これにより、要求側の無線通信装置と、次近接の位置にある応答側の無線通信装置との競合を極力抑えることが可能となる。【０２６６】
また、本発明の無線通信方法は、プローブ要求を送信した無線通信装置がプローブ応答を受信完了するまでの所定時間をバックオフによりカウントするステップと、プローブ要求を送信した無線通信装置が所定時間をカウント終了したとき、プローブ要求期間の終了通知を近隣の無線通信装置へ送信するステップとを有するものである。【０２６７】
これにより、無線通信装置は、必要最小限の時間でプローブを終了することができる。【０２６８】
また、本発明の無線通信方法は、プローブ要求においてプローブ要求を送信した無線通信装置が複数の指向性アンテナにより複数のセクタを構成し、各セクタ内の無線通信装置は、互いに送受信可能な状態であるとき、プローブ要求を送信した無線通信装置が行う送受信トーンの送信が、各指向性アンテナによりセクタ毎に順番に行われるものである。【０２６９】
これにより、固定式の無線通信装置のプローブ処理はセクタを決めて行うことで能率的にプローブ動作を実行可能となる。【０２７０】
また、本発明の無線通信方法は、プローブ要求を送信した無線通信装置がセクタ毎に、プローブ応答を受信完了するまでの所定時間をバックオフによりカウントするステップと、プローブ要求を送信した無線通信装置がすべてのセクタにおいて所定時間のカウントを終了したとき、プローブ要求期間の終了通知を近隣の無線通信装置へ送信するステップとを有するものである。【０２７１】
これにより、無線通信装置は、セクタの待ち時間も必要最小限にすることができる。【０２７２】
また、本発明の無線通信方法は、前記一の無線通信装置がエンドトーンスロット内でエンドトーンに続いて送受信トーンを受信したとき、当該エンドトーンスロット終了後のスーパフレームにおいて、近隣の無線通信装置が送信するデータ送受信予約情報を含むコントロールフレームを収集し、次のスーパフレームのコントロールフレームで予約されていない時間帯に、自己の属性や通信環境情報、および／またはコントロールフレームで予約された時間帯の情報を含むプローブ応答を送信するものである。【０２７３】
これにより、無線通信装置は、ＲＴＳ／ＣＴＳ−ｅを利用した通信を行うことでデータピリオドの全区間を時間予約できるので、従来方式に比べスーパフレームの全体を有効に利用可能になる。【０２７４】
また、本発明の無線通信方法で使用する狭帯域信号(トーン信号)の継続時間は、送受信トーン、ビギニングトーン１、ビギニングトーン２、エンドトーンの順に長く、エンドトーンはビギニングトーン２の少なくとも２倍以上である。【０２７５】
これにより、無線通信装置の送受信トーンは、スループットに関係するので最も小さくなくてはならないが、エンドトーンが３倍以上重なってもエンドトーンであると検出できる。また、ビギニングトーン１が同時期に二つ以上吹かれても、ビギニングトーン２であると見なされることになる。【０２７６】
また、本発明の無線通信方法は、複数の無線通信装置がアドホックネットワークにおいて相互に通信する一の無線通信装置の無線通信方法であって、スーパフレーム内の経過時間を計測し、終端を識別するためのエンドトーンを送信するステップと、最初に送信したエンドトーンを基にして再設定された終端時刻を基準に、所定の時間経過後にデータ送信を通知するための送受信トーンを送信するステップと、当該送受信トーンの送信完了後、データ信号を送信するステップと、を有するものである。【０２７７】
また、本発明の無線通信方法では、前記エンドトーン及び送受信トーンは、狭帯域信号であり、前記データ信号は、広帯域信号のデータ信号である。【０２７８】
また、本発明の無線通信方法は、前記一の無線通信装置が、通信の衝突回避のための狭帯域信号のビギニングトーン１をキャリアセンスしながら送信するステップと、前記一の無線通信装置が、前記ビギニングトーン１を受信した他の無線通信装置により送信されたビギニングトーン２を受信するステップと、を有するものである。【０２７９】
また、本発明の無線通信方法は、前記ビギニングトーン１を送信した一の無線通信装置が、前記ビギニングトーン２を送信した前記他の無線通信装置へ、属性および／または通信環境を問い合わせるプローブ要求を広帯域信号で送信するステップと、前記プローブ要求を受信した前記他の無線通信装置から、自己の属性および／または通信環境の情報を含むプローブ応答を広帯域信号で受信するステップと、を有するものである。【０２８０】
また、本発明の無線通信装置は、トーン信号を送受信するトーン信号通信部と、変調して広帯域信号でデータを送受信するデータ信号通信部と、時刻管理部と、フレーム送受信部とを有している。その時刻管理部は、スーパフレーム内の経過時間を計測し、終端を識別するためのエンドトーンをトーン信号通信部から送信したり、あるいはエンドトーンをトーン信号通信部を介して受信し、自己の終端時刻以前に最初に受信したエンドトーンを基準にして終端時刻を再設定する。また、フレーム送受信部は、時刻管理部が再設定した終端時刻を基準に、所定の時間経過後にデータ送信を通知するための送受信トーンをトーン信号通信部から送信し、当該送受信トーンの送信完了後、データをデータ信号通信部を介して送信したり、あるいは送受信トーンを受信したときデータ信号通信部を受信可能状態にしてデータをデータ信号通信部から受信したりする。【０２８１】
この構成により、無線通信装置はビーコンを使用することなく、スーパフレームグループ間のスーパフレーム同期を実現することができる。【０２８２】
また、本発明の無線通信装置は、前記トーン信号通信部が、狭帯域のトーン信号を送受信する狭帯域通信部であり、前記データ信号通信部が、変調して広帯域信号でデータを送受信する広帯域通信部である。【０２８３】
この構成により、無線通信装置はビーコンを使用することなく、スーパフレームグループ間のスーパフレーム同期を実現することができる。【０２８４】
また、本発明の無線通信装置は、再同期制御部をさらに有している。その再同期制御部は、スーパフレームを共有する自己と同一グループに属する他の無線通信装置へ、スーパフレームを共有していない他のグループのスーパフレームに同期することを通知する。そして、スーパフレームの全期間において、他のグループのエンドトーンを監視し、当該エンドトーンを受信したとき、スーパフレームの終端に再設定してエンドトーンを狭帯域通信部を介して送信する。【０２８５】
これにより、無線通信装置は、他のスーパフレームグループのスーパフレームと同期をとることが可能になる。【０２８６】
また、本発明の無線通信装置は、ビギニングトーン制御部へビギニングトーン１の送信を指示し、その後当該ビギニングトーン制御部からビギニングトーン２の受信を通知されたとき、他の無線通信装置へ属性や通信環境情報の通知を要求するプローブ要求フレームの送信を前記フレーム送受信部へ指示するプローブ送信部と、前記プローブ要求を受信したとき、自己の属性および／または通信環境情報を送信するように前記フレーム送受信部へ指示するプローブ受信部とをさらに有するものである。【０２８７】
この構成により、無線通信装置は、ビーコンにて実施されてきたノードの生存確認をプローブにて実施することができる。【０２８８】
２００５年１２月７日出願の特願２００５−３５２９９２の日本出願に含まれる明細書、図面および要約書の開示内容はすべて本願に援用される。
【産業上の利用可能性】
【０２８９】
本発明は、アドホックネットワークにおける無線通信方法及び無線通信装置に有用であり、特にモビリティ環境下において無線通信装置間でファイル交換するのに適している。
【図１】
2007066741.tif 000003
【図２】
2007066741.tif 000004
【図３】
2007066741.tif 000005
【図４】
2007066741.tif 000006
【図５】
2007066741.tif 000007
【図６】
2007066741.tif 000008
【図７】
2007066741.tif 000009
【図８】
2007066741.tif 000010
【図９】
2007066741.tif 000011
【図１０】
2007066741.tif 000012
【図１１】
2007066741.tif 000013
【図１２】
2007066741.tif 000014
【図１３】
2007066741.tif 000015
【図１４】
2007066741.tif 000016
【図１５】
2007066741.tif 000017
【図１６】
2007066741.tif 000018
【図１７】
2007066741.tif 000019
【図１８】
2007066741.tif 000020
【図１９】
2007066741.tif 000021
【図２０】
2007066741.tif 000022
【図２１】
2007066741.tif 000023
【図２２】
2007066741.tif 000024
【図２３】
2007066741.tif 000025
【図２４】
2007066741.tif 000026
【図２５】
2007066741.tif 000027
【図２６】
2007066741.tif 000028
【図２７】
2007066741.tif 000029
【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
複数の無線通信装置がアドホックネットワークにおいて相互に通信する無線通信方法であって、
一の無線通信装置が、スーパフレームの終端を識別するためのエンドトーンを送信するステップと、
他の無線通信装置が、前記エンドトーンを受信したときに、自己のスーパフレームの終端を同期させるステップと、
を有する無線通信方法。
【請求項２】
前記一の無線通信装置が、スーパフレームの終端から所定の時間経過後にデータ送信を通知するための送受信トーンをキャリアセンスしながら送信するステップと、
前記一の無線通信装置が、前記送受信トーンの送信完了後に、データ信号を送信するステップと、
をさらに有する請求項１に記載の無線通信方法。
【請求項３】
前記一の無線通信装置が、他の無線通信装置からの送受信トーンを受信した後に、前記データ信号を受信可能にし、前記データ信号を受信するステップと、
前記一の無線通信装置が、前記データ信号を正常に受信したとき、前記送受信トーンをキャリアセンスしながら送信するステップと、
をさらに有する請求項２に記載の無線通信方法。
【請求項４】
前記一の無線通信装置が送信するエンドトーンは、狭帯域信号である請求項１に記載の無線通信方法。
【請求項５】
前記一の無線通信装置が送信するデータ信号は、広帯域のデータ信号である請求項２に記載の無線通信方法。
【請求項６】
前記一の無線通信装置が、他の無線通信装置からの送受信トーンを受信した後に、広帯域信号を受信可能にし、前記データ信号を受信するステップと、
前記一の無線通信装置が、前記データ信号を正常に受信したとき、前記狭帯域の送受信トーンをキャリアセンスしながら送信するステップと、
をさらに有する請求項５に記載の無線通信方法。
【請求項７】
前記エンドトーンは、スーパフレームの終端の前後に設定されたエンドトーンスロット内で送信され、
前記一の無線通信装置は、エンドトーンスロット内で最初に受信したエンドトーンを基準にしてスーパフレームの終端を再設定する、
請求項４に記載の無線通信方法。
【請求項８】
前記一の無線通信装置が、他の無線通信装置から受信したエンドトーンが、エンドトーンスロット内で最初のものであって、自己のエンドトーンの送信開始以前に受信完了したとき、前記他の無線通信装置の前記エンドトーンを受信完了した時点で、スーパフレームの終端を再設定するステップと、
前記一の無線通信装置が、エンドトーンを受信したタイミングで、自己のエンドトーンを送信するステップと、
を有する請求項７に記載の無線通信方法。
【請求項９】
前記スーパフレームを共有する無線通信装置のグループであるスーパフレームグループが複数混在したとき、
第１のスーパフレームグループに属する一の無線通信装置が、前記第１のスーパフレームグループに属する他の無線通信装置へ第２のスーパフレームと同期することを通知するステップと、
前記第１のスーパフレームグループに属する前記一の無線通信装置が、スーパフレーム全体にわたって前記第２のスーパフレームグループに属する無線通信装置からのエンドトーンを受信待ちし、受信したエンドトーンを基準にしてスーパフレームの終端を再設定するステップと、
を有する請求項７に記載の無線通信方法。
【請求項１０】
前記第１のスーパフレームグループに属する前記一の無線通信装置が、現在の終端を通知するエンドトーンを送信した後に、エンドトーンスロット内で再度エンドトーンを送信することにより、前記第１のスーパフレームグループに属する他の無線通信装置へ前記第２のスーパフレームグループのスーパフレームと同期することを通知するステップと、
同期することを通知する前記エンドトーンを受信した前記第１のスーパフレームグループに属する他の無線通信装置が、現在の終端を通知するエンドトーンを送信した後に、エンドトーンスロット内で再度エンドトーンを送信するステップと、
を有する請求項９に記載の無線通信方法。
【請求項１１】
前記一の無線通信装置が、通信の衝突回避のための狭帯域信号のビギニングトーン１をキャリアセンスしながら送信するステップと、
前記ビギニングトーン１を受信した無線通信装置が、狭帯域信号のビギニングトーン２を送信するステップと、
前記ビギニングトーン１または前記ビギニングトーン２を受信した無線通信装置が、現在のスーパフレーム内では、自己からの狭帯域信号のビギニングトーン１を送信することを中止するステップと、
を有する請求項５に記載の無線通信方法。
【請求項１２】
前記ビギニングトーン１を送信した無線通信装置が、前記ビギニングトーン２を送信した無線通信装置へ、属性および／または通信環境を問い合わせるプローブ要求を広帯域信号で送信するステップと、
前記プローブ要求を受信した無線通信装置が、自己の属性および／または通信環境の情報を含むプローブ応答を広帯域信号で送信するステップと、
を有する請求項１１に記載の無線通信方法。
【請求項１３】
前記プローブ要求を受信した無線通信装置が、前記プローブ応答を送信する前に、送受信トーンを送信するステップと、
前記プローブ要求を送信した無線通信装置が、前記送受信トーンを受信したとき、受信した送受信トーンを転送するステップと、
前記プローブ要求を送信していない無線通信装置が、前記送受信トーンを受信したとき、自己からの前記プローブ応答の送信開始を停止するステップと、
を有する請求項１２に記載の無線通信方法。
【請求項１４】
前記プローブ要求を送信した無線通信装置が、前記プローブ応答を受信完了するまでの所定時間をバックオフによりカウントするステップと、
前記プローブ要求を送信した無線通信装置が、前記所定時間をカウント終了したとき、プローブ要求期間の終了通知を近隣の無線通信装置へ送信するステップと、
を有する請求項１３に記載の無線通信方法。
【請求項１５】
前記プローブ要求において、前記プローブ要求を送信した無線通信装置は複数の指向性アンテナにより複数のセクタを構成し、各セクタ内の無線通信装置は、互いに送受信可能
な状態であるとき、前記プローブ要求を送信した無線通信装置が行う前記送受信トーンの送信は、各指向性アンテナによりセクタ毎に順番に行う、
請求項１３に記載の無線通信方法。
【請求項１６】
前記プローブ要求を送信した無線通信装置が、セクタ毎に、前記プローブ応答を受信完了するまでの所定時間をバックオフによりカウントするステップと、
前記プローブ要求を送信した無線通信装置が、すべてのセクタにおいて、前記所定時間のカウントを終了したとき、プローブ要求期間の終了通知を近隣の無線通信装置へ送信するステップと、
を有する請求項１５に記載の無線通信方法。
【請求項１７】
前記一の無線通信装置が、エンドトーンスロット内でエンドトーンに続いて送受信トーンを受信したとき、当該エンドトーンスロット終了後のスーパフレームにおいて、近隣の無線通信装置が送信するデータ送受信予約情報を含むコントロールフレームを収集し、次のスーパフレームの前記コントロールフレームで予約されていない時間帯に、自己の属性、通信環境情報、および／または前記コントロールフレームで予約された時間帯の情報を含むプローブ応答を送信する、
請求項７に記載の無線通信方法。
【請求項１８】
トーン信号である前記狭帯域信号の継続時間は、送受信トーン、ビギニングトーン１、ビギニングトーン２、エンドトーンの順に長く、ビギニングトーン２は、ビギニングトーン１の少なくとも２倍以上である、
請求項１１に記載の無線通信方法。
【請求項１９】
複数の無線通信装置がアドホックネットワークにおいて相互に通信する一の無線通信装置の無線通信方法であって、
スーパフレーム内の経過時間を計測し、終端を識別するためのエンドトーンを送信するステップと、
最初に送信したエンドトーンを基にして再設定された終端時刻を基準に、所定の時間経過後にデータ送信を通知するための送受信トーンを送信するステップと、
当該送受信トーンの送信完了後、データ信号を送信するステップと、
を有する無線通信方法。
【請求項２０】
前記エンドトーン及び送受信トーンは、狭帯域信号あり、
前記データ信号は、広帯域信号のデータ信号である、
請求項１９記載の無線通信方法。
【請求項２１】
前記一の無線通信装置が、通信の衝突回避のための狭帯域信号のビギニングトーン１をキャリアセンスしながら送信するステップと、
前記一の無線通信装置が、前記ビギニングトーン１を受信した他の無線通信装置により送信されたビギニングトーン２を受信するステップと、
を有する請求項２０記載の無線通信方法。
【請求項２２】
前記ビギニングトーン１を送信した一の無線通信装置が、前記ビギニングトーン２を送信した前記他の無線通信装置へ、属性および／または通信環境を問い合わせるプローブ要求を広帯域信号で送信するステップと、
前記プローブ要求を受信した前記他の無線通信装置から、自己の属性および／または通信環境の情報を含むプローブ応答を広帯域信号で受信するステップと、
を有する請求項２１に記載の無線通信方法。
【請求項２３】
トーン信号を送受信するトーン信号通信部と、
データを送受信するデータ信号通信部と、
スーパフレーム内の経過時間を計測し、終端を識別するためのエンドトーンを前記トーン信号通信部を介して送信し、あるいは前記エンドトーンを前記トーン信号通信部を介して受信し、自己の終端時刻以前に最初に受信したエンドトーンを基準にして終端時刻を再設定する時刻管理部と、
前記時刻管理部が再設定した終端時刻を基準に、所定の時間経過後にデータ送信を通知するための送受信トーンを前記トーン信号通信部を介して送信し、当該送受信トーンの送信完了後、データを前記データ信号通信部を介して送信する、あるいは前記送受信トーンを受信したとき前記データ信号通信部を受信可能状態にしてデータを前記データ信号通信部を介して受信するフレーム送受信部と、
を有する無線通信装置。
【請求項２４】
前記トーン信号通信部は、狭帯域のトーン信号を送受信する狭帯域通信部であり、
前記データ信号通信部は、変調して広帯域信号でデータを送受信する広帯域通信部である、
請求項２３に記載の無線通信装置。
【請求項２５】
スーパフレームを共有する自己と同一グループに属する他の無線通信装置へ、スーパフレームを共有していない他のグループのスーパフレームに同期することを通知し、スーパフレームの全期間において、他のグループのエンドトーンを監視し、当該エンドトーンを受信したとき、スーパフレームの終端に再設定してエンドトーンを前記狭帯域通信部を介して送信する再同期制御部、
をさらに有する請求項２４に記載の無線通信装置。
【請求項２６】
近隣の無線通信装置との通信の衝突回避のための狭帯域信号のビギニングトーン１およびビギニングトーン２を前記狭帯域通信部を介して送信する、あるいは前記ビギニングトーン１を受信し、前記ビギニングトーン２を前記狭帯域通信部を介して送信する、あるいは前記ビギニングトーン１及び前記ビギニングトーン２を受信して、現在のスーパフレーム内でのビギニングトーン１の送信を中止するビギニングトーン制御部、
をさらに有する請求項２５に記載の無線通信装置。
【請求項２７】
前記ビギニングトーン制御部へビギニングトーン１の送信を指示し、その後当該ビギニングトーン制御部からビギニングトーン２の受信を通知されたとき、他の無線通信装置へ属性および／または通信環境情報の通知を要求するプローブ要求フレームの送信を前記フレーム送受信部へ指示するプローブ送信部と、
前記プローブ要求を受信したとき、自己の属性や通信環境情報を送信するように前記フレーム送受信部へ指示するプローブ受信部と、
をさらに有する請求項２６に記載の無線通信装置。
【手続補正２】
【補正対象書類名】明細書
【補正対象項目名】全文
【補正方法】変更
【補正の内容】
【発明の詳細な説明】
【技術分野】
【０００１】
本発明は、無線通信ネットワーク、特にモバイル環境下におけるアドホックネットワーク通信に関する。
【背景技術】
【０００２】
近年、ＵＷＢ（Ultra Wide Band）無線通信方法について様々なものが提案されてきている。ＵＷＢ無線通信は、１Ｇｂｐｓを超えるような広帯域通信であるため、伝送容量の大きな動画伝送などに適用が検討されている。一方、ＵＷＢはその通信可能範囲の狭さゆえにオフィス環境などでは使い勝手がよいとは言えず、むしろ今日注目されつつあるＰＡＮ（Personal Area Network）に向いているといえる。但し、ＰＡＮと一口に言っても、黎明期であるＰＡＮの有力なアプリケーションはなかなか見つけにくい。広帯域性故にそれを利用する機器は、一般的に電力を多く使用することになるが、ＰＡＮの場合、あまり多くのバッテリーを携帯して移動するのは難しいためである。
【０００３】
ＰＡＮを利用し、かつＵＷＢの広帯域性を必要とするアプリケーションの一つは、ファイル交換アプリケーションである。その基本的な動作原理は、例えば特許文献１に開示されている。モバイル環境における無作為なファイル交換（特許文献１にはメッセージ交換と記されている）にてミニコミュニティを作ることが可能となる。特許文献１には記されていないが、やり取りされるデータはテキストドキュメントに限らず、音楽・画像・動画などのファイルの交換も可能である。特にＵＷＢにおいては、その実効伝送速度が１００Ｍｂｐｓから数Ｇｂｐｓにも及ぶため、人と人がすれ違いざまに大きなサイズのファイル交換が可能であり、このようなファイルの交換は、ＵＷＢに適したアプリケーションであるといえる。
【０００４】
そのＵＷＢで使用される伝送方式は、ＩＥＥＥ８０２．１５にて様々な議論がなされている。ＰＡＮ（特にモバイルＰＡＮ）環境で実装されるＭＡＣプロトコルは、自律分散処理による方式である場合が多い。これは、各端末が、五月雨のようにすれ違っているようなＰＡＮ環境下では、マスタ−スレーブの関係をその都度構築し、データスロットを割り振るなどの通信環境をそろえた後に通信を開始することが、大きなオーバヘッドになるからである。
【０００５】
また、非特許文献１は、自律分散型のＰＡＮにおける無線通信方式を開示している。
【０００６】
図１は、ＴＤＭＡ（Time Division Multiple Access）によるスーパフレームの構成を示す図である。
【０００７】
図１において、スーパフレームはビーコンピリオド２２０１とデータピリオド２２０２に分割される。
【０００８】
ビーコン２２０３は、ビーコンピリオド２２０１内で各無線通信装置から送信されるが、近隣のノードのビーコンは衝突することなく近隣のノードに伝わることが保証されている。
【０００９】
データピリオド２２０２は、スロット２２０４毎に均等に分割され、その順番にスロットＩＤが付与されるが、これに限らず、データピリオドは均等でなくても良いし、また隣接する必要もない。
【特許文献１】特開２００１−２９８４０６号公報
【非特許文献１】"Towards High Speed Wireless Personal Area Network-Efficiency Analysis of MBOA MAC", Yunpeng Zang, et al, インターネットＵＲＬ：http://www.ctr.kcl.ac.uk/IWWAN2005/papers/88_invited_Philips.pdf
【発明の開示】
【発明が解決しようとする課題】
【００１０】
しかしながら、非特許文献１に記載の無線通信方式の場合、ビーコンピリオドを共有するスーパフレームグループが混在したとき、データスロットとビーコンピリオドの衝突が発生してしまうことがあった。
【００１１】
これを解決する一つの方法として、ＰＡＮに属する全てのノードが常時スーパフレームグループの衝突を検出し、分散的にこれに適応するアルゴリズムを構成することが考えられる。
【００１２】
しかしながら、上記の方法では、無線通信装置は常にビーコン受信部を受信待ち状態に保つ必要があり、受信待ち電力が大きくなる。これは、ＵＷＢ通信では許容しがたく、モバイル通信装置のような電池による電力供給しか望めない環境下では、大きなデメリットになる。
【００１３】
また、無線通信装置は、周囲の無線通信装置の有無に関わらず常にビーコンを出し続けなくてはならないため、さらに電力消費することになる。
【００１４】
本発明の目的は、アドホックネットワークにおいて、電力消費を従来より低減可能であって、他の無線通信装置のスーパフレームとの同期が可能な無線通信方法及び無線通信装置を提供することにある。
【課題を解決するための手段】
【００１５】
本発明の無線通信方法は、複数の無線通信装置がアドホックネットワークにおいて相互に通信する無線通信方法であって、一の無線通信装置が、スーパフレームの終端を識別するためのエンドトーンを送信するステップと、他の無線通信装置が、そのエンドトーンを受信したときに、自己のスーパフレームの終端を同期させるステップとを有するものである。
【００１６】
これにより、無線通信装置は変調信号によるビーコンを使用することなく、消費電力の小さいトーン信号を使用してスーパフレームと同期を取るので、消費電力を従来の方法に比べ低減することができるようになる。
【００１７】
また、本発明の無線通信装置は、トーン信号を送受信するトーン信号通信部と、変調して広帯域信号でデータを送受信するデータ信号通信部と、時刻管理部と、フレーム送受信部とを有している。その時刻管理部は、スーパフレーム内の経過時間を計測し、終端を識別するためのエンドトーンをトーン信号通信部から送信したり、あるいはエンドトーンをトーン信号通信部から受信し、自己の終端時刻以前に最初に受信したエンドトーンを基準にして終端時刻を再設定する。また、フレーム送受信部は、時刻管理部が再設定した終端時刻を基準に、所定の時間経過後にデータ送信を通知するための送受信トーンをトーン信号通信部から送信し、当該送受信トーンの送信完了後、データをデータ信号通信部から送信したり、あるいは送受信トーンを受信したときデータ信号通信部を受信可能状態にしてデータをデータ信号通信部から受信したりする。
【００１８】
この構成により、無線通信装置はビーコンを使用することなく、スーパフレームグループ間のスーパフレーム同期を実現することができる。
【発明の効果】
【００１９】
本発明によれば、無線通信装置は、アドホックネットワークにおいて、従来に比べ待機時の電力消費を低減しつつ、モビリティ環境下での、スーパフレームの同期調整が可能となる。その結果、他の無線通信装置と最小時間で通信を開始することができる。
【発明を実施するための最良の形態】
【００２０】
以下、本発明の実施の形態について、図面を用いて説明する。以下の実施の形態において、無線通信装置は、データ通信手段をミリ波ＵＷＢで行うものとする。
【００２１】
（実施の形態１）
図２は、本発明の本実施の形態における無線通信装置の構成図である。
【００２２】
図２において、無線通信装置は、アンテナ1０５と指向性制御部１０６と広帯域通信部1０１と狭帯域通信部1０２とＭＡＣ制御部1０３と上位層処理部1０４とを備えている。
【００２３】
アンテナ1０５は、各セクタを担当する複数の指向性アンテナからなるものであり、指向性制御部１０６は、そのアンテナ1０５を構成する指向性アンテナを制御して、通信範囲を決定するものである。また、広帯域通信部１０１は、ＵＷＢ信号を送受信するものであり、狭帯域通信部1０２は変調し、または、変調せずに狭帯域信号をトーン信号として送受信するものである。但し、広帯域信号がＤＳ―ＵＷＢ（Direct Sequence ＵＷＢ）の場合は、狭帯域信号を送信するために、ＤＳ―ＵＷＢのパルス幅を広げて送信するようにそれぞれの発信機を共有しても良い。
【００２４】
上位層処理部1０４は、各種のアプリケーションを実行し、コンテンツデータなどの送信データを生成し、ＭＡＣ制御部1０３へ送出したり、ＭＡＣ制御部1０３から受信データを受けてアプリケーション処理を行うものである。
【００２５】
ＭＡＣ制御部1０３は、ＭＡＣプロトコル処理を行うものであり、フレーム送受信部1３１、時刻管理部1３２、再同期制御部1３３、ビギニングトーン制御部1３４、ＲＴＳ／ＣＴＳ−ｅデータフレーム送信部1３５、プローブ受信部1３６、およびプローブ送信部1３７とを有している。
【００２６】
フレーム送受信部1３１は、データ通信することを通知する送受信トーンを送受信したり、その後のフレームを後述するＲＴＳ／ＣＴＳ（Request to Send/Clear to Send）の拡張方式（ＲＴＳ／ＣＴＳ−ｅ方式）で広帯域信号により送受信するものである。
【００２７】
時刻管理部1３２は、スーパフレームの開始時刻からの時刻を管理するものであり、自己のスーパフレームの終端を通知するエンドトーンの送信時刻を計測したり、他ノード（無線通信装置など）のエンドトーンとの同期をとるために、狭帯域通信部１０２とタイミングの受け渡しを行うものである。
【００２８】
再同期制御部1３３は、他のスーパフレームグループと同期するために狭帯域通信部1０２を介して再同期信号を送信するものである。また、再同期制御部1３３は、スーパフレーム全域でエンドトーンを監視し、他のスーパフレームとの同期タイミングを時刻管理部１３２に通知するものである。
【００２９】
ビギニングトーン制御部1３４は、データ通信の衝突を回避するためのビギニングトーン１あるいはビギニングトーン２を、トーンをキャリアとしてＣＳＭＡ／ＣＡ（Carrier 
Sense Multiple Access with Collision Avoidance）手順に従って送信したり、受信したりするものである。
【００３０】
ＲＴＳ／ＣＴＳ−ｅデータフレーム送信部1３５は、上位層処理部1０４から受けとったデータを送信するためにフレームを生成し、フレーム送受信部1３１へ送出するものである。また、ＲＴＳ／ＣＴＳ−ｅデータフレーム送信部1３５は、後述するＲＴＳ／ＣＴＳの拡張方式（ＲＴＳ／ＣＴＳ−ｅ方式）のＲＴＳコマンドを生成し、フレーム送受信部1３１へ送出する。
【００３１】
プローブ受信部1３６は、他の無線通信装置のプローブ要求を受けて、自己の属性や通信環境などの情報を生成し、要求元のノードへ応答するものである。このプローブ要求とは、要求先に対し、そのノードの属性や通信環境などの情報を要求するものである。
【００３２】
プローブ送信部1３７は、周囲のノードへ属性や通信環境などの情報を要求するためのプローブ要求を生成し、周囲のノードへ送信するものである。また、プローブ送信部1３７は、プローブ要求先のノードからプローブ応答を受信したとき、応答としてプローブエンドを送信する。
【００３３】
ここで、本発明に係る各種トーン信号とフレームについて説明する。まず、トーン信号の定義について述べる。ここでは、トーン信号とは、狭帯域信号の変調／無変調を問わず、決められた時間送信を続けることによって識別される電気信号を指す。例えば、ＢＴＭＡ（Busy-Tone Multiple Access）やＤＢＴＭＡ（Dual Busy-Tone Multiple Access）などのように信号を出している状態を周囲のノードに伝えるために使用されるビジートーンと構成が良く似ている。
【００３４】
図３は、これらのトーン信号とフレームの送受信プロトコルを示すタイミングチャートである。
【００３５】
図３において、スーパフレーム２２１は、エンドトーンスロット２２２とプローブスロット２２３とデータピリオド２２４とに分かれている。
【００３６】
エンドトーンスロット２２２は、エンドトーン（ＥＮＤ）２０１、２０２が送受信される期間である。また、プローブスロット２２３は、ビギニングトーン１（ＢＴ１）（２０３）、ビギニングトーン２（ＢＴ２）（２０４）と、プローブ要求（ＰＢ）２１１、プローブ応答（ＰＲ）２１２、アクノリッジ（ＰＡＣＫ）２１３、及びプローブエンド（ＰＥ）２１４とが送受信される期間である。また、データピリオド２２４は、送受信トーン（ＳＲ）２０５、２０６とデータ２１５、ＡＣＫ／ＮＡＣＫ２１６が送受信される期間である。
【００３７】
図４は、各トーン信号の長さを示す図である。すなわち、ビギニングトーン１の継続時間Ｔ２は、送受信トーンの継続時間Ｔ１の２倍であり、ビギニングトーン２の継続時間Ｔ３はビギニングトーン１の継続時間Ｔ２の２倍、エンドトーンの継続時間Ｔ４はビギニングトーン２の継続時間Ｔ３の２倍である。なお、ビギニングトーン２の継続時間Ｔ３は、エンドトーンの継続時間Ｔ４の１／２以下でなくてはならないが、それ以外は上記の比率である必要はなく、大小関係が守られていればよい。これは、ビギニングトーン２が２つ以上が同時に検出されても、ビギニングトーン２と判定しなくてはならないからである。なお、３つ以上のビギニングトーン２が直列に並んで２倍以上になることはごく稀であると判断される。
【００３８】
たとえば、送受信トーンが１０マイクロ秒であると規定されている場合、狭帯域通信部
1０２は、トーン信号を受信すると、継続時間が１０マイクロ秒未満のトーン信号を送受信トーンとして判定する。狭帯域通信部1０２は、１０マイクロ秒からビギニングトーン１の継続時間までのトーン信号をビギニングトーン１として判定する。さらに、狭帯域通信部1０２は、ビギニングトーン１の継続時間からビギニングトーン２の継続時間までのトーン信号はビギニングトーン２として判定し、それ以上の継続時間のトーン信号はエンドトーンであると判定する。
【００３９】
次に、このように構成された無線通信装置について、以下にその動作、作用を説明する。
【００４０】
初めに、スーパフレームの同期処理について説明する。
【００４１】
図５は、スーパフレームの同期処理を説明するフロー図である。
【００４２】
図５において、まず、時刻管理部１３２は、狭帯域通信部１０２から他ノードのエンドトーンの検出通知がないと（ステップＳ４０１）、自己のエンドトーンを送信する時刻であるか否かをチェックする（ステップＳ４０２）。
【００４３】
自己のエンドトーンの送信時刻でない場合、ステップＳ４０１へ戻り、送信時刻である場合は、時刻管理部１３２が自己のエンドトーンの送信を狭帯域通信部１０２へ指示する。狭帯域通信部１０２は、これを受けて、エンドトーンを送信し（ステップＳ４０３）、後述するステップＳ４０８へ処理を移行する。
【００４４】
一方、狭帯域通信部１０２が他ノードからのエンドトーンを検出すると、時刻管理部１３２へ通知する。時刻管理部１３２は、今回のエンドトーン検出が自己のエンドトーン出力以前であって、現エンドトーンスロット内で最初に通知されたものか否かをチェックする（ステップＳ４０４）。そして、最初でない場合は後述する再同期処理を行い（ステップＳ４０５）、処理を終了する。
【００４５】
一方、最初に通知されたものである場合、時刻管理部１３２は、自己が管理するスーパフレーム周期の開始時刻を現在時刻に合わせる（ステップＳ４０６）。
【００４６】
次に、時刻管理部１３２は、狭帯域通信部１０２からの通知が他ノードからのエンドトーンの終端を知らせるものであるか否かをチェックする（ステップＳ４０７）。
【００４７】
狭帯域通信部１０２は、エンドトーンの終端でない場合、ステップＳ４０２へ戻り、終端である場合は、ステップＳ４０３へ移行し、自己のエンドトーンを送信する処理を行う（ステップＳ４０３）。また、エンドトーン送信の終了後、時刻管理部１３２は、自己のエンドトーンスロットの期間が終了しているかどうかの確認を行う（ステップＳ４０８）。もし、自己のエンドトーンスロットの期間が終了していれば、処理を終了する。自己のエンドトーンスロットの期間が終了していなければ、ステップ４０１へ戻る。
【００４８】
このように、時刻管理部１３２は、エンドトーンの出力時刻を計測したときにエンドトーン２０１を送信するが、エンドトーンスロット２２２の範囲内に、周囲のノードから送信されたエンドトーン２０２を検出すると、自己のエンドトーン２０１との時間誤差を計測する。そして、時刻管理部１３２は、自己よりも早いタイミングで検出したエンドトーン２０２の開始時刻に自己のスーパフレームの終端時刻を合わせる。
【００４９】
また、時刻管理部１３２は、周囲のノードも同じエンドトーンスロット２２２内にエンドトーンを送信するが、この中で最も早いエンドトーンを送信したノードのエンドトーン
送信開始時刻にすべてのノードが自己のエンドトーンの開始時刻を合わせる。なお、他ノードの送信する最も早いエンドトーンを受信中に自己のエンドトーン送信開始時刻になれば、エンドトーンを送信するが、自己のエンドトーンの送信開始時刻より前にエンドトーンを受信完了した場合は、その時点で自己のエンドトーンを送信する。
【００５０】
これにより、各ノードは、スーパフレームにおいて最も早いエンドトーンに同期することが可能となる。
【００５１】
そして、時刻管理部1３２は、この同期されたスーパフレーム２２１の開始時刻を基準にして、プローブスロット２２３や、データピリオド２２４内のデータスロットのタイミングを計測する。なお、スーパフレームを６４ｍｓ、エンドトーンスロット２２２の長さを５１２マイクロ秒と定義したとすると、時刻管理部1３２は、エンドトーンスロット２２２の中間時点である２５６マイクロ秒経過時にエンドトーンを送信する。これは、自己のエンドトーン開始時刻がばらついても、他の無線通信装置のエンドトーンスロット２２２内に収まるようにするためである。
【００５２】
次に、具体例をもって、このスーパフレームの同期動作を説明する。
【００５３】
図６は、同一スーパフレームグループの各無線通信装置が、スーパフレーム周期を同期させる動作を示す図である。ここで、図中の楕円は、無線通信装置の通信可能エリアを示す。無線通信装置Ａ乃至無線通信装置Ｇは、互いに図のように隣接した状態にあるとする。なお、図６において、各無線通信装置の上段の信号が受信を示し、下段の信号が送信を示す。
【００５４】
図６において、無線通信装置Ｂは、スーパフレーム周期のエンドトーン送出のタイミングでエンドトーン５０２の送信を行っているが、自己のエンドトーン５０２の送信よりも先に無線通信装置Ａのエンドトーン５０１を検出したので、自己の計測しているスーパフレーム周期の開始タイミングを無線通信装置Ａのスーパフレーム周期の開始タイミング５０１に合わせる。また、同様に無線通信装置Cは、自己のスーパフレームの開始時刻を無線通信装置Ｂのエンドトーン５０２に同期させる。これにより、無線通信装置Ｂや無線通信装置Ｃの遅延時間は、自己のスーパフレーム周期分の固有遅延時間に徐々に収束していく。
【００５５】
無線通信装置Ｄ乃至Ｆについても同様に同期処理が行われ、自己の通信可能エリア内で最も早くエンドトーンを送信する無線通信装置のスーパフレームに同期する。
【００５６】
無線通信装置Ｇのエンドトーン送信時刻５０３は、無線通信装置Ｆのエンドトーン５０４の送信した後であるので、無線通信装置Ｆがエンドトーン５０４を送信し終えた時刻から無線通信装置Ｇのエンドトーンを送信する。そして、次のスーパフレームにおいて、無線通信装置Ｇは、他の無線通信装置のスーパフレーム開始タイミングに追いつく。
【００５７】
次に、他のスーパフレームグループと混在したときに行うスーパフレームの再同期処理について説明する。
【００５８】
このスーパフレームの再同期処理は、無線通信装置が、スーパフレーム全体に対してエンドトーンの検出を行い、他のスーパフレームグループのエンドトーンを検出した場合、最も早くエンドトーンを送信した他のスーパフレームグループのスーパフレームに同期する処理である。
【００５９】
図７は、無線通信装置６０１〜６０３が互いにスーパフレームグループを構成し、無線
通信装置６０４〜６０６が別のスーパフレームグループを構成していることを示す図である。図７において、無線通信装置６０４と無線通信装置６０６は、無線通信装置６０３の通信可能エリアに入ってきている。
【００６０】
このようなときに、無線通信装置６０３が、他のスーパフレームグループのエンドトーンをエンドトーンスロット外で検出すると、それを起点にして無線通信装置６０３と同一スーパフレームグループの無線通信装置が再同期処理を行い、最終的には無線通信装置６０１乃至６０６が同一のスーパフレームを共有することになる。
【００６１】
図８は、スーパフレームの再同期処理をエンドトーン送受信終了時に開始するか否かを決定するフロー図である。
【００６２】
図８において、再同期制御部１３３は、自己がスーパフレーム期間中に送受信スロットなどでエンドトーンを受信したかどうかをチェックする(ステップＳ７０１)。エンドトーンを受信していない場合、再同期制御部１３３は、自己が前回の再同期処理を終えてからスーパフレームの同期回数が所定回数（Ｎ回とする）以上のノードであり、かつ再同期を行うことを決定しているか否かをチェックする（ステップＳ７０２）。この同期回数は、多くすればそれだけスーパフレーム全体を受信待ちにする回数が減るので消費電力は低減するが、他のグループとの通信開始を遅らせることになる。一般的には１秒に一回程度となる同期回数が望ましい。そして、この条件を満足する場合、再同期制御部１３３は、他のノードと関係なく再同期用のエンドトーンを送信する（ステップＳ７０３）。この再同期用のエンドトーンとは、自己のスーパフレームグループのエンドトーン送信終了後、１０数マイクロ秒経過した時点で、再び送信するエンドトーンのことであり、他のノードに再同期処理を開始することを通知するものである。その後、再同期制御部１３３は、再同期処理を行う（Ｓ７０４）。ここで、再同期処理とは、スーパフレーム全体にわたって同期すべきエンドトーンの受信を行う処理のことである。この再同期用のエンドトーンを受信したが、まだスーパフレーム同期回数が所定回数Ｎ以上になっていないノードは、スーパフレーム回数をリセットして、再同期用エンドトーンを中継して再同期状態に入る。
【００６３】
また、Ｓ７０１において、自己がスーパフレーム中に他のスーパフレームグループのエンドトーンを受信した場合には、再同期制御部１３３は、再同期用エンドトーンを送信する（ステップS７０３）。その後、速やかに同期するため、再同期処理に入る(ステップＳ７０４)。なお、再同期用エンドトーンを送信するまでの待ち時間は、上記の例では、１０数マイクロ秒であるが、これはエンドトーンの長さに依存するものである。通常、エンドトーンの３倍以上の時間に同じスーパフレームグループのノードがエンドトーンを送信することは無いので、この３倍の時間程度間を置いた後にスーパフレームを送信すればよい。しかし、あまり離れると違うスーパフレームグループのエンドトーンを間違って再同期エンドトーンと混乱する可能性があるので、その点を考慮する必要がある。
【００６４】
図９は、他のスーパフレームグループを検知した無線通信装置が、再同期エンドトーンの送受信を行う動作を示す図である。図６と同様に無線通信装置Ａから無線通信装置Ｇが図のように隣接している。また、図９において、各無線通信装置の上段の信号が受信を示し、下段の信号が送信を示す。ここで無線通信装置Ｄが他のスーパフレームグループの存在を検知し、再同期用のエンドトーン８０１を送信する。周囲のスーパフレームグループの無線通信装置Ｃ、Ｅが受信した再同期用のエンドトーンを再同期用エンドトーン８０２、８０３により中継する。しかし、無線通信装置Aと無線通信装置Ｇは、その同期用エンドトーン８０４、８０５が中継されて届く前にエンドトーンスロットが終了してしまうため、無線通信装置Ａと無線通信装置Ｇは、再同期状態に入らない。
【００６５】
しかし、無線通信装置Ａ、Ｇは、無線通信装置Ｂ乃至Ｆが同期して出力するエンドトー
ンに同期するように、次のスーパフレームで再同期用エンドフレームを送信することになり、全体としてひとつの同期タイミングに収束していく。
【００６６】
以上がスーパフレームの再同期処理についての説明である。
【００６７】
次に、データを送受信する動作について説明する。
【００６８】
まず、ＲＴＳ／ＣＴＳ−ｅデータフレーム送信部1３５は、データフレームを生成後、フレーム送受信部1３１へデータフレームの送信を指示する。フレーム送受信部1３１はこれを受けると、狭帯域通信部１０２を介して送受信トーン２０５を送信する。フレーム送受信部1３１は、送受信トーン２０５を送信完了後、広帯域通信部１０１を介して広帯域信号でデータを送信する。
【００６９】
これにより、フレームの待ち状態にあるノードは、常に狭帯域信号のみを待てばよく、常に広帯域信号を待つ状態に比べて小さな消費電力で待ち受けが可能となる。
【００７０】
図１０は、このデータ送受信の動作を示す図である。
【００７１】
無線通信装置Ａが、無線通信装置Ｂにデータフレームを送信してそのアクノリッジフレーム（ＡＣＫ）を受け取る。両者ともに狭帯域信号を自身が送信しているのでなければ受信待ち状態となる。無線通信装置Ａは、データ９０２送信前に送受信トーン（ＳＲ）９０１を送信し、これを受信した無線通信装置Ｂは広帯域通信の受信待ち状態に移行する（Ｓ９１１）。また、無線通信装置Ｂも同様に、送受信トーン（ＳＲ）９０３を送信した後にＡＣＫ９０４を送信する。この送受信トーンは、いかなるフレームであってもフレームの送信前に送信される。
【００７２】
次に、周辺のノードの通信状態を取得するためのプローブ処理について説明する。
【００７３】
無線通信装置は、通信を開始するにあたって、通信相手の存在や宛先を知る必要がある。また、送受信信号が他のノードからの通信信号と衝突しないようにするために、周囲のノードの存在を確認する必要がある。このため、本実施の形態では、プローブコマンドを用いて、周囲のノードの属性や、通信環境などを取得する。
【００７４】
プローブスロット（Probe Slot）２２３は、プローブの送受信のみを行うことが可能であるが、必要に応じてダイナミックにその長さを変えることができる。もし、プローブ送信の要求がないのであれば、その時点でプローブスロットを終了することも可能である。しかし、プローブスロットでは、無線通信装置は、１スーパフレームで一組のプローブの送受信しかできないため、複数の要求が衝突する可能性がある。これを解消するためにビギニングトーン１（２０３、２０９）、ビギニングトーン２（２０４、２１０）を用いる。
【００７５】
マルチキャストを行う場合には、通常次近接の位置にあるノードと衝突を覚悟して送信するが、ビギニングトーン１、２を使用すると衝突を回避するように各ノードが、プローブ要求元ノードとプローブ応答ノードと沈黙ノードに自己を分類する。
【００７６】
図１１Ａは、要求側無線通信装置のプローブ処理を説明するフロー図であり、図１１Ｂは、応答側無線通信装置のプローブ処理を説明するフロー図である。
【００７７】
図１１Ａにおいて、まず、プローブ要求するノードのプローブ送信部1３７は、トーン信号のキャリアセンスを行い、それをクリアするとビギニングトーン制御部1３４へビギ
ニングトーン１（ＢＴ１（２０３））の送信を指示する。ビギニングトーン制御部1３４は、エンドトーンスロットが終了した時点で狭帯域通信部１０２を介して、ビギニングトーン１（２０３）を送信する（ステップＳ１０１）。このとき、狭帯域通信部１０２は、ビギニングトーン１を送信する。そして、ビギニングトーン１を送信できたノードは、このプローブスロットにおいて広帯域通信部１０１を通電状態にし（ステップＳ１０２）、要求ノードとして動作する。
【００７８】
一方、図１１Ｂにおいて、プローブ要求をしないノードの狭帯域通信部１０２は、トーン信号の受信状態にあるが、ビギニングトーン１を受信すると（ステップＳ１２１）、ビギニングトーン制御部１３４へ通知する。ビギニングトーン制御部1３４は、これを受けて、ビギニングトーン２（ＢＴ２（２０４））を送信する（ステップＳ１２２）。そして、このビギニングトーン１を受信したノードは、現在のプローブスロット２２３において広帯域通信部１０１に通電し駆動状態にして（ステップＳ１２３）、応答ノードとして動作する。なお、プローブ要求を予定していたノードの狭帯域通信部１０２は、ビギニングトーン１を受信すると応答ノードなり、ビギニングトーン１の送信を中止する。
【００７９】
また、ビギニングトーン１を受信したノードから送信されたビギニングトーン２を受信したノードは（ステップＳ１３１）、そのプローブスロット２２３の間、広帯域通信部１０１を非通電状態に保ち、沈黙ノードとして動作する。
【００８０】
次に、図１１Ａにおいて、要求ノードのビギニングトーン制御部1３４は、ビギニングトーン２の受信をチェックし（ステップＳ１０３）、受信を確認するとプローブ送信部1３７へ通知する。プローブ送信部1３７はこれを受けて、プローブ要求フレームをフレーム送受信部1３１へ送出する。フレーム送受信部1３１はこれを受けて、広帯域通信部１０１を通電状態にし、広帯域通信部１０１を介してプローブ要求（ＰＢ（２１１））を送信する（ステップＳ１０４）。
【００８１】
一方、図１１Ｂにおいて、応答ノードの広帯域通信部１０１は、プローブ要求のフレームを受信すると（ステップＳ１２４）、そのフレームをフレーム送受信部1３１へ送出する。フレーム送受信部1３１は受信したフレームがプローブ要求であると判定すると、プローブ受信部1３６へ通知する。プローブ受信部1３６はこれを受けて、自己の属性や通信環境の情報を生成する（ステップＳ１２５）。そして、プローブ受信部1３６は、それらの情報を含むプローブ応答を送信するようにフレーム送受信部1３１へ送出する。フレーム送受信部1３１はこれを受けて、広帯域通信部１０１を介してプローブ応答（ＰＲ（２１２））を送信する（ステップＳ１２６）。
【００８２】
このとき、フレーム送受信部1３１は、他の応答ノードから送信されるプローブ応答（ＰＲ（２１２））と衝突しないようにバックオフをかけてランダムなタイミングで応答する。このバックオフとは、衝突を検出したときに再送信を行うタイミングをさらにランダムに算出し、その算出時間経過後に再送する方式をいう。
【００８３】
また、フレーム送受信部1３１は、プローブ応答２１２を広帯域通信で送信する前に、通常のフレーム送信と同様に、送受信トーン２０７を送信する。
【００８４】
なお、沈黙ノードでは、広帯域通信部１０１が非通電状態にあるので、広帯域通信部１０１は、プローブ要求やプローブ応答を受信することはない。
【００８５】
次に、図１１Ａにおいて、要求ノードの狭帯域通信部１０２は、送受信トーン２０７を受信した時点でこの送受信トーンを中継する。これにより、応答を開始した無線通信装置（応答ノード）とプローブ要求者を介して反対側にある応答ノードが、同時に応答プロー
ブを送信し始めるのを抑制することができる。その結果、通常行うＲＴＳ／ＣＴＳによる衝突回避処理を大幅に短縮することが可能になる。
【００８６】
その後、要求ノードの広帯域通信部１０１は、プローブ応答のフレームを受信すると（ステップＳ１０５）、フレーム送受信部1３１へ送出する。フレーム送受信部1３１は、受信したフレームがプローブ要求であると判定するとプローブ送信部1３７へ通知する。プローブ送信部１３７はこれを受けて、周囲のノードの属性や通信環境の情報として蓄積したり、更新したりする（ステップＳ１０６）。
【００８７】
その後、プローブ送信部1３７は、プローブ応答に対する応答としてＡＣＫ、あるいはＮＡＣＫの送信をフレーム送受信部1３１へ指示する。フレーム送受信部1３１は、狭帯域通信部１０２を介して送受信トーン２０８を送出後、広帯域通信部１０１を介してＡＣＫ、あるいはＮＡＣＫフレームを送信する（ステップＳ１０７）。
【００８８】
一方、図１１Ｂにおいて、応答ノードはこのＡＣＫ、あるいはＮＡＣＫの応答を受信すると（ステップＳ１２７）、プローブスロットの終了を通知するプローブエンドの受信待ち状態になる。
【００８９】
また、このＡＣＫ、あるいはＮＡＣＫの応答を受信した他の応答ノードであって、プローブ応答を未送信のものは、バックオフのカウントダウンを再開する。そして、その応答ノードは、カウント完了後、プローブ応答の送信を行う（ステップＳ１２６）。
【００９０】
一方、図１１Ａにおいて、プローブ要求ノードのプローブ送信部１３７は、プローブ要求の送信後カウント開始した最大バックオフカウントが完了するまでステップＳ１０５へ戻り（ステップＳ１０８）、他の応答ノードからの応答プローブの受信処理を行う。この最大バックオフカウントは、バックオフによる応答を考慮した、所定時間をカウントするものであり、プローブ送信部１３７はこの最大バックオフカウントが完了したときに、プローブスロットが終了したとみなす。なお、プローブ要求ノードのプローブ送信部１３７は、プローブ応答の受信している最中は、応答ノードと同じくカウントダウンを中止し、万一バックオフの途中で衝突が起こった場合には、新たに最大バックオフカウントをカウントダウンしはじめる。これにより応答ノードがもれなく応答できるような十分な時間を確保しつつ、応答するノードの数が少ないときには、これに応じて少ない時間待ちでプローブを終了することを可能にする。
【００９１】
その後、プローブ要求ノードのプローブ送信部１３７は、プローブスロットの終了を通知するために、プローブエンドフレームを送信する。このとき、プローブ送信部１３７は、ビギニングトーン制御部１３４に再度ビギニングトーン１の送信を指示する。ビギニングトーン制御部１３４は、ステップＳ１０１と同様にしてビギニングトーン１（２０９）を、狭帯域通信部１０２を介して送信する（ステップＳ１０９）。これにより、２ホップ圏内の沈黙ノードが通常の送受信モードに戻ることができる。
【００９２】
そして、ステップＳ１０３と同様に、ビギニングトーン制御部１３４がビギニングトーン２（２１０）を受信すると（ステップＳ１１０）、プローブ送信部１３７は、フレーム送受信部１３１へプローブエンドの送信を指示する。フレーム送受信部１３１は、これを受けて、広帯域通信部１０１を介してプローブエンド（ＰＥ（２１４））を送信し（ステップＳ１１１）、このプローブスロットを終了させる。
【００９３】
他方、図１１Ｂにおいて、応答ノードのビギニングトーン制御部１３４は、ビギニングトーン１を受信すると（ステップＳ１２８）、ビギニングトーン２を送信し（ステップＳ１２９）、送信完了後、フレーム送受信部１３１がプローブエンド（２１４）を受信して
（ステップＳ１３０）、プローブスロットの終了とみなす。このように、プローブ処理が行われたとき、１ホップ圏内で二つ以上のノードがビギニングトーン１を送信すると、キャリアセンスによりどちらか一方が送信できて、一方は受信待ちになる。
【００９４】
次に、具体例をもって、プローブ動作を説明する。
【００９５】
図１２は、無線通信装置Ａ乃至Ｄが２ホップ内に位置したときのビギニングトーン１、２の送受信動作を示す図である。
【００９６】
図１２Ａにおいて、無線通信装置Ａと無線通信装置Ｄがプローブ要求をするノードであるとする。このとき、図１２Ｂに示すように、無線通信装置Ａが最初にビギニングトーン１（１１０１）を送信し、そのビギニングトーン１の送信完了後、無線通信装置Ｄがビギニングトーン１を送信しようとしてキャリアセンスする。この場合、無線通信装置Ｂ、Ｃが既に無線通信装置Ａからのビギニングトーン１（１１０１）に対して、ビギニングトーン２（１１０２）を送信しているため、無線通信装置Ｄは、キャリアセンスしている間もしくはキャリアセンスする前にビギニングトーン２（１１０２）を受信するので、自己を沈黙ノードにする。従って、無線通信装置Ａは、プローブ要求の送信権を得ることになる。
【００９７】
次に、図１２Ｃに示すように、無線通信装置Ａによるビギニングトーン１の送信と無線通信装置Ｄによるビギニングトーン１の送信とがビギニングトーン１の継続時間以下のずれで送信されたとき、無線通信装置Ｂ、Ｃはビギニングトーン１の継続時間よりも長く、エンドトーンの継続時間よりも短いトーン信号１１１０を受信することになる。このため、無線通信装置Ｂ、Ｃは、受信したトーン信号をビギニングトーン２と判断する。従って、無線通信装置Ｂ、Ｃは沈黙ノードとなり、現在のプローブスロットでは応答を行わない。無線通信装置Ｂ、Ｃは、プローブ処理に参加できないが、沈黙ノードとなることで無線通信装置Ａ、Ｄの通信を邪魔することはない。
【００９８】
このように、本発明のビギニングトーン１、２を用いたプローブ処理により、各無線通信装置は、プローブスロットにおいて、それぞれ適正なノード（要求ノード、応答ノード、および沈黙ノード）になることができる。
【００９９】
次に、３ホップ圏内で二つ以上のノードがプローブ要求を行うときの動作を説明する。
【０１００】
図１３は、無線通信装置Ａ乃至Ｅが３ホップ内に位置したときのビギニングトーン１、２の送受信動作を示す図である。
【０１０１】
図１３Ａにおいて、無線通信装置Ａ、Ｅがプローブ要求をするノードであるとする。このとき、図１３Ｂに示すように、無線通信装置Ａが最初にビギニングトーン１（１２０１）を送信し、そのビギニングトーン１が送信完了する前のタイミングで無線通信装置Ｅからビギニングトーン１（１２０３）を送信している。この場合、無線通信装置Ｂ、Ｃは、無線通信装置Ａからのみビギニングトーン１（１２０１）を受信するので、それに対してのビギニングトーン２（１２０２）を送信する。このため、無線通信装置Ｄは、無線通信装置Ｅからのビギニングトーン１（１２０３）を受信中にビギニングトーン２（１２０２）を受信開始することになるので、ビギニングトーン１の継続時間よりも長く、エンドトーンの継続時間よりも短いトーン信号１２１０を受信することになる。このため、無線通信装置Ｄは、受信したトーン信号をビギニングトーン２と判断し、沈黙ノードとなる。
【０１０２】
このように、本発明のプローブ処理によれば、複数のプローブ処理がほぼ同時に発生し
ても、一方のプローブ処理を成功させ、他方のプローブ要求ノードを沈黙させることで、両者のプローブ要求を衝突なしに円滑に進めることができる。
【０１０３】
なお、プローブ要求は、プローブスロットに一つだけ実行されるが、沈黙ノードはビギニングトーン２を複数受信する場合もある。この場合、沈黙ノードは、ビギニングトーン２を受信した回数分だけ、プローブエンドを送信する前のビギニングトーン２の受信がなければ通常の待機状態に戻ることはできない。何らかの理由で２つのビギニングトーン２の受信がなかったときには、沈黙ノードは最大バックオフカウント時間の間、沈黙し続けることになる。
【０１０４】
以上の説明をまとめて、図１４と図１５に示す。
【０１０５】
図１４と図１５は、トーン信号を受信した場合の本発明にかかる無線通信装置の動作を表したものである。
【０１０６】
図１４、図１５において、各行はスーパフレームのスロットを示し、各列に受信するトーン信号を記している。例えば、プローブスロットでビギニングトーン１をプローブ要求受信前に受信したときには、ビギニングトーン２を送信して、プローブ要求を受信するために広帯域信号の同期を開始することを示している。
【０１０７】
また、本発明によれば、送受信を行うもののみがビーコンなどの管理コマンドのフレームを送信するように制限したＭＡＣプロトコルとすることもできる。すなわち、送受信を行っていないものは、スリープ状態モードとしてビーコンなどを送信する必要がない。
【０１０８】
さらに、本実施の形態における、ＲＴＳ／ＣＴＳは、従来のＲＴＳ／ＣＴＳを拡張した方式（ＲＴＳ／ＣＴＳ−ｅ方式）である。
【０１０９】
ＲＴＳ／ＣＴＳ方式では、本来無線通信装置がそのコマンドフレームを送信した直後の帯域を使用してデータを送信するが、本実施の形態においては、指定可能な時間（例えば、６４ｍｓ）までの時間を指定してデータ送信時間帯を予約する。これにより、ＴＤＭＡの時間予約の代わりとなる。
【０１１０】
また、無線通信装置が連続して予約する場合、次回のＲＴＳ／ＣＴＳ−ｅ交換用のスロットも予約する。これにより、アイソクロナス通信などにも対応が可能になる。
【０１１１】
本実施の形態において、ＲＴＳ／ＣＴＳ−ｅ方式は、４ウェイのハンドシェイク方式である。すなわち、最初のハンドシェイクで、相手方の空時間を確かめ、次のＲＴＳ／ＣＴＳ−ｅのハンドシェイクで実際の送信時間を確定し周囲に通知する。
【０１１２】
このような４ウェイ方式を取るのはＮＡＶ（Network Allocation Vector）で他の無線通信装置のＲＴＳ／ＣＴＳ−ｅの更新を抑えることにより、現時点での最新の相手方のスケジュールを確かめられるからである。
【０１１３】
予約時刻の指定方法は、実時間指定の方法と同期タイミングにそったスロット指定の方法とがある。スロット指定方法の場合には、自己の次のスーパフレーム周期の開始時刻までの時間を付加することで、他のスーパフレームグループと衝突した場合にも、スロット位置の判定が可能になる。そして、その他のスーパフレームグループのスロットに対応する、自己のスーパフレームのスロット位置を使用禁止にすることにより、他のスーパフレームグループとの衝突も回避できる。
【０１１４】
このように、スロット指定方法は、実時間指定方法に比べ通信するデータ量を少なくできる反面、必要以上の時間を占有してしまう可能性がある。しかしながら、指定方法はどちらの方法でも構わない。
【０１１５】
また、ミリ波ＵＷＢを使用することにより指向性を利用することが可能である。すなわち、フレーム送受信部１３１が一連のトーン信号やＲＴＳ／ＣＴＳフレームを無指向性の電波で送信する。その後、フレーム送受信部１３１は、実際のデータやＡＣＫなどの送信を、ＲＴＳ／ＣＴＳを受信したときの電波の到来方向を予測し、実際にデータを送信する際には、予測された到来方向に対して指向性の電波を向けて送信もしくは受信する。
【０１１６】
図１６は、無線通信装置がＲＴＳ／ＣＴＳを無指向性の電波で送信し、データ交換をＲＴＳ／ＣＴＳの到来方向を推定した場合の衝突回避を説明する図である。
【０１１７】
図１６において、無線通信装置ＤがＲＴＳを無指向性の電波で送信しているときに、無線通信装置Ｂが無線通信装置Ａに指向性の電波でデータを送信すれば、無線通信装置Ｂの通信エリア１３０２が無線通信装置Ｃを含まない。このため、無線通信装置Ｃへはデータの電波１３０１が届かず、ＲＴＳの受信を邪魔することはない。
【０１１８】
このように、送受信を行う無線通信装置の他は、ビーコンもしくはＲＴＳ／ＣＴＳ−ｅの交換を行わないことにより、モビリティ環境における無駄な送受信を回避することができる。さらに、常に周囲の無線通信装置を確認しながら、随時通信を開始することも可能になる。
【０１１９】
なお、本実施の形態のトーン信号は、継続時間の相違により各トーンを識別していたが、これに限らず、周波数の違い、電界強度の大小、電界強度の時間的変動、あるいは間欠信号のパターンなどによっても同様の効果を得られる。
【０１２０】
以上のように本発明によれば、ビーコンの代わりにトーン信号を使用することで、無線通信装置は、モビリティ環境下での頻繁なビーコンの整列を行うことなしに、スーパフレーム内の時刻調整が可能になる。これにより、無線通信装置は、プローブ要求と応答を最小時間で他の無線通信装置と行うことができる。また、通信する無線通信装置のみが広帯域通信部を通電状態にすればよいので、多くの時間をスリープ状態にすることが可能となる。
【０１２１】
また、本発明の無線通信装置は、狭帯域信号であるトーン信号が、コマンドやデータを通信する広帯域信号を送信する前に送信されるので、狭帯域信号のみを受信待ち状態にしておけば良い。このため、無線通信装置は、広帯域信号に常時通電する場合に比較して、待機時の消費電力を低く抑えることが可能になる。
【０１２２】
（実施の形態２）
本実施の形態における無線通信装置は、周囲のノードにくまなく指向性アンテナでプローブ要求を送信したり、あるいは応答を返すものである。本実施の形態における無線通信装置の構成は、実施の形態の構成１における構成と同一であるが、指向性アンテナの通信範囲は、プローブ要求フレームの到達範囲の全ノードが互いに通信可能であるようなエリアである必要がある。例えば、図１７に示すように、指向性アンテナの到達範囲が半径ｒのエリアとしたとき、アンテナの向いている方向でｒ／２の地点を中心とする半径ｒ／２の円内にある任意のノードＢ、Ｃは互いに送受信可能な状態になる。このような配置にある各無線通信装置がプローブ要求を出した場合には、その応答が通常のキャリアセンスで衝突回避できる。
【０１２３】
なお、本実施の形態における無線通信装置は、いろいろと向きの変わる移動通信端末よりも、常に向きが固定されているアクセスポイントに適している。
【０１２４】
このように構成された無線通信装置のプローブ要求と応答の動作について以下に説明する。
【０１２５】
本実施の形態におけるプローブ要求・応答動作は、プローブ要求ノードが周囲のすべてのノードにビギニングトーン１を送信した後に、セクタ毎にプローブ要求を行う点が実施の形態１の動作と異なる。
【０１２６】
まず、プローブ要求ノードは、通常のプローブと同じようにビギニングトーン１を送信する。一方、応答ノードはビギニングトーン２を送信する。そして、プローブ要求ノードは、セクタプローブであることを宣言して、プローブ要求が開始したことを通知する。
次に、プローブ要求ノードは、各セクタに指向性を絞った状態で、送受信トーンのみを送信する。このようなデータのない送受信トーンを受信した周囲の応答ノードは、バックオフカウンタを走らせてランダムにその応答を返答する。また、プローブ要求ノードは、各セクタに割り振られる最大バックオフ時間を計測し、すべてのセクタをサーチすると再びビギニングトーン１を送信した後、プローブエンドを送信する。
【０１２７】
以上のように本発明によれば、セクタプローブは、通常のプローブに比べ送信する範囲を狭めることが特徴で、これによりキャリアセンスのみで衝突の可能性をなくすことができる。また、通信範囲が狭いので最大バックオフカウント数などを制限できるため、プローブ応答がより高速に収束する可能性もある。
【０１２８】
なお、セクタプローブも、通常のプローブ要求と同様にプローブスロットに一つだけ実行されるが、沈黙ノードは、ビギニングトーン２を複数受信する場合もある。この場合、沈黙ノードは、ビギニングトーン２を受信した回数分だけ、プローブエンドを送信する前のビギニングトーン２の受信がなければ、通常の待機状態に戻ることはできない。何らかの理由で２つのビギニングトーン２の受信がなかったときには、沈黙ノードは最大バックオフカウントの間、沈黙し続けることになる。
【０１２９】
（実施の形態３）
本実施の形態における無線通信方法は、実施の形態１と同様、送受信トーンとエンドトーンを用いるが、ビギニングトーン１、２を使用しない点が異なる。
【０１３０】
図１８は、本実施の形態におけるスーパフレームのトーン信号とフレームを説明するタイミングチャートである。
【０１３１】
図１８において、スーパフレーム１５０１は、エンドトーンスロット１５０２と送受信ピリオド１５０３のみから構成される。また、トーン信号は、エンドトーン１５１１と送受信トーン１５１３の２つのみであり、エンドトーンを送信した後の特別な時間帯であるエンドトーン再同期スロット１５０４において送信する送受信トーン１５１２を、特にプローブトーンいう。
【０１３２】
送受信トーンは、送受信ピリオド１５０３で受信した場合、実施の形態１と同じく広帯域信号によるコマンドやデータフレームが送受信されることを通知する。しかし、エンドトーンスロット内でエンドトーン受信後に受信した送受信トーン１５１２は、次のスーパフレームの間、広帯域信号を受信待ちにして、ＲＴＳ／ＣＴＳ−ｅコントロールフレームを収集することを通知する。そして、無線通信装置は、コントロールフレームの収集した次のスーパフレームにおいて、プローブ応答をランダムなタイミングで送信する。
【０１３３】
また、エンドトーンについては、実施の形態１と同一の処理となる。
【０１３４】
図１９は、本実施の形態における無線通信装置の構成を示す構成図である。本実施の形態は、実施の形態１において図２で示した構成とは、ビギニングトーン制御部1３４の代わりに、プローブトーン制御部１６１を有している点が異なる。
【０１３５】
プローブトーン制御部１６１は、他の無線通信装置からのプローブトーン信号を受信したとき、フレーム送受信部1３１に対してそのスーパフレームの間でＲＴＳ／ＣＴＳ−ｅフレームの受信を行うように指示するものである。また、プローブトーン制御部１６１は、プローブ送信部1３７が上位層処理部１０４から周囲の状況の問い合わせを受けたときに、プローブ送信部1３７からプローブトーンを送信するように指示される。そして、プローブトーン制御部１６１は、エンドトーンに引き続いて送受信トーン、すなわちプローブトーンを狭帯域通信部１０２に送信させる。
【０１３６】
以上の構成を有する無線通信装置が、プローブ要求とその応答を行う動作について以下に説明する。
【０１３７】
図２０Ａは、プローブ要求元の無線通信装置の動作フローであり、図２０Ｂはプローブ応答する無線通信装置の動作フローである。
【０１３８】
図２０Ａにおいて、まず、プローブ送信部1３７が上位層処理部１０４から周囲の状況の問い合わせを受けるとプローブ要求発生と認識し（ステップＳ１７０１）、プローブトーン制御部１６１にプローブトーンを送信するように指示する。プローブトーン制御部１６１は、これを受けて、エンドトーンの送信に引き続いて（ステップＳ１７０２）、送受信トーン１５１２、すなわちプローブトーンを狭帯域通信部１０２を介して送信する（ステップＳ１７０３）。
【０１３９】
その後、時刻管理部1３２がエンドトーンを送信し、広帯域通信部１０１に通電した後、プローブ応答フレームの受信待ち状態になる（ステップＳ１７０４）。そして、広帯域通信部１０１がプローブ応答フレームを受信すると、フレーム送受信部1３１は、取得した送信元無線通信装置の属性や通信環境などの情報を蓄積したり、更新したりする（ステップＳ１７０５）。
【０１４０】
次に、ＲＴＳ／ＣＴＳ−ｅデータフレーム送信部1３５は、自己の属性とあった通信相手であれば、送受信を開始するために、ＲＴＳ−ｅコマンドとデータ送信開始までの時間予約情報を送信する（ステップＳ１７０６）。
【０１４１】
その後、予約時間経過すると（ステップＳ１７０７）、ＲＴＳ／ＣＴＳ−ｅデータフレーム送信部1３５は、データフレームを送信する（ステップＳ１７０８）。なお、ステップＳ１７０５乃至Ｓ１７０８については、複数の無線通信装置からプローブ応答を受信することにより、並行して処理が行われる。
【０１４２】
一方、図２０Ｂにおいて、無線通信装置はプローブトーンを受信すると（ステップＳ１７２０）、応答ノードとなり、広帯域通信部１０１に通電する（ステップＳ１７２１）。そして、広帯域通信部１０１がそのスーパフレームの間、広帯域信号の受信待ち状態となり、他の無線通信装置が送信したＲＴＳ／ＣＴＳ−ｅフレームを受信する（ステップＳ１７２２）。
【０１４３】
そして、時刻管理部1３２がエンドトーンを受信し（ステップＳ１７２３）、次のスー
パフレームになると、プローブ受信部1３６がプローブ応答するための属性や通信環境などの情報を生成し、フレーム送受信部1３１へプローブ応答の送信を指示する。フレーム送受信部1３１は、送受信ピリオドでバックオフカウントし、空きのスロットにおいて、プローブ応答フレームを送信する（ステップＳ１７２４）。
【０１４４】
このように本発明によれば、プローブ応答ノードは、ＲＴＳ／ＣＴＳ−ｅの受信を、ＲＴＳ／ＣＴＳ−ｅで予約できる最大時間である１スーパフレーム分の間収集済であるので、プローブ要求ノードとプローブ応答ノードとが即座にＲＴＳ／ＣＴＳ−ｅシーケンスを開始できる。また、本実施の形態における無線通信方法は、プローブスロットを設けないので、その時間もデータの送受信に使用できる。さらに、ビギニングトーンを使用しないので、エンドトーンを短くすることも可能となる。
【０１４５】
なお、本実施の形態では、トーン信号は継続時間の相違により各トーンを識別していたが、これに限らず、周波数の違い、電界強度の大小、電界強度の時間的変動、あるいは間欠信号のパターンなどによっても同様の効果を得られる。
【０１４６】
（実施の形態４）
本実施の形態における無線通信装置は、実施の形態３の無線通信方法を行うＭＡＣプロトコルを実装した、モバイルファイル交換装置である。また、交換するファイルは音楽ファイル、動画ファイル、およびゲームソフトである。
【０１４７】
図２１は、本実施の形態におけるモバイルファイル交換装置の構成図である。
【０１４８】
図２１において、モバイルファイル交換装置は、タッチパネルディスプレイ１８０１、音声端子１８０２、画像入出力コマンド受付部１８０３、音声入出力音声コーデック１８０４、メインＣＰＵ１８０５、ハードディスク装置１８０６、ＭＡＣインタフェース用メモリ１８０７、外部メディア部１８０８、広帯域通信部１０１、狭帯域通信部１０２、ＭＡＣ制御部１０３、およびアンテナ１０５を有している。
【０１４９】
広帯域通信部１０１、狭帯域通信部１０２、ＭＡＣ制御部１０３、およびアンテナ１０５は、実施の形態２に記載のものと同一である。
【０１５０】
以下に、モバイルファイル交換装置の動作を説明する。
【０１５１】
初めに、音楽ソフト、画像ソフト、ゲームソフトの再生動作について説明する。
【０１５２】
まず、ユーザは、自身が使用したいソフトを外部メディア部１８０８からインストールして、ハードディスク装置１８０６に保存する。その後、タッチパネルディスプレイ１８０１から入力されたコマンドは、画像入出力コマンド受付部１８０３で複数の信号に変換された後、メインＣＰＵ１８０５に通知される。
【０１５３】
音楽再生のコマンドが入力された場合は、メインＣＰＵ１８０５が音声入出力音声コーデック１８０４に指示してハードディスク装置１８０６から、音楽ソフトをデコードして音声端子１８０２より出力する。
【０１５４】
動画像やゲームを行うコマンドが入力された場合には、メインＣＰＵ１８０５が音声再生に加えて、画像入出力コマンド受付部１８０３を介してタッチパネルディスプレイ１８０１に動画も表示する。
【０１５５】
次に、音楽ソフト、画像ソフト、ゲームソフトを他のモバイルファイル交換装置とファ
イル交換する動作について説明する。
【０１５６】
まず、ファイル交換を始めるにあたってミリ波ＵＷＢ（広帯域通信）の通信手順を開始するため、ＭＡＣ制御部１０３はメインＣＰＵ１８０５から起動命令を受けると、狭帯域通信部１０２にエンドトーンをサーチさせる。そして、狭帯域通信部１０２がエンドトーンを検知したとき、最初に検知したエンドトーンに同期させる再同期処理を開始する。
【０１５７】
次に、ＭＡＣ制御部１０３は、プローブトーンを受信すると、狭帯域通信部１０２がプローブレスポンスを送信するためにＲＴＳ／ＣＴＳ−ｅコントロールフレームの受信待ち状態になる。そして、広帯域通信部１０１は、１スーパフレーム後のスーパフレームにてランダムにレスポンスを送信する。
【０１５８】
次に、狭帯域通信部１０２は、N回に一回エンドトーンの再同期のためのエンドトーンを送信する。回数Ｎは、スーパフレーム周期の時間にもよるが、1〜２秒周期となるような回数が適している。新規にスーパフレームグループに加入したノードは、加入したタイミングから、また、他のノードは前回のスーパフレームグループの再同期処理の実行からの回数を数える。これらのノードは、再同期処理の間はエンドトーンの受信待ちとなり、新しいエンドトーンを受信したときのタイミングで同期する。
【０１５９】
所定回数のエンドトーンの内に1回もプローブトーンを送受信しなかった場合や、エンドトーンの再同期処理により新たなスーパフレームグループに加わったときには、各ノードは、プローブトーンを送信する。プローブトーンを受信した各ノードは、再同期処理を行いつつ、ＲＴＳ／ＣＴＳ−ｅフレームを受信する。そして、プローブトーンを受信した各ノードは、1スーパフレーム受信待ちした後、ランダム時間経過後にプローブ応答を送信する。但し、各ノードがプローブ応答を送信するのはプローブトーンを送信した次のスーパフレームの間である。
【０１６０】
次に、プローブ要求ノードは、応答のあったノードの属性リストを確認して、音楽ソフト交換、動画像交換、およびゲームソフト交換のそれぞれの属性を応答したものに対して、差分交換、すなわち一方が所有していて、他方が所有していないソフトのみを交換する。このため、交換を開始したノードは、まず自己の交換可能なソフトのＩＤの一覧を送信する。そして、交換を提示されたノードは、受信した一覧に対して、自己の交換可能なソフトのＩＤの一覧を送信すると共に、自己が所有していないで、ここ数ヶ月の間に交換経験の無い、相手ノードの持っているソフトの転送要求を出す。
【０１６１】
ファイル交換要求を起動したノードは、これに基づいてソフトの転送に応じるとともに、自己の転送要求を応答側に求める。ファイルの交換処理は、交互に所定量、例えば５０ＭＢのファイルずつ転送する動作を繰り返し、相手ノードが近隣のノードでなくなるか、あるいは転送が終了するまで継続する。そして、必要であれば、要求ノードは、ＲＴＳ／ＣＴＳ−ｅフレームの再交換により、転送時間を更新する。
【０１６２】
図２２は、モバイルファイル交換装置が管理する音楽ソフトのファイルリストである。
【０１６３】
図２２において、各音楽のＩＤは、ＴＯＣ（Table of Content）１９０１とトラック番号１９０４で識別する。タイトル名１９０２とアーティスト名１９０３は、ユーザ入力もしくは、アクセスポイント経由のＣＤＤＢ（ＣＤの曲目のデータベース）による入力となる。これらはユーザ情報でありファイル交換動作に直接関係しない。
【０１６４】
ＣＤあるいはインターネットなどから取得した音楽ファイルは、外部メディア部１８０８によりハードディスク装置１８０６にコピーされる。このときのメディアフラグ１９０
５はオン、シャドウフラグ１９０６はオフで、期限１９０７は無限大である。そして、他のモバイルファイル交換装置とのメディア交換時に送信する一覧には、メディアフラグ１９０５がオンとなっているもののみを記載する。交換されたソフトも、メディアフラグ１９０５がオン状態の曲として自己のファイルリストに残るが、期限が設定される。例えば、シャドウ化期限として１００日としたとき、１００日経過しても一度も再生されないものはシャドウファイル化される。ここで、シャドウファイルとは、ユーザからファイルの存在を認識できるが再生できないファイルをいう。但し、メディアフラグ１９０５がオンであって、実際にハードディスク装置１８０６に音楽ファイルが存在するので、自己の交換ファイルのひとつとして取り扱うことができる。
【０１６５】
ファイルは、シャドウ化期限を過ぎるか、あるいは再生可能な回数分再生され終わるとシャドウファイル化され、新たな期限が設定される。そして、これを削除期限として新たに１００日が設定される。この期間を過ぎると、ハードディスク装置１８０６から音楽ファイルソフトが削除される。このとき、ファイルリストにはメディアフラグ１９０５がオフ、シャドウフラグがオンのエントリーが再エントリー抑制期限を設定されて残される。この再エントリー抑制期限とは、既に音楽ファイルは無いが一旦試聴を行ったファイルを再度エントリーさせることを制限するものであり、これにより、同じファイルが何度も聞けるような状態を防ぐことができる。そして、再エントリー抑制期限が過ぎるとエントリー自体が消え、再エントリーが可能となる。
【０１６６】
また、数多く交換されるファイルの内、例えば、ジャンルを指定したり、聞ける音楽フォーマットを制限して、より好みに合ったものだけを選定することも可能である。好みの違うファイルは、たちまちシャドウファイル化され、ユーザの目に付くことなく期限が過ぎれば削除される。
【０１６７】
また、ユーザがそのメディアを外部メディア部１８０８から他の機器にコピーする場合には、メインＣＰＵ１８０５はメディアフラグがオンであることを確認した上で、ミリ波ＵＷＢのアクセスポイントを移動して探す。あるいは、ユーザは、ミリ波ＵＷＢで中継可能な携帯電話からＩＰ網に接続し、電子商取引を用いて認証・課金が行なわれたことを確認後、ファイルリストに期限無限大のエントリーを作成する。そして、メインＣＰＵ１８０５は、シャドウフラグ１９０６をオフにして、ハードディスク装置内のソフトファイルを外部メディアにコピーする。なお、外部メディアから自己のモバイルファイル交換装置に購入済のソフトをインストールする場合も、課金は必要ないが認証は必要である。それは、流布したくないソフトの交換が可能になってしまうからである。
【０１６８】
また、ミリ波ＵＷＢでＩＰネットワークに中継するときは、ＩＰ処理をアクセスポイント、あるいは携帯電話などで終端することが好ましい。そうでなければ、ミリ波ＵＷＢは、ＩＰアドレスを割り振ることになるが、通常のＩＰｖ４で行われるプライベートアドレスでは、移動通信のときに混乱の原因になってしまうからである。しかしながら、アクセスポイントごとにネットワークアドレスを使用するのではアドレスの非効率割り当てになってしまうので、ＩＰｖ６を使用するか、あるいはミリ波ＵＷＢのリンク上にはＴＣＰ／ＩＰ以上のデータをやり取りするように構成するのが好ましい。
【０１６９】
なお、上記の実施例では、交換するファイルを音楽ファイルに限定して説明したが、動画像ファイルやゲームソフトのファイル交換も同様にして管理することができる。
【０１７０】
また、ソフトの一覧を交換するときに、ファイルリストの期限が無限大（即ち購入済）の情報も交換すると、周辺のユーザが購入済のソフトのランキングを作成することができる。これは、ユーザにとって購入の手助けとなり得る。また、そのランキング表にソフトのお勧めなどのコメントを入れるようにしても良い。
【０１７１】
さらに、モバイルファイル交換装置自身の制御ソフトウェアをモバイルファイル交換装置がファイル受信すれば、自動的にアップデートすることも可能である。この場合、ファイルに優先度を示すフラグなどを付加することにより、優先的にファイル交換できるようにするのが好ましい。
【０１７２】
（実施の形態５）
図２３は、本実施の形態におけるモバイルファイル交換装置の構成図である。実施の形態４におけるモバイルファイル交換装置の構成とは、単方向指向性アンテナ２００１をさらに有する点が異なる。
【０１７３】
このアンテナ２００１はユーザが通信したい相手を視覚的に認識しながらファイル交換を行いたい場合に用いる。
【０１７４】
図２４は、モバイルファイル交換装置がアクセスポイントに接続する際のシーケンス図である。
【０１７５】
モバイルファイル交換装置２１０２は、アクセスポイント２１０１に向けてプローブ要求コマンドをタッチパネルから入力されると、モバイルファイル交換装置２１０２はプローブトーンを自己のエンドトーンのタイミングで送信する。このとき、他のモバイルファイル交換装置２１０３がエンドトーンを送信すると、モバイルファイル交換装置２１０２はこれに再同期して再度プローブトーンを送信する。
【０１７６】
次に、プローブトーンによってスリープからさめたアクセスポイント２１０１は、プローブ応答を送信する。
【０１７７】
次に、モバイルファイル交換装置２１０２はこのプローブ応答で送信されてきた、アクセスポイント２１０１の属性情報などをタッチパネルディスプレイ１８０１に表示する。例えば、「アクセスポイント・音楽ファイル交換」というように表示される。
【０１７８】
次に、ユーザは、そのアクセスポイントを選択すると、あとはインターネットのハイパーテキスト（ｈｔｔｐ）などを利用したデータ交換により、タッチパネルディスプレイの表示が変更され、例えば「接続」などのコマンド入力を行う。このとき、例えば、音楽ソフトの課金が行われる。
【０１７９】
以上のように、本実施の形態におけるモバイルファイル交換装置によれば、対象のノードに対して物理的にアンテナを向けるといった限定により、要求ノードが通信を開始できるので、誤って相手ノードを指定することを防止できる。
【０１８０】
また、複数のモバイルファイル交換装置が指定した方向に存在していて、応答が複数ある場合は、プローブ応答の到来方向の推定により各プローブ応答の到来方向のずれを平面図でディスプレイに表示する。これにより、ユーザは、多くのプローブ応答の中でどのモバイルファイル交換装置を選択するかを決定することが容易になる。
【０１８１】
（実施の形態６）
図２５を参照して、実施の形態６の構成を説明する。図２５は、本実施の形態における無線通信装置の信号通信部２５００の構成を示すブロック図である。
【０１８２】
本実施の形態における無線通信装置は、実施の形態１と比較すると、広帯域通信部１０１および狭帯域通信部１０２の部分が分離した２つの独立したブロックではなくて、一体
化した一つのブロックである信号通信部２５００を備えて構成されている点が異なる。実施の形態１におけるＭＡＣ制御部１０３等の、広帯域通信部１０１および狭帯域通信部１０２以外の部分に相当する本実施の形態の構成および動作は、実施の形態１の構成および動作と同一であり、説明を省略する。
【０１８３】
信号通信部２５００は、トーン信号通信部２５１０、データ信号通信部２５２０および搬送波信号源２５０２から構成される。トーン信号通信部２５１０は、フィルタ２５１２、送受切り替えスイッチ２５１４、周波数変換器２５１６、周波数変換器２５１８およびトーン信号制御部２５１９を備える。同様にデータ信号通信部２５２０は、フィルタ２５２２、送受切り替えスイッチ２５２４、復調器２５２６、変調器２５２８およびデータ信号制御部２５２９を備える。
【０１８４】
トーン信号通信部２５１０は、送信時にはＭＡＣ制御部１０３から入力したトーン信号の制御信号から所定の長さをもつトーン信号を生成し、周波数変換して分配器２５３０へ出力する。尚、トーン信号の制御信号とは、図４のような所定の長さをもつトーン信号そのものではなく、いわばどのトーン信号であるかを示す論理的なトーン信号を意味する。実施の形態１乃至５では、単にトーン信号ということがある。また、トーン信号通信部２５１０は、受信時には分配器２５３０から入力したトーン信号を周波数変換してトーン信号の制御信号に変換して、ＭＡＣ制御部１０３へ出力する。
【０１８５】
なお、トーン信号は、ベースバンドトーン信号の発生を制御する「トーン信号制御信号」、振幅や位相等の変調を行なうことのない「トーン信号」、トーン信号に搬送波周波数を乗じて生成した「搬送波と重畳したトーン信号」をそれぞれ意味する。
【０１８６】
フィルタ２５１２は、送信時には送受切り替えスイッチ２５１４から入力したトーン信号を所定の周波数に帯域制限して、分配器２５３０へ出力する。フィルタ２５１２は、受信時には分配器２５３０から入力したトーン信号を所定の周波数に帯域制限して、送受切り替えスイッチ２５１４に出力する。
【０１８７】
送受切り替えスイッチ２５１４は、送信時には周波数変換器２５１８から入力した周波数変換後のトーン信号をフィルタ２５１２へ出力する一方、受信時にはフィルタ２５１２から入力したトーン信号を周波数変換器２５１６へ出力するように、送信と受信とで信号の接続および方向の切り替えを行う。
【０１８８】
周波数変換器２５１６は、送受切り替えスイッチ２５１４から入力したトーン信号の周波数変換を行う。すなわち、周波数変換器２５１６は、搬送波信号源２５０２から出力する搬送波をもとにしてトーン信号をベースバンド信号に変換し、変換した信号をトーン信号制御部２５１９へ出力する。
【０１８９】
周波数変換器２５１８は、送信時にはトーン信号制御部２５１９から入力したトーン信号を周波数変換、すなわち搬送波信号源２５０２から出力する搬送波を中心周波数とした信号に変換し、送受切り替えスイッチ２５１４へ出力する。
【０１９０】
トーン信号制御部２５１９は、送信時にはＭＡＣ制御部１０３から入力したトーン信号の制御信号に従って、トーン信号制御部２５１９に持っている固有のデータパターンに基づくトーン信号を生成し、周波数変換器２５１８に出力する。トーン信号制御部２５１９は、受信時には周波数変換器２５１６から入力したトーン信号を入力し、トーン信号の長さによりトーン信号の種類を判別して対応するトーン信号の制御信号を生成し、ＭＡＣ制御部１０３へ出力する。
【０１９１】
同様に、データ信号通信部２５２０は、送信時にはＭＡＣ制御部１０３から入力したデータ信号を変調して分配器２５３０へ出力する。また、データ信号通信部２５２０は、受信時には分配器２５３０から入力したデータ信号を周波数変換して、ＭＡＣ制御部１０３へ出力する。
【０１９２】
フィルタ２５２２は、送信時には送受切り替えスイッチ２５２４から入力したデータ信号を所定の周波数に帯域制限して、分配器２５３０へ出力する。フィルタ２５２２は、受信時には分配器２５３０から入力したデータ信号を所定の周波数に帯域制限して、送受切り替えスイッチ２５２４に出力する。
【０１９３】
送受切り替えスイッチ２５２４は、送信時には変調器２５２８から入力した変調後のデータ信号をフィルタ２５２２へ出力する一方、受信時にはフィルタ２５２２から入力したデータ信号を復調器２５２６へ出力するように、送信と受信とで信号の接続および方向の切り替えを行う。
【０１９４】
復調器２５２６は、送受切り替えスイッチ２５２４から入力したデータ信号の復調を行う。すなわち、復調器２５２６は、搬送波信号源２５０２から出力する搬送波をもとにしてデータ信号をベースバンド信号に変換し、データ信号制御部２５２９へ出力する。
【０１９５】
変調器２５２８は、送信時にはデータ信号制御部２５２９から入力したデータ信号を変調、すなわち搬送波信号源２５０２から出力する搬送波を中心周波数とした信号に変換し、送受切り替えスイッチ２５２４へ出力する。
【０１９６】
データ信号制御部２５２９は、送信時にはＭＡＣ制御部１０３から入力したデータ信号を変調器２５２８へ出力する。データ信号制御部２５２９は、受信時には復調器２５２６から入力したデータ信号をＭＡＣ制御部１０３へ出力する。
【０１９７】
搬送波信号源２５０２は、搬送波を生成し、周波数変換器２５１６および復調器２５２６へ搬送波を出力する。図２５では、トーン信号通信部２５１０とデータ信号通信部２５２０が、搬送波信号源２５０２を共有している構成を示している。
【０１９８】
尚、トーン信号とデータ信号とで異なる中心周波数の信号を使う場合も同一の中心周波数を使う場合も、搬送波信号源を別にする構成にすることもできる。実施の形態１において、広帯域通信部１０１にデータ信号通信部２５２０と搬送波信号源とを使用し、狭帯域通信部１０２にトーン信号通信部２５１０と別の搬送波信号源とを使用した場合は、そのような構成になる。また搬送波信号源は一つであっても、ミキサ等の周波数変換する素子を用いて搬送波信号源２５０２の周波数から周波数変更することにより、トーン信号通信部２５１０とデータ信号通信部２５２０とは、異なる中心周波数を使うことができる。また、アンテナについても信号帯域に応じてトーン信号用のアンテナとデータ信号用のアンテナに分けた複数にする構成にしてもよい。
【０１９９】
本実施の形態のトーン信号については、狭帯域信号を用いて、データ信号については広帯域信号を用いることがより好ましいが、本発明は、それに限定されるわけではなく、帯域の大小に関わりなく、トーン信号とデータ信号の帯域を設定することは可能である。
【０２００】
尚、実施の形態２乃至実施の形態５の狭帯域通信部と広帯域通信部を本実施の形態のトーン信号通信部２５１０とデータ信号通信部２５２０と搬送波信号源２５０２に置き換えた構成も本発明に含まれることはいうまでもない。
【０２０１】
次に、実施の形態６の無線通信装置の信号通信部２５００の動作を説明する。
【０２０２】
まず、トーン信号通信部２５１０の動作を説明する。送信時には、トーン信号制御部２５１９は、ＭＡＣ制御部１０３から入力したトーン信号の制御信号に従って、トーン信号制御部２５１９に持っている固有のデータパターンに基づくトーン信号を生成し、周波数変換器２５１８へ出力する。
【０２０３】
次に、周波数変換器２５１８は、トーン信号制御部２５１９から入力したトーン信号を周波数変換、すなわち搬送波信号源２５０２から出力する搬送波を中心周波数とした信号に変換し、周波数変換されたトーン信号を送受切り替えスイッチ２５１４へ出力する。
【０２０４】
次に、送受切り替えスイッチ２５１４は、周波数変換器２５１８から入力した周波数変換後のトーン信号をフィルタ２５１２へ出力する。そして、フィルタ２５１２は、送受切り替えスイッチ２５１４から入力したトーン信号を所定の周波数に帯域制限して、帯域制限されたトーン信号を分配器２５３０へ出力する。
【０２０５】
一方、受信時には、フィルタ２５１２は、分配器２５３０から入力したトーン信号を所定の周波数に帯域制限して、帯域制限されたトーン信号を送受切り替えスイッチ２５１４に出力する。
【０２０６】
送受切り替えスイッチ２５１４は、フィルタ２５１２から入力したトーン信号を周波数変換器２５１６へ出力する。周波数変換器２５１６は、送受切り替えスイッチ２５１４から入力したトーン信号の周波数変換を行う。すなわち、周波数変換器２５１６は、搬送波信号源２５０２から出力する搬送波をもとにしてトーン信号をベースバンド信号に変換し、変換された信号をトーン信号制御部２５１９へ出力する。
【０２０７】
トーン信号制御部２５１９は、周波数変換器２５１６から入力したトーン信号を入力し、トーン信号の長さによりトーン信号の種類を判別して対応するトーン信号の制御信号を生成し、生成されたトーン信号の制御信号をＭＡＣ制御部１０３へ出力する。
【０２０８】
次に、データ信号通信部２５２０の動作を説明する。
【０２０９】
データ信号通信部２５２０の送信時には、データ信号制御部２５２９は、ＭＡＣ制御部１０３から入力したデータ信号を変調器２５２８へ出力する。
【０２１０】
次に、変調器２５２８は、データ信号制御部２５２９から入力したデータ信号を変調、すなわち搬送波信号源２５０２から出力する搬送波を中心周波数とした信号に変換し、変調されたデータ信号を送受切り替えスイッチ２５２へ出力する。
【０２１１】
次に、送受切り替えスイッチ２５２４は、変調器２５２８から入力した変調後のデータ信号をフィルタ２５２２へ出力する。そして、フィルタ２５２２は、送受切り替えスイッチ２５２４から入力したデータ信号を所定の周波数に帯域制限して、帯域制限されたデータ信号を分配器２５３０へ出力する。
【０２１２】
一方、受信時には、フィルタ２５２２は、分配器２５３０から入力したデータ信号を所定の周波数に帯域制限して、帯域制限されたデータ信号送受切り替えスイッチ２５２４に出力する。
【０２１３】
送受切り替えスイッチ２５２４は、フィルタ２５２２から入力したデータ信号を復調器２５２６へ出力する。復調器２５２６は、送受切り替えスイッチ２５２４から入力したデータ信号の復調を行う。すなわち、復調器２５２６は、搬送波信号源２５０２から出力す
る搬送波をもとにしてデータ信号をベースバンド信号に変換し、変換された信号をデータ信号制御部２５２９へ出力する。
【０２１４】
データ信号制御部２５２９は、復調器２５２６から入力したデータ信号をＭＡＣ制御部１０３へ出力する。
【０２１５】
このように、本実施の形態においては、トーン信号通信部２５１０とデータ信号通信部２５２０とが搬送波信号源２５０２を共通に使用する構成をとるため、部品点数の少ない低コストの無線通信装置を提供することができる。
【０２１６】
（実施の形態７）
次に、実施の形態７に係る無線通信装置の構成および動作について説明する。
【０２１７】
実施の形態６の図２５においては、広帯域信号とトーン信号を同時送信するために、２つの送信系として、トーン信号通信部２５１０とデータ信号通信部２５２０とを備えた例を説明した。しかし、同時送信をしない場合は、送信系は１つ備えれば足りるので、このような構成の無線通信装置を実施の形態７として、その構成及び動作を以下に説明する。
【０２１８】
図２６を参照して、実施の形態７の構成を説明する。図２６は、本実施の形態における無線通信装置の信号通信部２６００の構成を示すブロック図である。
【０２１９】
実施の形態１におけるＭＡＣ制御部１０３等の、広帯域通信部１０１および狭帯域通信部１０２以外の部分に相当する本実施の形態の構成および動作は、実施の形態１の構成および動作と同一であり、説明を省略する。
【０２２０】
信号通信部２６００は、通信部２６１０および搬送波信号源２５０２から構成される。通信部２６１０は、フィルタ２６１２、送受切り替えスイッチ２６１４、復調器２６１６、変調器２６１８および信号制御部２６１９を備える。
【０２２１】
通信部２６１０は、トーン信号の送信時には、ＭＡＣ制御部１０３から入力したトーン信号の制御信号からトーン信号を生成し、そのトーン信号を、変調器２６１８に出力する。通信部２６１０は、トーン信号の受信時には、復調器２６１６から入力したトーン信号を入力し、トーン信号の長さによりトーン信号の種類を判別して対応するトーン信号の制御信号を生成し、ＭＡＣ制御部１０３へ出力する。
【０２２２】
通信部２６１０は、データ信号の送信時には、ＭＡＣ制御部１０３から入力したデータ信号を変調して指向性制御部１０６へ出力する。また、通信部２６１０は、データ信号の受信時には、指向性制御部１０６から入力したデータ信号を復調して、ＭＡＣ制御部１０３へ出力する。
【０２２３】
フィルタ２６１２は、送信時には送受切り替えスイッチ２６１４から入力したトーン信号またはデータ信号を所定の周波数に帯域制限して、指向性制御部１０６へ出力する。フィルタ２６１２は、受信時には指向性制御部１０６から入力したトーン信号またはデータ信号を所定の周波数に帯域制限して、送受切り替えスイッチ２６１４に出力する。
【０２２４】
送受切り替えスイッチ２６１４は、送信時には変調器２６１８から入力した周波数変換後または変調後のトーン信号またはデータ信号をフィルタ２６１２へ出力する。一方、受信時にはフィルタ２６１２から入力したトーン信号またはデータ信号を復調器２６１６へ出力するように、送信と受信とで信号の接続および方向の切り替えを行う。
【０２２５】
復調器２６１６は、送受切り替えスイッチ２６１４から入力したトーン信号またはデータ信号の周波数変換または復調を行う。すなわち、復調器２６１６は、搬送波信号源２５０２から出力する搬送波をもとにしてトーン信号またはデータ信号をベースバンド信号に変換し、信号制御部２６１９へ出力する。
【０２２６】
変調器２６１８は、送信時には、信号制御部２６１９から入力したトーン信号またはデータ信号を周波数変換または変調、すなわち搬送波信号源２５０２から出力する搬送波を中心周波数とした信号に変換し、送受切り替えスイッチ２６１４へ出力する。
【０２２７】
信号制御部２６１９は、トーン信号送信時には、ＭＡＣ制御部１０３から入力したトーン信号の制御信号に従って、信号制御部２６１９に持っている固有のデータパターンに基づくトーン信号を変調器２６１８に出力する。信号制御部２６１９は、データの送信時には、ＭＡＣ制御部１０３から入力したデータ信号を、変調器２６１８に出力する。
【０２２８】
信号制御部２６１９は、トーン信号の受信時には、復調器２６１６から入力したトーン信号を入力し、トーン信号の長さによりトーン信号の種類を判別してトーン信号の制御信号を生成し、ＭＡＣ制御部１０３へ出力する。また、信号制御部２６１９は、データ信号の受信時には、復調器２６１６から入力したデータ信号を入力し、ＭＡＣ制御部１０３へ出力する。
【０２２９】
次に、実施の形態７に係る無線通信装置の動作を説明する。
【０２３０】
トーン信号の送信時には、信号制御部２６１９は、ＭＡＣ制御部１０３から入力したトーン信号の制御信号に従って、信号制御部２６１９に持っている固有のデータパターンに基づくトーン信号を変調器２６１８に出力する。データ信号の送信時には、信号制御部２６１９は、ＭＡＣ制御部１０３から入力したデータ信号を、変調器２６１８に出力する。
【０２３１】
次に、変調器２６１８は、信号制御部２６１９から入力したトーン信号またはデータ信号を周波数変換または変調、すなわち搬送波信号源２５０２から出力する搬送波を中心周波数とした信号に変換または変調し、変調器出力信号２７０２を送受切り替えスイッチ２６１４へ出力する。
【０２３２】
次に、送受切り替えスイッチ２６１４は、変調器２６１８から入力した周波数変換または変調後のトーン信号またはデータ信号（変換器出力信号２７０２）をフィルタ２６１２へ出力する。そして、フィルタ２６１２は、送受切り替えスイッチ２６１４から入力したトーン信号またはデータ信号を所定の周波数に帯域制限して、帯域制限された信号を指向性制御部１０６へ出力する。
【０２３３】
一方、受信時には、フィルタ２６１２は、指向性制御部１０６から入力したトーン信号またはデータ信号を所定の周波数に帯域制限して、帯域制限された信号を送受切り替えスイッチ２６１４に出力する。
【０２３４】
送受切り替えスイッチ２６１４は、フィルタ２６１２から入力したトーン信号またはデータ信号を復調器２６１６へ出力する。復調器２６１６は、送受切り替えスイッチ２６１４から入力したトーン信号またはデータ信号の周波数変換または復調を行う。すなわち、復調器２６１６は、搬送波信号源２５０２から出力する搬送波をもとにしてトーン信号またはデータ信号をベースバンド信号に変換し、変換した信号を信号制御部２６１９へ出力する。
【０２３５】
信号制御部２６１９は、トーン信号の受信時には、復調器２６１６から入力したトーン
信号を入力し、トーン信号の長さによりトーン信号の種類を判別してトーン信号の制御信号を生成し、ＭＡＣ制御部１０３へ出力する。信号制御部２６１９は、データ信号の受信時には、復調器２６１６から入力したデータ信号をＭＡＣ制御部１０３へ出力する。
【０２３６】
この場合の変調器２６１８が、入力する変調器入力信号２７０１を周波数変換または変調した後の変調器出力信号２７０２の信号波形の一例を図２７に示す。変調器２６１８へ入力する信号においては、トーン信号２７１０の信号幅２７１１とデータ信号２７２０の信号幅２７２１が異なり、この信号幅に応じて正弦波成分を含む変調器出力信号も幅の異なる信号となる。なお、幅の広い信号は、狭帯域の信号であり、幅の狭い信号が広帯域の信号であることは言うまでもない。一例を挙げると、トーン信号２７１０の信号幅は、例えば１μsecであり、データ信号２７２０の信号幅は、例えば１ｎsecであるが、適用するシステムにより大きく変動しうるため、これらに限定されるものではない。また、トーン信号は必ずしも狭帯域信号でなくてもよく、トーン信号の信号幅２７１１が、データ信号の信号幅２７２１と等しいか小さい関係にあってもよい。
【０２３７】
また、受信の際のトーン信号とデータ信号の分離方法については、例えばトーン信号とデータ信号の周波数が異なる場合は、フィルタ帯域により両者を分離することが可能である。同様に、トーン信号とデータ信号が同時送信しない場合は、時間的に分離が可能である。また、同一周波数、同一時間に送信されている場合は、送信信号電力を変えることにより分離可能である。この場合、例えば信号時間の長いトーン信号の振幅を小さくして送信電力を小さく、データ信号の振幅を大きくして送信電力を大きくすることで、復調器２６１６での受信電力しきい値による分離が可能である。
【０２３８】
このように、本実施の形態においては、トーン信号とデータ信号とを一つの信号通信部で処理する構成をとるため、構成が簡単で部品点数が少なくなり、低コストで電力消費の少ない無線通信装置を提供することができる。
【０２３９】
本発明の無線通信方法は、複数の無線通信装置がアドホックネットワークにおいて相互に通信する無線通信方法であって、一の無線通信装置がスーパフレームの終端を識別するためのエンドトーンを送信するステップと、他の無線通信装置がそのエンドトーンを受信したときに、自己のスーパフレームの終端を同期させるステップとを有するものである。
【０２４０】
これにより、無線通信装置は変調信号によるビーコンを使用することなく、消費電力の小さいトーン信号を使用してスーパフレームと同期を取るので、消費電力を従来の方法に比べ低減することができるようになる。
【０２４１】
また、本発明の無線通信方法は、前記一の無線通信装置が、スーパフレームの終端から所定の時間経過後にデータ送信を通知するための送受信トーンをキャリアセンスしながら送信するステップと、その送受信トーンの送信完了後に、データ信号を送信するステップとをさらに有するものである。
【０２４２】
これにより、無線通信装置は、トーン信号のみ監視することによりデータ受信の開始を検出できるので、待機時の消費電力を低く抑えることが可能になる。
【０２４３】
また、本発明の無線通信方法は、前記一の無線通信装置が、他の無線通信装置からの送受信トーンを受信した後に、前記データ信号を受信可能にしてデータ信号を受信するステップと、そのデータ信号を正常に受信したとき、前記送受信トーンをキャリアセンスしながら送信するステップとをさらに有している。
【０２４４】
これにより、無線通信装置は、ＵＷＢのようなデータ信号を受信待ちする必要がないの
で、待機時の消費電力を低減することができる。
【０２４５】
また、本発明の無線通信方法は、前記エンドトーンを送信するステップが、前記一の無線通信装置が、スーパフレームの終端を識別するための狭帯域信号のエンドトーンを送信するステップである。
【０２４６】
これにより、無線通信装置は、変調信号によるビーコンを使用することなく、消費電力の小さい狭帯域のトーン信号を使用してスーパフレームと同期を取るので、消費電力を従来の方法に比べ低減することができるようになる。
【０２４７】
また、本発明の無線通信方法は、前記一の無線通信装置がスーパフレームの終端から所定の時間経過後にデータ送信を通知するための狭帯域信号の送受信トーンをキャリアセンスしながら送信するステップと、前記一の無線通信装置が前記送受信トーンの送信完了後に、広帯域のデータ信号を送信するステップとをさらに有するものである。
【０２４８】
これにより、無線通信装置は、狭帯域信号のみ監視することによりデータ受信の開始を検出できるので、待機時の消費電力を低く抑えることが可能になる。
【０２４９】
また、本発明の無線通信方法は、前記一の無線通信装置が他の無線通信装置からの送受信トーンを受信した後に、広帯域信号を受信可能にし、前記データ信号を受信するステップと、前記一の無線通信装置が前記データ信号を正常に受信したとき、前記狭帯域の送受信トーンをキャリアセンスしながら送信するステップと、をさらに有するものである。
【０２５０】
これにより、無線通信装置は、ＵＷＢのような広帯域信号を受信待ちする必要がないので、待機時の消費電力を低減することができる。
【０２５１】
また、本発明の無線通信方法は、エンドトーンがスーパフレームの終端の前後に設定されたエンドトーンスロット内で送信されるものであって、前記一の無線通信装置はエンドトーンスロット内で最初に受信したエンドトーンを基準にしてスーパフレームの終端を再設定するものである。
【０２５２】
これにより、スーパフレームグループの各無線通信装置は、スーパフレームにおいて最も早いエンドトーンに同期することが可能となる。
【０２５３】
また、本発明の無線通信方法は、前記一の無線通信装置が、他の無線通信装置から受信したエンドトーンが、エンドトーンスロット内で最初のものであって、自己のエンドトーンの送信開始以前に受信完了したとき、その完了時点でスーパフレームの終端を再設定するステップと、エンドトーンを受信したタイミングで自己のエンドトーンを送信するステップとを有するものである。
【０２５４】
これにより、最初に受信したエンドトーンと自己のエンドトーンとの時間差をより小さく維持できるので、全体として短時間に同じスーパフレームに同期することが可能になる。
【０２５５】
また、本発明の無線通信方法は、スーパフレームを共有する無線通信装置のグループであるスーパフレームグループが複数混在したとき、第１のスーパフレームグループの無線通信装置が、自己のスーパフレームグループの他の無線通信装置へ第２のスーパフレームと同期することを通知するステップと、第１のスーパフレームグループの当該無線通信装置が、スーパフレーム全体にわたって第２のスーパフレームグループからのエンドトーンを受信待ちし、受信した当該エンドトーンを基準にしてスーパフレームの終端を再設定す
るものである。
【０２５６】
これにより、無線通信装置は、モバイル環境下で他のスーパフレームグループと遭遇しても送受信を開始することが可能になる。
【０２５７】
また、本発明の無線通信方法は、第１のスーパフレームグループに属する無線通信装置が現在の終端を通知するエンドトーンを送信した後に、エンドトーンスロット内で再度エンドトーンを送信することにより、他の無線通信装置へ第２のスーパフレームグループのスーパフレームと同期することを通知し、その同期することを通知するエンドトーンを受信した、第１のスーパフレームグループに属する他の無線通信装置が、現在の終端を通知するエンドトーンを送信した後に、エンドトーンスロット内で再度エンドトーンを送信するものである。
【０２５８】
これにより、無線通信装置は、再同期をスーパフレームグループ単位で実行することになり、現時点での通信が途絶える心配が無く、グループが収束して纏まるのですべての通信が可能になる。
【０２５９】
また、本発明の無線通信方法は、狭帯域信号トーンに継続時間を変化させて定義するビギニングトーン１とビギニングトーン２を設けたものであって、無線通信装置が通信の衝突回避のための狭帯域信号のビギニングトーン１をキャリアセンスしながら送信するステップと、そのビギニングトーン１を受信した無線通信装置が、狭帯域信号のビギニングトーン２を送信するステップと、そのビギニングトーン1もしくはビギニングトーン２を受信した無線通信装置が、現在のスーパフレーム内では自己からの狭帯域信号のビギニングトーン１を送信することを中止するステップとを有するものである。
【０２６０】
これにより、無線通信装置は、マルチキャスト通信などで複数の応答がされるとき、一つずつ応答するように各無線通信装置が送信を抑制するようになる。
【０２６１】
また、本発明の無線通信方法は、ビギニングトーン１を送信した無線通信装置がビギニングトーン２を受信した無線通信装置へ属性および／または通信環境を問い合わせるプローブ要求を広帯域信号で送信するステップと、そのプローブ要求を受信した無線通信装置が、自己の属性や通信環境の情報を含むプローブ応答を広帯域信号で送信するステップとを有するものである。
【０２６２】
これにより、無線通信装置は、マルチキャストによるプローブ要求をビギニングトーンを使用して行わせることにより、同じ時間帯に複数の地理的再利用が可能となる。
【０２６３】
本発明の無線通信方法は、プローブ要求を受信した無線通信装置がプローブ応答を送信する前に送受信トーンを送信するステップと、プローブ要求を送信した無線通信装置が前記送受信トーンを受信したとき、受信した送受信トーンを転送するステップと、プローブ要求を送信していない無線通信装置が送受信トーンを受信したとき、自己からのプローブ応答の送信開始を停止するステップとを有するものである。
【０２６４】
これにより、要求側の無線通信装置と、次近接の位置にある応答側の無線通信装置との競合を極力抑えることが可能となる。
【０２６５】
また、本発明の無線通信方法は、プローブ要求を送信した無線通信装置がプローブ応答を受信完了するまでの所定時間をバックオフによりカウントするステップと、プローブ要求を送信した無線通信装置が所定時間をカウント終了したとき、プローブ要求期間の終了通知を近隣の無線通信装置へ送信するステップとを有するものである。
【０２６６】
これにより、無線通信装置は、必要最小限の時間でプローブを終了することができる。
【０２６７】
また、本発明の無線通信方法は、プローブ要求においてプローブ要求を送信した無線通信装置が複数の指向性アンテナにより複数のセクタを構成し、各セクタ内の無線通信装置は、互いに送受信可能な状態であるとき、プローブ要求を送信した無線通信装置が行う送受信トーンの送信が、各指向性アンテナによりセクタ毎に順番に行われるものである。
【０２６８】
これにより、固定式の無線通信装置のプローブ処理はセクタを決めて行うことで能率的にプローブ動作を実行可能となる。
【０２６９】
また、本発明の無線通信方法は、プローブ要求を送信した無線通信装置がセクタ毎に、プローブ応答を受信完了するまでの所定時間をバックオフによりカウントするステップと、プローブ要求を送信した無線通信装置がすべてのセクタにおいて所定時間のカウントを終了したとき、プローブ要求期間の終了通知を近隣の無線通信装置へ送信するステップとを有するものである。
【０２７０】
これにより、無線通信装置は、セクタの待ち時間も必要最小限にすることができる。
【０２７１】
また、本発明の無線通信方法は、前記一の無線通信装置がエンドトーンスロット内でエンドトーンに続いて送受信トーンを受信したとき、当該エンドトーンスロット終了後のスーパフレームにおいて、近隣の無線通信装置が送信するデータ送受信予約情報を含むコントロールフレームを収集し、次のスーパフレームのコントロールフレームで予約されていない時間帯に、自己の属性や通信環境情報、および／またはコントロールフレームで予約された時間帯の情報を含むプローブ応答を送信するものである。
【０２７２】
これにより、無線通信装置は、ＲＴＳ／ＣＴＳ−ｅを利用した通信を行うことでデータピリオドの全区間を時間予約できるので、従来方式に比べスーパフレームの全体を有効に利用可能になる。
【０２７３】
また、本発明の無線通信方法で使用する狭帯域信号(トーン信号)の継続時間は、送受信トーン、ビギニングトーン１、ビギニングトーン２、エンドトーンの順に長く、エンドトーンはビギニングトーン２の少なくとも２倍以上である。
【０２７４】
これにより、無線通信装置の送受信トーンは、スループットに関係するので最も小さくなくてはならないが、エンドトーンが３倍以上重なってもエンドトーンであると検出できる。また、ビギニングトーン１が同時期に二つ以上吹かれても、ビギニングトーン２であると見なされることになる。
【０２７５】
また、本発明の無線通信方法は、複数の無線通信装置がアドホックネットワークにおいて相互に通信する一の無線通信装置の無線通信方法であって、スーパフレーム内の経過時間を計測し、終端を識別するためのエンドトーンを送信するステップと、最初に送信したエンドトーンを基にして再設定された終端時刻を基準に、所定の時間経過後にデータ送信を通知するための送受信トーンを送信するステップと、当該送受信トーンの送信完了後、データ信号を送信するステップと、を有するものである。
【０２７６】
また、本発明の無線通信方法では、前記エンドトーン及び送受信トーンは、狭帯域信号であり、前記データ信号は、広帯域信号のデータ信号である。
【０２７７】
また、本発明の無線通信方法は、前記一の無線通信装置が、通信の衝突回避のための狭
帯域信号のビギニングトーン１をキャリアセンスしながら送信するステップと、前記一の無線通信装置が、前記ビギニングトーン１を受信した他の無線通信装置により送信されたビギニングトーン２を受信するステップと、を有するものである。
【０２７８】
また、本発明の無線通信方法は、前記ビギニングトーン１を送信した一の無線通信装置が、前記ビギニングトーン２を送信した前記他の無線通信装置へ、属性および／または通信環境を問い合わせるプローブ要求を広帯域信号で送信するステップと、前記プローブ要求を受信した前記他の無線通信装置から、自己の属性および／または通信環境の情報を含むプローブ応答を広帯域信号で受信するステップと、を有するものである。
【０２７９】
また、本発明の無線通信装置は、トーン信号を送受信するトーン信号通信部と、変調して広帯域信号でデータを送受信するデータ信号通信部と、時刻管理部と、フレーム送受信部とを有している。その時刻管理部は、スーパフレーム内の経過時間を計測し、終端を識別するためのエンドトーンをトーン信号通信部から送信したり、あるいはエンドトーンをトーン信号通信部を介して受信し、自己の終端時刻以前に最初に受信したエンドトーンを基準にして終端時刻を再設定する。また、フレーム送受信部は、時刻管理部が再設定した終端時刻を基準に、所定の時間経過後にデータ送信を通知するための送受信トーンをトーン信号通信部から送信し、当該送受信トーンの送信完了後、データをデータ信号通信部を介して送信したり、あるいは送受信トーンを受信したときデータ信号通信部を受信可能状態にしてデータをデータ信号通信部から受信したりする。
【０２８０】
この構成により、無線通信装置はビーコンを使用することなく、スーパフレームグループ間のスーパフレーム同期を実現することができる。
【０２８１】
また、本発明の無線通信装置は、前記トーン信号通信部が、狭帯域のトーン信号を送受信する狭帯域通信部であり、前記データ信号通信部が、変調して広帯域信号でデータを送受信する広帯域通信部である。
【０２８２】
この構成により、無線通信装置はビーコンを使用することなく、スーパフレームグループ間のスーパフレーム同期を実現することができる。
【０２８３】
また、本発明の無線通信装置は、再同期制御部をさらに有している。その再同期制御部は、スーパフレームを共有する自己と同一グループに属する他の無線通信装置へ、スーパフレームを共有していない他のグループのスーパフレームに同期することを通知する。そして、スーパフレームの全期間において、他のグループのエンドトーンを監視し、当該エンドトーンを受信したとき、スーパフレームの終端に再設定してエンドトーンを狭帯域通信部を介して送信する。
【０２８４】
これにより、無線通信装置は、他のスーパフレームグループのスーパフレームと同期をとることが可能になる。
【０２８５】
また、本発明の無線通信装置は、ビギニングトーン制御部へビギニングトーン１の送信を指示し、その後当該ビギニングトーン制御部からビギニングトーン２の受信を通知されたとき、他の無線通信装置へ属性や通信環境情報の通知を要求するプローブ要求フレームの送信を前記フレーム送受信部へ指示するプローブ送信部と、前記プローブ要求を受信したとき、自己の属性および／または通信環境情報を送信するように前記フレーム送受信部へ指示するプローブ受信部とをさらに有するものである。
【０２８６】
この構成により、無線通信装置は、ビーコンにて実施されてきたノードの生存確認をプローブにて実施することができる。
【０２８７】
２００５年１２月７日出願の特願２００５−３５２９９２の日本出願に含まれる明細書、図面および要約書の開示内容はすべて本願に援用される。
【産業上の利用可能性】
【０２８８】
本発明は、アドホックネットワークにおける無線通信方法及び無線通信装置に有用であり、特にモビリティ環境下において無線通信装置間でファイル交換するのに適している。
【図面の簡単な説明】
【０２８９】
【図１】従来の無線通信方法におけるＴＤＭＡによるスーパフレームの構成を示す図
【図２】本発明の実施の形態１における無線通信装置の構成を示す図
【図３】本発明の実施の形態１におけるトーン信号とフレームの送受信プロトコルを示すタイミングチャート
【図４】本発明の実施の形態１における各トーン信号の長さを示す図
【図５】本発明の実施の形態１におけるスーパフレームの同期処理を説明するフロー図
【図６】本発明の実施の形態１におけるスーパフレームの同期動作を示す図
【図７】本発明の実施の形態１における２つのスーパフレームグループの配置を示す図
【図８】本発明の実施の形態１におけるスーパフレームの再同期処理を説明するフロー図
【図９】本発明の実施の形態１における無線通信装置の再同期エンドトーンの送受信動作を示す図
【図１０】本発明の実施の形態１におけるデータ送受信の動作を示す図
【図１１】図１１Ａは、本発明の実施の形態１における要求側無線通信装置のプローブ処理を説明するフロー図、図１１Ｂは、本発明の実施の形態１における応答側無線通信装置のプローブ処理を説明するフロー図
【図１２】図１２Ａは、本発明の実施の形態１における無線通信装置が２ホップ内に位置したときの配置図、図１２Ｂは、本発明の実施の形態１における無線通信装置のビギニングトーン１、２の送受信動作を示す図、図１２Ｃは、本発明の実施の形態１における無線通信装置のビギニングトーン１、２の送受信動作を示す図
【図１３】図１３Ａは、本発明の実施の形態１における無線通信装置が３ホップ内に位置したときの配置図、図１３Ｂは、本発明の実施の形態１における無線通信装置のビギニングトーン１、２の送受信動作を示す図
【図１４】本発明の実施の形態１における無線通信装置がトーン信号を受信した場合の動作を示した図
【図１５】本発明の実施の形態１における無線通信装置がトーン信号を受信した場合の動作を示した図
【図１６】本発明の実施の形態１におけるＲＴＳ／ＣＴＳによる衝突回避を説明する図
【図１７】本発明の実施の形態２における無線通信装置の配置を示す図
【図１８】本発明の実施の形態３におけるスーパフレームのトーン信号とフレームを説明するタイミングチャート
【図１９】本発明の実施の形態３における無線通信装置の構成を示す図
【図２０】図２０Ａは、本発明の実施の形態３におけるプローブ要求元の無線通信装置の動作フロー図、図２０Ｂは、本発明の実施の形態２におけるプローブ応答する無線通信装置の動作フロー図
【図２１】本発明の実施の形態４におけるモバイルファイル交換装置の構成を示す図
【図２２】本発明の実施の形態４におけるモバイルファイル交換装置が管理する音楽ソフトのファイルリストを示す図
【図２３】本発明の実施の形態５におけるモバイルファイル交換装置の構成を示す図
【図２４】本発明の実施の形態５におけるモバイルファイル交換装置がアクセスポイントに接続するシーケンスを示す図
【図２５】本発明の実施の形態６における信号通信部の構成を示すブロック図
【図２６】本発明の実施の形態７における信号通信部の構成を示すブロック図
【図２７】本発明の実施の形態７における信号通信部の信号波形を示すタイミングチャート
【手続補正３】
【補正対象書類名】図面
【補正対象項目名】全図
【補正方法】変更
【補正の内容】
【図１】
2007066741.tif 000030
【図２】
2007066741.tif 000031
【図３】
2007066741.tif 000032
【図４】
2007066741.tif 000033
【図５】
2007066741.tif 000034
【図６】
2007066741.tif 000035
【図７】
2007066741.tif 000036
【図８】
2007066741.tif 000037
【図９】
2007066741.tif 000038
【図１０】
2007066741.tif 000039
【図１１】
2007066741.tif 000040
【図１２】
2007066741.tif 000041
【図１３】
2007066741.tif 000042
【図１４】
2007066741.tif 000043
【図１５】
2007066741.tif 000044
【図１６】
2007066741.tif 000045
【図１７】
2007066741.tif 000046
【図１８】
2007066741.tif 000047
【図１９】
2007066741.tif 000048
【図２０】
2007066741.tif 000049
【図２１】
2007066741.tif 000050
【図２２】
2007066741.tif 000051
【図２３】
2007066741.tif 000052
【図２４】
2007066741.tif 000053
【図２５】
2007066741.tif 000054
【図２６】
2007066741.tif 000055
【図２７】
2007066741.tif 000056
【国際調査報告】
2007066741.tif 000057
2007066741.tif 000058